(57)【要約】  本発明は通信分野に関し、ダウンリンクデータ送信に影響を及ぼすことなくチャネル測定を実行するための、チャネル測定方法、基地局、およびUEを提供する。この方法は、UEによって、基準信号リソースマッピング図を取得し、基準信号リソースマッピング図に従って基準信号を取得するステップと、UEによって、基準信号に従ってチャネル測定を実行してチャネル状態情報を決定し、チャネル状態情報を基地局にフィードバックするステップと、を含み、基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在する。
2018516481.tif 000002
【特許請求の範囲】
【請求項１】
ユーザ機器UEによって、基準信号リソースマッピング図を取得し、前記基準信号リソースマッピング図に従って基準信号を取得するステップと、
前記UEによって、前記基準信号に従ってチャネル測定を実行してチャネル状態情報を決定し、前記チャネル状態情報を基地局にフィードバックするステップと、を備え、
前記基準信号リソースマッピング図が、前記基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、チャネル測定方法。
【請求項２】
Xが8より大きいとき、Xが2nを満たさず、nが0以上の整数である、請求項1に記載の方法。
【請求項３】
Xが8より小さく2nを満たさないとき、前記UEが前記第2の基準信号リソースマッピング図を取得し、
前記相関関係が、前記K2個の第2の基準信号リソースマッピング図のうちのいずれか1つのY個のポートの中のX個の連続するポートの時間-周波数リソースおよび符号リソースが、前記K1個の第1の基準信号リソースマッピング図のうちのいずれか1つのY個のポートの中のX個の連続するポートの時間-周波数リソースおよび符号リソースと同じである、ことであり、YがXより大きい整数の中でXに最も近く2nを満たす整数であり、前記符号リソースが直交拡散符号または基準信号のシーケンスである、請求項1または2に記載の方法。
【請求項４】
前記X個の連続するポートが前記Y個のポートの中の第0のポートから第(X-1)のポートであり、または前記X個の連続するポートが前記Y個のポートの中の第(Y-X)のポートから第(Y-1)のポートである、請求項3に記載の方法。
【請求項５】
K2=K1であり、または、
【数１】
2018516481.tif 000283
であり、
【数２】
2018516481.tif 000284
が切り捨てを表す、請求項3または4に記載の方法。
【請求項６】
前記K2個の第2の基準信号リソースマッピング図のうちの少なくとも1つが、前記第1の基準信号リソースマッピング図のうちの少なくとも2つの時間-周波数リソースを備える、請求項1から5のいずれか一項に記載の方法。
【請求項７】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項6に記載の方法。
【請求項８】
前記H個のポートが、前記第1の基準信号リソースマッピング図の中の第0のポートから第(H-1)のポートであり、または第(Y-H)のポートから第(Y-1)のポートである、請求項7に記載の方法。
【請求項９】
前記UEによって、前記第2の基準信号リソースマッピング図を取得するステップをさらに備え、
前記Xポートの第2の基準信号リソースマッピング図が、X1ポートの基準信号リソースマッピング図およびX2ポートの基準信号リソースマッピング図を備え、
X1+X2=Xであり、X1とX2の差が2より小さく、前記X1ポートの基準信号リソースマッピング図および前記X2ポートの基準信号リソースマッピング図がm個のサブフレームから前記UEによって取得され、mが1または2であり、
前記X1ポートの基準信号リソースマッピング図が前記第1の基準信号リソースマッピング図であり、かつ前記X2ポートの基準信号リソースマッピング図が前記第2の基準信号リソースマッピング図であり、または、前記X1ポートの基準信号リソースマッピング図と前記X2ポートの基準信号リソースマッピング図の両方が前記第2の基準信号リソースマッピング図である、請求項1または2に記載の方法。
【請求項１０】
Xが8より大きい整数である、請求項8に記載の方法。
【請求項１１】
前記基地局により通知される、前記X1ポートの基準信号リソースマッピング図および前記X2ポートの基準信号リソースマッピング図を搬送するサブフレームのシーケンスを前記UEによって受信するステップをさらに備え、または、
前記X1ポートの基準信号リソースマッピング図および前記X2ポートの基準信号リソースマッピング図を搬送するサブフレームのシーケンスが事前に設定され、前記シーケンスがポート数の降順またはポート数の昇順である、請求項9または10に記載の方法。
【請求項１２】
前記UEによって、前記基地局により通知される、前記X1ポートの基準信号リソースマッピング図を搬送するサブフレームの番号と前記X2ポートの基準信号リソースマッピング図を搬送するサブフレームの番号とを受信するステップ、または、
前記UEによって、前記基地局により通知される、前記X1ポートの基準信号リソースマッピング図を搬送するサブフレームの番号と、前記X2ポートの基準信号リソースマッピング図を搬送するサブフレームおよび前記X1ポートの基準信号リソースマッピング図を搬送するサブフレームの間のサブフレーム間隔とを受信するステップをさらに備える、請求項9または10に記載の方法。
【請求項１３】
前記UEによって、前記第2の基準信号リソースマッピング図を取得するステップをさらに備え、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項1または2に記載の方法。
【請求項１４】
前記X1ポートの基準信号リソースマッピング図、前記X2ポートの基準信号リソースマッピング図、...、および前記Xiポートの基準信号リソースマッピング図の各々が、前記第1の基準信号リソースマッピング図であり、
X1、X2、...、Xiの各々が8以下であり、X1、X2、...、Xiに対応するnの値が異なる、請求項13に記載の方法。
【請求項１５】
Xが8より大きい整数である、請求項13または14に記載の方法。
【請求項１６】
前記X1ポートの基準信号リソースマッピング図、前記X2ポートの基準信号リソースマッピング図、...、および前記Xiポートの基準信号リソースマッピング図が1つのサブフレームから前記UEによって取得され、または、前記X1ポートの基準信号リソースマッピング図、前記X2ポートの基準信号リソースマッピング図、...、および前記Xiポートの基準信号リソースマッピング図がi個のサブフレームから前記UEによって取得される、請求項13から15のいずれか一項に記載の方法。
【請求項１７】
前記基地局により通知される、前記X1ポートの基準信号リソースマッピング図、前記X2ポートの基準信号リソースマッピング図、...、および前記Xiポートの基準信号リソースマッピング図を搬送するサブフレームのシーケンスを前記UEによって受信するステップをさらに備え、または、
前記X1ポートの基準信号リソースマッピング図、前記X2ポートの基準信号リソースマッピング図、...、および前記Xiポートの基準信号リソースマッピング図を搬送するサブフレームのシーケンスが事前に定義され、
前記サブフレームのシーケンスが、ポート数の昇順、またはポート数の降順、または最大のポート数、最小のポート数、2番目に大きいポート数、2番目に小さいポート数、...のシーケンスである、請求項13から16のいずれか一項に記載の方法。
【請求項１８】
前記基地局により通知される、前記X1ポートの基準信号リソースマッピング図、前記X2ポートの基準信号リソースマッピング図、...、および前記Xiポートの基準信号リソースマッピング図の各々の構成情報を前記UEによって受信するステップ、または、
前記基地局により送信されるジョイント符号化シグナリングを前記UEによって受信するステップであって、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用される、ステップ、または、
前記基地局により通知される、前記X1ポートの基準信号リソースマッピング図の構成情報と、Xjポートの基準信号リソースマッピング図の構成情報および前記X1ポートの基準信号リソースマッピング図の構成情報の間の対応関係とを前記UEによって受信するステップであって、jが1より大きくi以下の整数である、ステップをさらに備え、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項13から16のいずれか一項に記載の方法。
【請求項１９】
前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号が事前に定義され、または、
前記UEが、前記基地局により通知される、前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号を受信し、または、
前記UEが、前記基地局により通知される、前記X1ポートの基準信号リソースマッピング図を搬送するサブフレームの番号と、Xjポートの基準信号リソースマッピング図を搬送するサブフレームおよび前記X1ポートの基準信号リソースマッピング図を搬送するサブフレームの間のサブフレーム間隔とを受信し、jが1より大きくi以下の整数である、請求項13から17のいずれか一項に記載の方法。
【請求項２０】
Xtポートの基準信号リソースマッピング図および前記Xjポートの基準信号リソースマッピング図が異なるサブフレームの中にあり、tが1以上かつi以下の整数であり、tがjに等しくない場合、
前記Xtポートの基準信号リソースマッピング図および前記Xjポートの基準信号リソースマッピング図が、各PRB pairの中にL個の同じ相対的な時間-周波数リソース位置を有し、LがXi、Xjの中で最小の値であり、または、
各PRB pairの中での前記Xtポートの基準信号リソースマッピング図および前記Xjポートの基準信号リソースマッピング図の時間-周波数リソース位置が異なる、請求項14に記載の方法。
【請求項２１】
前記X1ポートの基準信号リソースマッピング図、前記X2ポートの基準信号リソースマッピング図、...、および前記Xiポートの基準信号リソースマッピング図の時間-周波数リソース位置の中に、Q個の同じ相対的な時間-周波数リソース位置があり、前記相対的な時間-周波数リソース位置が、各PRB pairの中での基準信号リソースマッピング図の時間-周波数リソース位置である、請求項14に記載の方法。
【請求項２２】
QがX1、X2、...、Xiの中で最小の値である、請求項21に記載の方法。
【請求項２３】
前記X1ポートの基準信号リソースマッピング図、前記X2ポートの基準信号リソースマッピング図、...、および前記Xiポートの基準信号リソースマッピング図の時間-周波数リソース位置の中にQ個の同じサブキャリアがあり、Qが1より大きい整数である、請求項14に記載の方法。
【請求項２４】
前記Q個の同じサブキャリアがLポートの基準信号リソースマッピング図によって占有されるサブキャリアであり、LがX1、X2、...、Xiの中で最小の値である、請求項23に記載の方法。
【請求項２５】
前記X1ポートの基準信号リソースマッピング図、前記X2ポートの基準信号リソースマッピング図、...、および前記Xiポートの基準信号リソースマッピング図の時間-周波数リソース位置に対応するサブキャリアが異なる、請求項14に記載の方法。
【請求項２６】
前記X1ポートの基準信号リソースマッピング図、前記X2ポートの基準信号リソースマッピング図、...、および前記Xiポートの基準信号リソースマッピング図の時間-周波数リソース位置によって占有される直交周波数分割多重OFDMシンボルが同じである、請求項14に記載の方法。
【請求項２７】
前記Q個の同じ時間-周波数リソース位置が、前記Xjポートの基準信号リソースマッピング図の中の第0のポートから第(Q-1)のポートに対応する時間-周波数リソース位置であり、XjがX1、X2、...、Xiの中で最小の値である、請求項21に記載の方法。
【請求項２８】
Xが3であり、Yが4であり、K2=K1=10である場合、前記第2の基準信号リソースマッピング図の時間-周波数リソース位置が(k, l)であり、kがリソース要素REのサブキャリア番号であり、lが前記REに対応するシンボルであり、
【数３】
2018516481.tif 000285
であり、pがポート番号であり、前記第2の基準信号リソースマッピング図の第1の構成において、
【数４】
2018516481.tif 000286
、第2の構成において、
【数５】
2018516481.tif 000287
、第10の構成において、
【数６】
2018516481.tif 000288
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項3に記載の方法。
【請求項２９】
K1=10であり、K2=4*10/3である場合、(k, l)以外の前記第2の基準信号リソースマッピング図の時間-周波数リソース位置が、
【数７】
2018516481.tif 000289
、または
【数８】
2018516481.tif 000290
、または
【数９】
2018516481.tif 000291
であり、
【数１０】
2018516481.tif 000292
である、請求項28に記載の方法。
【請求項３０】
Xが5であり、Yが8であり、K2=K1=5である場合、前記第2の基準信号リソースマッピング図の時間-周波数リソース位置が(k, l)であり、kが前記REのサブキャリア番号であり、lが前記REに対応するシンボルであり、
【数１１】
2018516481.tif 000293
であり、pがポート番号であり、前記第2の基準信号リソースマッピング図の第1の構成において、
【数１２】
2018516481.tif 000294
、第2の構成において、
【数１３】
2018516481.tif 000295
、第5の構成において、
【数１４】
2018516481.tif 000296
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項3に記載の方法。
【請求項３１】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数１５】
2018516481.tif 000297
であり、(k', l')=(9, 5)であり、前記第0のポートから前記第7のポートがns mod2=0に対応し、前記第8のポートから前記第11のポートがns mod2=1に対応し、前記CPが、normal CPであり、周波数分割多重FDDおよび時分割多重TDDをサポートし、または、
【数１６】
2018516481.tif 000298
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、または、
【数１７】
2018516481.tif 000299
であり、(k', l')=(9, 5)であり、前記第0のポートから前記第11のポートがns mod2=1に対応し、前記CPが、normal CPであり、FDDおよびTDDをサポートし、または、
【数１８】
2018516481.tif 000300
であり、(k', l')=(9, 5)であり、前記第0のポートから前記第11のポートがns mod2=1に対応し、前記CPが、normal CPであり、FDDおよびTDDをサポートし、または、
【数１９】
2018516481.tif 000301
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、または、
【数２０】
2018516481.tif 000302
であり、(k', l')=(11, 1)であり、前記第0のポートから前記第11のポートがns mod2=1に対応し、前記CPが、normal CPであり、TDDだけをサポートし、または、
【数２１】
2018516481.tif 000303
であり、(k', l')=(7, 1)であり、前記第0のポートから前記第11のポートがns mod2=1に対応し、前記CPが、normal CPであり、TDDだけをサポートし、または、
【数２２】
2018516481.tif 000304
であり、(k', l')=(11, 4)であり、前記第0のポートから前記第11のポートがns mod2=0に対応し、前記CPが、extended CPであり、FDDおよびTDDをサポートし、または、
【数２３】
2018516481.tif 000305
であり、(k', l')=(9, 4)であり、前記第0のポートから前記第11のポートがns mod2=0に対応し、前記CPが、extended CPであり、FDDおよびTDDをサポートし、または、
【数２４】
2018516481.tif 000306
であり、(k', l')=(10, 4)であり、前記第0のポートから前記第11のポートがns mod2=1に対応し、前記CPが、extended CPであり、FDDおよびTDDをサポートし、または、
【数２５】
2018516481.tif 000307
であり、(k', l')=(11, 1)であり、前記第0のポートから前記第11のポートがns mod2=1に対応し、前記CPが、extended CPであり、TDDだけをサポートし、または、
【数２６】
2018516481.tif 000308
であり、(k', l')=(10, 1)であり、前記第0のポートから前記第11のポートがns mod2=1に対応し、前記CPが、extended CPであり、TDDだけをサポートし、または、
【数２７】
2018516481.tif 000309
であり、(k', l')=(11, 2)であり、前記第0のポートから前記第11のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数２８】
2018516481.tif 000310
を満たす、請求項14に記載の方法。
【請求項３２】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数２９】
2018516481.tif 000311
であり、(k', l')=(11, 2)であり、前記第0のポートから前記第15のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数３０】
2018516481.tif 000312
を満たす、請求項14に記載の方法。
【請求項３３】
シグナリングを使用することによって前記基地局により通知される、前記第2の基準信号リソースマッピング図の構成インデックスを受信し、前記第2の基準信号リソースマッピング図の構成インデックスに従って、前記第2の基準信号リソースマッピング図に対応する時間-周波数リソース位置を決定するステップをさらに備える、請求項1から32のいずれか一項に記載の方法。
【請求項３４】
前記第2の基準信号リソースマッピング図が異なるポート数の少なくとも2つの第1の基準信号リソースマッピング図を備える場合、前記基地局により別々に通知される、前記第2の基準信号リソースマッピング図に備えられる各々の第1の基準信号リソースマッピング図の構成情報が受信され、前記第2の基準信号リソースマッピング図が、異なるポート数の前記少なくとも2つの第1の基準信号リソースマッピング図に従って取得される、請求項1から32のいずれか一項に記載の方法。
【請求項３５】
同一のポート数の前記第2の基準信号リソースマッピング図のすべての構成において、リソースマッピング図が重複するリソースを有している2つの構成がある、請求項34に記載の方法。
【請求項３６】
前記基地局により通知される前記受信される、前記第2の基準信号リソースマッピング図に備えられる各々の第1の基準信号リソースマッピング図の前記受信された構成情報に対応するリソースマッピング図の範囲が、すべての第1の基準信号リソースマッピング図の集合である、請求項34に記載の方法。
【請求項３７】
前記基地局により通知される、前記第2の基準信号リソースマッピング図に備えられる各々の第1の基準信号リソースマッピング図の前記受信された構成情報に対応するリソースマッピング図の範囲が、すべての第1の基準信号リソースマッピング図の集合の部分集合である、請求項34に記載の方法。
【請求項３８】
前記基地局により通知される、ポート数がX1である第2の基準信号リソースマッピング図のインデックスが受信され、ポート数がX2である第2の基準信号リソースマッピング図が、事前に設定される規則に従って取得され、X1およびX2が等しくない整数であり、X1がX2より大きい、請求項1から32のいずれか一項に記載の方法。
【請求項３９】
前記事前に設定される規則が、X1個のポートの中の第Mのポートから第(M+X2-1)のポートに対応するリソースが、ポート数がX2である前記第2の基準信号のリソースマッピング図であり、Mが0以上かつX1-X2-1以下の整数である、ことである、請求項38に記載の方法。
【請求項４０】
前記基地局により通知される、前記UEの、ポート数がX1である第1の基準信号のリソースマッピング図のインデックスとポート数がX2である第1の基準信号のリソースマッピング図のインデックスとが受信され、ポート数がX1-X2である第2の基準信号のリソースマッピング図が、前述の情報に従って決定され、X1がX2より大きい整数である、請求項1から32のいずれか一項に記載の方法。
【請求項４１】
ポート数がX1である前記第1の基準信号が0ではない電力基準信号であり、ポート数がX2である前記第1の基準信号が0の電力基準信号である、請求項40に記載の方法。
【請求項４２】
ポート数がXである第2の基準信号のマッピング図が、ポート数がX1である第1の基準信号のリソースマッピング図と、ポート数がX2である第1の基準信号のリソースマッピング図とを備える場合、前記X1ポートの第1の基準信号リソースマッピング図および前記X2ポートの第1の基準信号リソースマッピング図が、PRB pairの中の異なるOFDMシンボルペアを占有し、前記X1ポートの第1の基準信号リソースマッピング図が、ポート数がXである前記第2の基準信号の中の第0のポートから第(X1-1)のポートによって占有されるリソースに対応し、前記X2ポートの第1の基準信号リソースマッピング図が、ポート数がXである前記第2の基準信号の中の第X1のポートから第(X-1)のポートによって占有されるリソースに対応し、ポート数がXである前記第2の基準信号に対して、あるPRB pairの中の第0のポートから第(X1-1)のポートおよび第X1のポートから第(X-1)のポートのOFDMシンボルペアの位置が、隣接するPRB pairの中の第0のポートから第(X1-1)のポートおよび第X1のポートから第(X1-1)のポートのOFDMシンボルペアの位置とそれぞれ交換可能であり、X=X1+X2であり、X、X1、およびX2が正の整数である、請求項1に記載の方法。
【請求項４３】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数３１】
2018516481.tif 000313
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、
【数３２】
2018516481.tif 000314
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数３３】
2018516481.tif 000315
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、かつ、
【数３４】
2018516481.tif 000316
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、または、
【数３５】
2018516481.tif 000317
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、かつ、
【数３６】
2018516481.tif 000318
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数３７】
2018516481.tif 000319
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数３８】
2018516481.tif 000320
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数３９】
2018516481.tif 000321
を満たす、請求項42に記載の方法。
【請求項４４】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数４０】
2018516481.tif 000322
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=0であり、XがPRB pairの数であり、かつ、
【数４１】
2018516481.tif 000323
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=1であり、または、
【数４２】
2018516481.tif 000324
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=1であり、XがPRB pairの数であり、かつ、
【数４３】
2018516481.tif 000325
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=0であり、または、
【数４４】
2018516481.tif 000326
であり、(k', l')=(9, 5)であり、前記第0のポートから前記第15のポートがns mod2=1に対応し、前記CPが、normal CPであり、FDDおよびTDDをサポートし、PRB pair Xmod2=0であり、XがPRB pairの数であり、かつ、
【数４５】
2018516481.tif 000327
であり、(k', l')=(9, 2)であり、前記第0のポートから前記第15のポートがns mod2=1に対応し、前記CPが、normal CPであり、FDDおよびTDDをサポートし、PRB pair Xmod2=1であり、または、
【数４６】
2018516481.tif 000328
であり、(k', l')=(9, 5)であり、前記第0のポートから前記第15のポートがns mod2=1に対応し、前記CPが、normal CPであり、FDDおよびTDDをサポートし、PRB pair Xmod2=1であり、XがPRB pairの数であり、
【数４７】
2018516481.tif 000329
であり、(k', l')=(9, 2)であり、前記第0のポートから前記第15のポートがns mod2=1に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数４８】
2018516481.tif 000330
を満たす、請求項42に記載の方法。
【請求項４５】
基地局によって、基準信号リソースマッピング図を構成設定するステップと、
前記基地局によって、前記基準信号リソースマッピング図をユーザ機器UEに送信するステップと、
前記基地局によって、前記UEによりフィードバックされたチャネル状態情報を受信するステップと、を備え、
前記基準信号リソースマッピング図が、基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、チャネル測定方法。
【請求項４６】
Xが8より大きいとき、Xが2nを満たさず、nが0以上の整数である、請求項45に記載の方法。
【請求項４７】
前記相関関係が、前記K2個の第2の基準信号リソースマッピング図のうちのいずれか1つのY個のポートの中のX個の連続するポートの時間-周波数リソースおよび符号リソースが、前記K1個の第1の基準信号リソースマッピング図のうちのいずれか1つのY個のポートの中のX個の連続するポートの時間-周波数リソースおよび符号リソースと同じである、ことであり、YがXより大きい整数の中でXに最も近く2nを満たす整数であり、前記符号リソースが直交拡散符号または基準信号のシーケンスである、請求項45または46に記載の方法。
【請求項４８】
前記X個の連続するポートが前記Y個のポートの中の第0のポートから第(X-1)のポートであり、または前記X個の連続するポートが前記Y個のポートの中の第(Y-X)のポートから第(Y-1)のポートである、請求項47に記載の方法。
【請求項４９】
K2=K1であり、または、
【数４９】
2018516481.tif 000331
であり、
【数５０】
2018516481.tif 000332
が切り捨てを表す、請求項47または48に記載の方法。
【請求項５０】
前記K2個の第2の基準信号リソースマッピング図のうちの少なくとも1つが、前記第1の基準信号リソースマッピング図のうちの少なくとも2つの時間-周波数リソースを備える、請求項45から49のいずれか一項に記載の方法。
【請求項５１】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項50に記載の方法。
【請求項５２】
前記H個のポートが、前記第1の基準信号リソースマッピング図の中の第0のポートから第(H-1)のポートであり、または第(Y-H)のポートから第(Y-1)のポートである、請求項51に記載の方法。
【請求項５３】
前記基地局によって、前記第2の基準信号リソースマッピング図を前記UEに送信するステップをさらに備え、
前記Xポートの第2の基準信号リソースマッピング図が、X1ポートの基準信号リソースマッピング図およびX2ポートの基準信号リソースマッピング図を備え、
X1+X2=Xであり、X1とX2の差が2より小さく、前記X1ポートの基準信号リソースマッピング図および前記X2ポートの基準信号リソースマッピング図がm個のサブフレームから前記UEによって取得され、mが1または2であり、
前記X1ポートの基準信号リソースマッピング図が前記第1の基準信号リソースマッピング図であり、かつ前記X2ポートの基準信号リソースマッピング図が前記第2の基準信号リソースマッピング図であり、または、前記X1ポートの基準信号リソースマッピング図と前記X2ポートの基準信号リソースマッピング図の両方が前記第2の基準信号リソースマッピング図である、請求項45または46に記載の方法。
【請求項５４】
Xが8より大きい整数である、請求項52に記載の方法。
【請求項５５】
前記基地局によって、前記X1ポートの基準信号リソースマッピング図および前記X2ポートの基準信号リソースマッピング図を搬送するサブフレームのシーケンスを前記UEに通知するステップをさらに備え、または、
前記X1ポートの基準信号リソースマッピング図および前記X2ポートの基準信号リソースマッピング図を搬送するサブフレームのシーケンスが事前に設定され、
前記シーケンスがポート数の降順またはポート数の昇順である、請求項53または54に記載の方法。
【請求項５６】
前記基地局によって、前記X1ポートの基準信号リソースマッピング図を搬送するサブフレームの番号および前記X2ポートの基準信号リソースマッピング図を搬送するサブフレームの番号を前記UEに通知するステップ、または、
前記基地局によって、前記X1ポートの基準信号リソースマッピング図を搬送するサブフレームの番号と、前記X2ポートの基準信号リソースマッピング図を搬送するサブフレームおよび前記X1ポートの基準信号リソースマッピング図を搬送するサブフレームの間のサブフレーム間隔とを前記UEに通知するステップをさらに備える、請求項53または54に記載の方法。
【請求項５７】
前記基地局によって、前記第2の基準信号リソースマッピング図を前記UEに送信するステップをさらに備え、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項45または46に記載の方法。
【請求項５８】
前記X1ポートの基準信号リソースマッピング図、前記X2ポートの基準信号リソースマッピング図、...、および前記Xiポートの基準信号リソースマッピング図の各々が、前記第1の基準信号リソースマッピング図であり、
X1、X2、...、Xiの各々が8以下であり、X1、X2、...、Xiに対応するnの値が異なる、請求項57に記載の方法。
【請求項５９】
Xが8より大きい整数である、請求項58または57に記載の方法。
【請求項６０】
前記X1ポートの基準信号リソースマッピング図、前記X2ポートの基準信号リソースマッピング図、...、および前記Xiポートの基準信号リソースマッピング図が1つのサブフレームにおいて前記基地局によって送信され、または、前記X1ポートの基準信号リソースマッピング図、前記X2ポートの基準信号リソースマッピング図、...、および前記Xiポートの基準信号リソースマッピング図がi個のサブフレームにおいて前記基地局によって送信される、請求項57から59のいずれか一項に記載の方法。
【請求項６１】
前記基地局によって、前記X1ポートの基準信号リソースマッピング図、前記X2ポートの基準信号リソースマッピング図、...、および前記Xiポートの基準信号リソースマッピング図を搬送するサブフレームのシーケンスを前記UEに通知するステップをさらに備え、または、
前記X1ポートの基準信号リソースマッピング図、前記X2ポートの基準信号リソースマッピング図、...、および前記Xiポートの基準信号リソースマッピング図を搬送するサブフレームのシーケンスが事前に定義され、
前記サブフレームのシーケンスが、ポート数の昇順、またはポート数の降順、または最大のポート数、最小のポート数、2番目に大きいポート数、2番目に小さいポート数、...のシーケンスである、請求項57から60のいずれか一項に記載の方法。
【請求項６２】
前記基地局によって、前記X1ポートの基準信号リソースマッピング図、前記X2ポートの基準信号リソースマッピング図、...、および前記Xiポートの基準信号リソースマッピング図の各々の構成情報を前記UEに通知するステップ、または、
前記基地局によって、ジョイント符号化シグナリングを前記UEに送信するステップであって、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用される、ステップ、または、
前記基地局によって、前記X1ポートの基準信号リソースマッピング図の構成情報と、Xjポートの基準信号リソースマッピング図の構成情報および前記X1ポートの基準信号リソースマッピング図の構成情報の間の対応関係とを前記UEに通知するステップであって、jが1より大きくi以下の整数である、ステップをさらに備え、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項53から55のいずれか一項に記載の方法。
【請求項６３】
前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号が事前に定義され、または、
前記基地局が、前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号を前記UEに通知し、または、
前記基地局が、前記X1ポートの基準信号リソースマッピング図を搬送するサブフレームの番号と、Xjポートの基準信号リソースマッピング図を搬送するサブフレームおよび前記X1ポートの基準信号リソースマッピング図を搬送するサブフレームの間のサブフレーム間隔とを前記UEに通知し、jが1より大きくi以下の整数である、請求項52から56のいずれか一項に記載の方法。
【請求項６４】
Xtポートの基準信号リソースマッピング図および前記Xjポートの基準信号リソースマッピング図が異なるサブフレームの中にあり、tが1以上かつi以下の整数であり、tがjに等しくない場合、
前記Xtポートの基準信号リソースマッピング図および前記Xjポートの基準信号リソースマッピング図が、各PRB pairの中にL個の同じ相対的な時間-周波数リソース位置を有し、LがXi、Xjの中で最小の値であり、または、
各PRB pairの中での前記Xtポートの基準信号リソースマッピング図および前記Xjポートの基準信号リソースマッピング図の時間-周波数リソース位置が異なる、請求項53に記載の方法。
【請求項６５】
前記X1ポートの基準信号リソースマッピング図、前記X2ポートの基準信号リソースマッピング図、...、および前記Xiポートの基準信号リソースマッピング図の時間-周波数リソース位置の中に、Q個の同じ相対的な時間-周波数リソース位置があり、前記相対的な時間-周波数リソース位置が、各PRB pairの中での基準信号リソースマッピング図の時間-周波数リソース位置である、請求項58に記載の方法。
【請求項６６】
QがX1、X2、...、Xiの中で最小の値である、請求項65に記載の方法。
【請求項６７】
前記X1ポートの基準信号リソースマッピング図、前記X2ポートの基準信号リソースマッピング図、...、および前記Xiポートの基準信号リソースマッピング図の時間-周波数リソース位置の中にQ個の同じサブキャリアがあり、Qが1より大きい整数である、請求項58に記載の方法。
【請求項６８】
前記Q個の同じサブキャリアがLポートの基準信号リソースマッピング図によって占有されるサブキャリアであり、LがX1、X2、...、Xiの中で最小の値である、請求項67に記載の方法。
【請求項６９】
前記X1ポートの基準信号リソースマッピング図、前記X2ポートの基準信号リソースマッピング図、...、および前記Xiポートの基準信号リソースマッピング図の時間-周波数リソース位置に対応するサブキャリアが異なる、請求項58に記載の方法。
【請求項７０】
前記X1ポートの基準信号リソースマッピング図、前記X2ポートの基準信号リソースマッピング図、...、および前記Xiポートの基準信号リソースマッピング図の時間-周波数リソース位置によって占有される直交周波数分割多重OFDMシンボルが同じである、請求項58に記載の方法。
【請求項７１】
前記Q個の同じ時間-周波数リソース位置が、前記Xjポートの基準信号リソースマッピング図の中の第0のポートから第(Q-1)のポートに対応する時間-周波数リソース位置であり、XjがX1、X2、...、Xiの中で最小の値である、請求項65に記載の方法。
【請求項７２】
Xが3であり、Yが4であり、K2=K1=10である場合、前記第2の基準信号リソースマッピング図の時間-周波数リソース位置が(k, l)であり、kがリソース要素REのサブキャリア番号であり、lが前記REに対応するシンボルであり、
【数５１】
2018516481.tif 000333
であり、pがポート番号であり、前記第2の基準信号リソースマッピング図の第1の構成において、
【数５２】
2018516481.tif 000334
、第2の構成において、
【数５３】
2018516481.tif 000335
、第10の構成において、
【数５４】
2018516481.tif 000336
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項47に記載の方法。
【請求項７３】
K1=10であり、K2=4*10/3である場合、(k, l)以外の前記第2の基準信号リソースマッピング図の時間-周波数リソース位置が、
【数５５】
2018516481.tif 000337
、または
【数５６】
2018516481.tif 000338
、または
【数５７】
2018516481.tif 000339
であり、
【数５８】
2018516481.tif 000340
である、請求項72に記載の方法。
【請求項７４】
Xが5であり、Yが8であり、K2=K1=5である場合、前記第2の基準信号リソースマッピング図の時間-周波数リソース位置が(k, l)であり、kが前記REのサブキャリア番号であり、lが前記REに対応するシンボルであり、
【数５９】
2018516481.tif 000341
であり、pがポート番号であり、前記第2の基準信号リソースマッピング図の第1の構成において、
【数６０】
2018516481.tif 000342
、第2の構成において、
【数６１】
2018516481.tif 000343
、第5の構成において、
【数６２】
2018516481.tif 000344
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項47に記載の方法。
【請求項７５】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数６３】
2018516481.tif 000345
であり、(k', l')=(9, 5)であり、前記第0のポートから前記第7のポートがns mod2=0に対応し、前記第8のポートから前記第11のポートがns mod2=1に対応し、前記CPが、normal CPであり、周波数分割多重FDDおよび時分割多重TDDをサポートし、または、
【数６４】
2018516481.tif 000346
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、または、
【数６５】
2018516481.tif 000347
であり、(k', l')=(9, 5)であり、前記第0のポートから前記第11のポートがns mod2=1に対応し、前記CPが、normal CPであり、FDDおよびTDDをサポートし、または、
【数６６】
2018516481.tif 000348
であり、(k', l')=(9, 5)であり、前記第0のポートから前記第11のポートがns mod2=1に対応し、前記CPが、normal CPであり、FDDおよびTDDをサポートし、または、
【数６７】
2018516481.tif 000349
であり、(k', l')=(9, 5)であり、前記第0のポートから前記第7のポートがns mod2=0に対応し、第8のポートから第11のポートがns mod2=1に対応し、前記CPが、normal CPであり、FDDおよびTDDをサポートし、または、
【数６８】
2018516481.tif 000350
であり、(k', l')=(11, 1)であり、前記第0のポートから前記第11のポートがns mod2=1に対応し、前記CPが、normal CPであり、TDDだけをサポートし、または、
【数６９】
2018516481.tif 000351
であり、(k', l')=(7, 1)であり、前記第0のポートから前記第11のポートがns mod2=1に対応し、前記CPが、normal CPであり、TDDだけをサポートし、または、
【数７０】
2018516481.tif 000352
であり、(k', l')=(11, 4)であり、前記第0のポートから前記第11のポートがns mod2=0に対応し、前記CPが、extended CPであり、FDDおよびTDDをサポートし、または、
【数７１】
2018516481.tif 000353
であり、(k', l')=(9, 4)であり、前記第0のポートから前記第11のポートがns mod2=0に対応し、前記CPが、extended CPであり、FDDおよびTDDをサポートし、または、
【数７２】
2018516481.tif 000354
であり、(k', l')=(10, 4)であり、前記第0のポートから前記第11のポートがns mod2=1に対応し、前記CPが、extended CPであり、FDDおよびTDDをサポートし、または、
【数７３】
2018516481.tif 000355
であり、(k', l')=(11, 1)であり、前記第0のポートから前記第11のポートがns mod2=1に対応し、前記CPが、extended CPであり、TDDだけをサポートし、または、
【数７４】
2018516481.tif 000356
であり、(k', l')=(10, 1)であり、前記第0のポートから前記第11のポートがns mod2=1に対応し、前記CPが、extended CPであり、TDDだけをサポートし、または、
【数７５】
2018516481.tif 000357
であり、(k', l')=(11, 2)であり、前記第0のポートから前記第11のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数７６】
2018516481.tif 000358
を満たす、請求項58に記載の方法。
【請求項７６】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数７７】
2018516481.tif 000359
であり、(k', l')=(11, 2)であり、前記第0のポートから前記第15のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数７８】
2018516481.tif 000360
を満たす、請求項58に記載の方法。
【請求項７７】
前記基地局によって、シグナリングを使用することにより前記第2の基準信号リソースマッピング図の構成インデックスを前記UEに送信するステップをさらに備え、これにより、前記UEが、前記第2の基準信号リソースマッピング図の構成インデックスに従って、前記第2の基準信号リソースマッピング図に対応する時間-周波数リソース位置を決定する、請求項45から76のいずれか一項に記載の方法。
【請求項７８】
前記第2の基準信号リソースマッピング図が異なるポート数の少なくとも2つの第1の基準信号リソースマッピング図を備える場合、前記基地局が、前記第2の基準信号リソースマッピング図に備えられる各々の第1の基準信号リソースマッピング図の構成情報を通知し、これにより、前記UEが、異なるポート数の前記少なくとも2つの第1の基準信号リソースマッピング図に従って、前記第2の基準信号リソースマッピング図を取得する、請求項45から76のいずれか一項に記載の方法。
【請求項７９】
同一のポート数の前記第2の基準信号リソースマッピング図のすべての構成において、リソースマッピング図が重複するリソースを有している2つの構成がある、請求項78に記載の方法。
【請求項８０】
前記基地局により通知される、前記第2の基準信号リソースマッピング図に備えられる各々の第1の基準信号リソースマッピング図の構成情報に対応するリソースマッピング図の範囲が、すべての第1の基準信号リソースマッピング図の集合である、請求項78に記載の方法。
【請求項８１】
前記基地局により通知される、前記第2の基準信号リソースマッピング図に備えられる各々の第1の基準信号リソースマッピング図の構成情報に対応するリソースマッピング図の範囲が、すべての第1の基準信号リソースマッピング図の集合の部分集合である、請求項78に記載の方法。
【請求項８２】
前記基地局が、ポート数がX1である第2の基準信号のリソースマッピング図のインデックスを通知し、これにより、前記UEが、事前に設定される規則に従って、ポート数がX2である第2の基準信号のリソースマッピング図を取得し、X1およびX2が等しくない整数であり、X1がX2より大きい、請求項45から76のいずれか一項に記載の方法。
【請求項８３】
前記事前に設定される規則が、X1個のポートの中の第Mのポートから第(M+X2-1)のポートに対応するリソースが、ポート数がX2である前記第2の基準信号のリソースマッピング図であり、Mが0以上かつX1-X2-1以下の整数である、ことである、請求項82に記載の方法。
【請求項８４】
前記基地局が、ポート数がX1である第1の基準信号のリソースマッピング図のインデックスと、ポート数がX2である第1の基準信号のリソースマッピング図のインデックスとを前記UEに通知し、これにより、前記UEが、前述の情報に従って、ポート数がX1-X2である第2の基準信号のリソースマッピング図を決定し、X1がX2より大きい整数である、請求項45から76のいずれか一項に記載の方法。
【請求項８５】
ポート数がX1である前記第1の基準信号が0ではない電力基準信号であり、ポート数がX2である前記第1の基準信号が0の電力基準信号である、請求項84に記載の方法。
【請求項８６】
ポート数がXである第2の基準信号のマッピング図が、ポート数がX1である第1の基準信号のリソースマッピング図と、ポート数がX2である第1の基準信号のリソースマッピング図とを備える場合、前記X1ポートの第1の基準信号リソースマッピング図および前記X2ポートの第1の基準信号リソースマッピング図が、PRB pairの中の異なるOFDMシンボルペアを占有し、前記X1ポートの第1の基準信号リソースマッピング図が、ポート数がXである前記第2の基準信号の中の第0のポートから第(X1-1)のポートによって占有されるリソースに対応し、前記X2ポートの第1の基準信号リソースマッピング図が、ポート数がXである前記第2の基準信号の中の第X1のポートから第(X-1)のポートによって占有されるリソースに対応し、ポート数がXである前記第2の基準信号に対して、あるPRB pairの中の第0のポートから第(X1-1)のポートおよび第X1のポートから第(X-1)のポートのOFDMシンボルペアの位置が、隣接するPRB pairの中の第0のポートから第(X1-1)のポートおよび第X1のポートから第(X1-1)のポートのOFDMシンボルペアの位置とそれぞれ交換可能であり、X=X1+X2であり、X、X1、およびX2が正の整数である、請求項45に記載の方法。
【請求項８７】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数７９】
2018516481.tif 000361
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、
【数８０】
2018516481.tif 000362
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数８１】
2018516481.tif 000363
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数８２】
2018516481.tif 000364
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、または、
【数８３】
2018516481.tif 000365
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、かつ、
【数８４】
2018516481.tif 000366
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数８５】
2018516481.tif 000367
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数８６】
2018516481.tif 000368
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数８７】
2018516481.tif 000369
を満たす、請求項86に記載の方法。
【請求項８８】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数８８】
2018516481.tif 000370
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=0であり、XがPRB pairの数であり、かつ、
【数８９】
2018516481.tif 000371
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=1であり、または、
【数９０】
2018516481.tif 000372
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=1であり、XがPRB pairの数であり、かつ、
【数９１】
2018516481.tif 000373
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=0であり、または、
【数９２】
2018516481.tif 000374
であり、(k', l')=(9, 5)であり、前記第0のポートから前記第15のポートがns mod2=1に対応し、前記CPが、normal CPであり、FDDおよびTDDをサポートし、PRB pair Xmod2=0であり、XがPRB pairの数であり、かつ、
【数９３】
2018516481.tif 000375
であり、(k', l')=(9, 2)であり、前記第0のポートから前記第15のポートがns mod2=1に対応し、前記CPが、normal CPであり、FDDおよびTDDをサポートし、PRB pair Xmod2=1であり、または、
【数９４】
2018516481.tif 000376
であり、(k', l')=(9, 5)であり、前記第0のポートから前記第15のポートがns mod2=1に対応し、前記CPが、normal CPであり、FDDおよびTDDをサポートし、PRB pair Xmod2=1であり、XがPRB pairの数であり、
【数９５】
2018516481.tif 000377
であり、(k', l')=(9, 2)であり、前記第0のポートから前記第15のポートがns mod2=1に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数９６】
2018516481.tif 000378
を満たす、請求項86に記載の方法。
【請求項８９】
基準信号リソースマッピング図を取得し、前記基準信号リソースマッピング図に従って基準信号を取得するように構成された取得ユニットと、
前記取得ユニットによって取得された基準信号に従ってチャネル測定を実行し、チャネル状態情報を決定し、前記チャネル状態情報を基地局にフィードバックするように構成された決定およびフィードバックユニットと、を備え、
前記基準信号リソースマッピング図が、前記基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、ユーザ機器UE。
【請求項９０】
Xが8より大きいとき、Xが2nを満たさず、nが0以上の整数である、請求項89に記載のUE。
【請求項９１】
Xが8より小さく2nを満たさないとき、前記取得ユニットが前記第2の基準信号リソースマッピング図を取得するようにさらに構成され、
前記相関関係が、前記K2個の第2の基準信号リソースマッピング図のうちのいずれか1つのY個のポートの中のX個の連続するポートの時間-周波数リソースおよび符号リソースが、前記K1個の第1の基準信号リソースマッピング図のうちのいずれか1つのY個のポートの中のX個の連続するポートの時間-周波数リソースおよび符号リソースと同じである、ことであり、YがXより大きい整数の中でXに最も近く2nを満たす整数であり、前記符号リソースが直交拡散符号または基準信号のシーケンスである、請求項89または90に記載のUE。
【請求項９２】
前記X個の連続するポートが前記Y個のポートの中の第0のポートから第(X-1)のポートであり、または前記X個の連続するポートが前記Y個のポートの中の第(Y-X)のポートから第(Y-1)のポートである、請求項91に記載のUE。
【請求項９３】
K2=K1であり、または、
【数９７】
2018516481.tif 000379
であり、
【数９８】
2018516481.tif 000380
が切り捨てを表す、請求項91または92に記載のUE。
【請求項９４】
前記K2個の第2の基準信号リソースマッピング図のうちの少なくとも1つが、前記第1の基準信号リソースマッピング図のうちの少なくとも2つの時間-周波数リソースを備える、請求項89から93のいずれか一項に記載のUE。
【請求項９５】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項94に記載のUE。
【請求項９６】
前記H個のポートが、前記第1の基準信号リソースマッピング図の中の第0のポートから第(H-1)のポートであり、または第(Y-H)のポートから第(Y-1)のポートである、請求項95に記載のUE。
【請求項９７】
前記取得ユニットが、前記第2の基準信号リソースマッピング図を取得するようにさらに構成され、
前記Xポートの第2の基準信号リソースマッピング図が、X1ポートの基準信号リソースマッピング図およびX2ポートの基準信号リソースマッピング図を備え、
X1+X2=Xであり、X1とX2の差が2より小さく、前記X1ポートの基準信号リソースマッピング図および前記X2ポートの基準信号リソースマッピング図がm個のサブフレームから前記UEによって取得され、mが1または2であり、
前記X1ポートの基準信号リソースマッピング図が前記第1の基準信号リソースマッピング図であり、かつ前記X2ポートの基準信号リソースマッピング図が前記第2の基準信号リソースマッピング図であり、または、前記X1ポートの基準信号リソースマッピング図と前記X2ポートの基準信号リソースマッピング図の両方が前記第2の基準信号リソースマッピング図である、請求項89に記載のUE。
【請求項９８】
Xが8より大きい整数である、請求項96に記載のUE。
【請求項９９】
前記基地局により通知される、前記X1ポートの基準信号リソースマッピング図および前記X2ポートの基準信号リソースマッピング図を搬送するサブフレームのシーケンスを受信するように構成された受信ユニットをさらに備え、または、
前記X1ポートの基準信号リソースマッピング図および前記X2ポートの基準信号リソースマッピング図を搬送するサブフレームのシーケンスが事前に設定され、前記シーケンスがポート数の降順またはポート数の昇順である、請求項97または98に記載のUE。
【請求項１００】
前記基地局により通知される、前記X1ポートの基準信号リソースマッピング図を搬送するサブフレームの番号と前記X2ポートの基準信号リソースマッピング図を搬送するサブフレームの番号とを受信するように構成された受信ユニット、または、
前記基地局により通知される、前記X1ポートの基準信号リソースマッピング図を搬送するサブフレームの番号と、前記X2ポートの基準信号リソースマッピング図を搬送するサブフレームおよび前記X1ポートの基準信号リソースマッピング図を搬送するサブフレームの間のサブフレーム間隔とを受信するように構成された受信ユニットをさらに備える、請求項97または98に記載のUE。
【請求項１０１】
前記取得ユニットが、前記第2の基準信号リソースマッピング図を取得するようにさらに構成され、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項88または89に記載のUE。
【請求項１０２】
前記X1ポートの基準信号リソースマッピング図、前記X2ポートの基準信号リソースマッピング図、...、および前記Xiポートの基準信号リソースマッピング図の各々が、前記第1の基準信号リソースマッピング図であり、
X1、X2、...、Xiの各々が8以下であり、X1、X2、...、Xiに対応するnの値が異なる、請求項100に記載のUE。
【請求項１０３】
Xが8より大きい整数である、請求項100から102のいずれか一項に記載のUE。
【請求項１０４】
前記X1ポートの基準信号リソースマッピング図、前記X2ポートの基準信号リソースマッピング図、...、および前記Xiポートの基準信号リソースマッピング図が1つのサブフレームから前記UEによって取得され、または、前記X1ポートの基準信号リソースマッピング図、前記X2ポートの基準信号リソースマッピング図、...、および前記Xiポートの基準信号リソースマッピング図がi個のサブフレームから前記UEによって取得される、請求項100から103のいずれか一項に記載のUE。
【請求項１０５】
前記受信ユニットが、前記基地局により通知される、前記X1ポートの基準信号リソースマッピング図、前記X2ポートの基準信号リソースマッピング図、...、および前記Xiポートの基準信号リソースマッピング図を搬送するサブフレームのシーケンスを受信するように構成され、または、
前記X1ポートの基準信号リソースマッピング図、前記X2ポートの基準信号リソースマッピング図、...、および前記Xiポートの基準信号リソースマッピング図を搬送するサブフレームのシーケンスが事前に定義され、
前記サブフレームのシーケンスが、ポート数の昇順、またはポート数の降順、または最大のポート数、最小のポート数、2番目に大きいポート数、2番目に小さいポート数、...のシーケンスである、請求項100から103のいずれか一項に記載のUE。
【請求項１０６】
前記受信ユニットが、前記基地局により通知される、前記X1ポートの基準信号リソースマッピング図、前記X2ポートの基準信号リソースマッピング図、...、および前記Xiポートの基準信号リソースマッピング図の各々の構成情報を受信するようにさらに構成され、または、
前記受信ユニットが、前記基地局により送信されるジョイント符号化シグナリングを受信するようにさらに構成され、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用され、または、
前記受信ユニットが、前記基地局により通知される、前記X1ポートの基準信号リソースマッピング図の構成情報と、Xjポートの基準信号リソースマッピング図の構成情報および前記X1ポートの基準信号リソースマッピング図の構成情報の間の対応関係とを受信するようにさらに構成され、jが1より大きくi以下の整数であり、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項100から103のいずれか一項に記載のUE。
【請求項１０７】
前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号が事前に定義され、または、
前記受信ユニットが、前記基地局により通知される、前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号を受信するようにさらに構成され、または、
前記受信ユニットが、前記基地局により通知される、前記X1ポートの基準信号リソースマッピング図を搬送するサブフレームの番号と、Xjポートの基準信号リソースマッピング図を搬送するサブフレームおよび前記X1ポートの基準信号リソースマッピング図を搬送するサブフレームの間のサブフレーム間隔とを受信するようにさらに構成され、jが1より大きくi以下の整数である、請求項101から105のいずれか一項に記載のUE。
【請求項１０８】
Xtポートの基準信号リソースマッピング図および前記Xjポートの基準信号リソースマッピング図が異なるサブフレームの中にあり、tが1以上かつi以下の整数であり、tがjに等しくない場合、
前記Xtポートの基準信号リソースマッピング図および前記Xjポートの基準信号リソースマッピング図が、各PRB pairの中にL個の同じ相対的な時間-周波数リソース位置を有し、LがXi、Xjの中で最小の値であり、または、
各PRB pairの中での前記Xtポートの基準信号リソースマッピング図および前記Xjポートの基準信号リソースマッピング図の時間-周波数リソース位置が異なる、請求項102に記載のUE。
【請求項１０９】
前記X1ポートの基準信号リソースマッピング図、前記X2ポートの基準信号リソースマッピング図、...、および前記Xiポートの基準信号リソースマッピング図の時間-周波数リソース位置の中に、Q個の同じ相対的な時間-周波数リソース位置があり、前記相対的な時間-周波数リソース位置が、各PRB pairの中での基準信号リソースマッピング図の時間-周波数リソース位置である、請求項102に記載のUE。
【請求項１１０】
QがX1、X2、...、Xiの中で最小の値である、請求項109に記載のUE。
【請求項１１１】
前記X1ポートの基準信号リソースマッピング図、前記X2ポートの基準信号リソースマッピング図、...、および前記Xiポートの基準信号リソースマッピング図の時間-周波数リソース位置の中にQ個の同じサブキャリアがあり、Qが1より大きい整数である、請求項102に記載の方法。
【請求項１１２】
前記Q個の同じサブキャリアがLポートの基準信号リソースマッピング図によって占有されるサブキャリアであり、LがX1、X2、...、Xiの中で最小の値である、請求項111に記載のUE。
【請求項１１３】
前記X1ポートの基準信号リソースマッピング図、前記X2ポートの基準信号リソースマッピング図、...、および前記Xiポートの基準信号リソースマッピング図の時間-周波数リソース位置に対応するサブキャリアが異なる、請求項102に記載のUE。
【請求項１１４】
前記X1ポートの基準信号リソースマッピング図、前記X2ポートの基準信号リソースマッピング図、...、および前記Xiポートの基準信号リソースマッピング図の時間-周波数リソース位置によって占有される直交周波数分割多重OFDMシンボルが同じである、請求項102に記載の方法。
【請求項１１５】
前記Q個の同じ時間-周波数リソース位置が、前記Xjポートの基準信号リソースマッピング図の中の第0のポートから第(Q-1)のポートに対応する時間-周波数リソース位置であり、XjがX1、X2、...、Xiの中で最小の値である、請求項109に記載のUE。
【請求項１１６】
Xが3であり、Yが4であり、K2=K1=10である場合、前記第2の基準信号リソースマッピング図の時間-周波数リソース位置が(k, l)であり、kがリソース要素REのサブキャリア番号であり、lが前記REに対応するシンボルであり、
【数９９】
2018516481.tif 000381
であり、前記第2の基準信号リソースマッピング図の第1の構成において、
【数１００】
2018516481.tif 000382
、第2の構成において、
【数１０１】
2018516481.tif 000383
、第10の構成において、
【数１０２】
2018516481.tif 000384
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項90に記載のUE。
【請求項１１７】
K1=10であり、K2=4*10/3である場合、(k, l)以外の前記第2の基準信号リソースマッピング図の時間-周波数リソース位置が、
【数１０３】
2018516481.tif 000385
、または
【数１０４】
2018516481.tif 000386
、または
【数１０５】
2018516481.tif 000387
であり、
【数１０６】
2018516481.tif 000388
である、請求項116に記載のUE。
【請求項１１８】
Xが5であり、Yが8であり、K2=K1=5である場合、前記第2の基準信号リソースマッピング図の時間-周波数リソース位置が(k, l)であり、kが前記REのサブキャリア番号であり、lが前記REに対応するシンボルであり、
【数１０７】
2018516481.tif 000389
であり、前記第2の基準信号リソースマッピング図の第1の構成において、
【数１０８】
2018516481.tif 000390
、第2の構成において、
【数１０９】
2018516481.tif 000391
、第5の構成において、
【数１１０】
2018516481.tif 000392
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項90に記載のUE。
【請求項１１９】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数１１１】
2018516481.tif 000393
であり、(k', l')=(9, 5)であり、前記第0のポートから前記第7のポートがns mod2=0に対応し、前記第8のポートから前記第11のポートがns mod2=1に対応し、前記CPが、normal CPであり、周波数分割多重FDDおよび時分割多重TDDをサポートし、または、
【数１１２】
2018516481.tif 000394
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、または、
【数１１３】
2018516481.tif 000395
であり、(k', l')=(9, 5)であり、前記第0のポートから前記第11のポートがns mod2=1に対応し、前記CPが、normal CPであり、FDDおよびTDDをサポートし、または、
【数１１４】
2018516481.tif 000396
であり、(k', l')=(9, 5)であり、前記第0のポートから前記第11のポートがns mod2=1に対応し、前記CPが、normal CPであり、FDDおよびTDDをサポートし、または、
【数１１５】
2018516481.tif 000397
であり、(k', l')=(9, 5)であり、前記第0のポートから前記第7のポートがns mod2=0に対応し、第8のポートから第11のポートがns mod2=1に対応し、前記CPが、normal CPであり、FDDおよびTDDをサポートし、または、
【数１１６】
2018516481.tif 000398
であり、(k', l')=(11, 1)であり、前記第0のポートから前記第11のポートがns mod2=1に対応し、前記CPが、normal CPであり、TDDだけをサポートし、または、
【数１１７】
2018516481.tif 000399
であり、(k', l')=(7, 1)であり、前記第0のポートから前記第11のポートがns mod2=1に対応し、前記CPが、normal CPであり、TDDだけをサポートし、または、
【数１１８】
2018516481.tif 000400
であり、(k', l')=(11, 4)であり、前記第0のポートから前記第11のポートがns mod2=0に対応し、前記CPが、extended CPであり、FDDおよびTDDをサポートし、または、
【数１１９】
2018516481.tif 000401
であり、(k', l')=(9, 4)であり、前記第0のポートから前記第11のポートがns mod2=0に対応し、前記CPが、extended CPであり、FDDおよびTDDをサポートし、または、
【数１２０】
2018516481.tif 000402
であり、(k', l')=(10, 4)であり、前記第0のポートから前記第11のポートがns mod2=1に対応し、前記CPが、extended CPであり、FDDおよびTDDをサポートし、または、
【数１２１】
2018516481.tif 000403
であり、(k', l')=(11, 1)であり、前記第0のポートから前記第11のポートがns mod2=1に対応し、前記CPが、extended CPであり、TDDだけをサポートし、または、
【数１２２】
2018516481.tif 000404
であり、(k', l')=(10, 1)であり、前記第0のポートから前記第11のポートがns mod2=1に対応し、前記CPが、extended CPであり、TDDだけをサポートし、または、
【数１２３】
2018516481.tif 000405
であり、(k', l')=(11, 2)であり、前記第0のポートから前記第11のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数１２４】
2018516481.tif 000406
を満たす、請求項102に記載のUE。
【請求項１２０】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数１２５】
2018516481.tif 000407
であり、(k', l')=(11, 2)であり、前記第0のポートから前記第15のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数１２６】
2018516481.tif 000408
を満たす、請求項102に記載のUE。
【請求項１２１】
前記受信ユニットが、前記基地局により送信される、前記第2の基準信号リソースマッピング図の構成インデックスを受信するようにさらに構成され、
前記取得ユニットが、前記第2の基準信号リソースマッピング図の構成インデックスに従って、前記第2の基準信号リソースマッピング図に対応する時間-周波数リソース位置を決定するようにさらに構成された、請求項89から120のいずれか一項に記載のUE。
【請求項１２２】
前記第2の基準信号リソースマッピング図が、異なるポート数の少なくとも2つの第1の基準信号リソースマッピング図を備える場合、
前記受信ユニットが、前記基地局により別々に通知される、前記第2の基準信号リソースマッピング図に備えられる各々の第1の基準信号リソースマッピング図の構成情報を受信するようにさらに構成され、
前記取得ユニットが、異なるポート数の前記少なくとも2つの第1の基準信号リソースマッピング図に従って、前記第2の基準信号リソースマッピング図を取得するようにさらに構成された、請求項89から120のいずれか一項に記載の方法。
【請求項１２３】
同一のポート数の前記第2の基準信号リソースマッピング図のすべての構成において、リソースマッピング図が重複するリソースを有している2つの構成がある、請求項122に記載のUE。
【請求項１２４】
前記基地局により通知される、前記第2の基準信号リソースマッピング図に備えられる各々の第1の基準信号リソースマッピング図の構成情報に対応するリソースマッピング図の範囲が、すべての第1の基準信号リソースマッピング図の集合である、請求項122に記載のUE。
【請求項１２５】
前記基地局により通知される、前記第2の基準信号リソースマッピング図に備えられる各々の第1の基準信号リソースマッピング図の構成情報に対応するリソースマッピング図の範囲が、すべての第1の基準信号リソースマッピング図の集合の部分集合である、請求項122に記載のUE。
【請求項１２６】
前記受信ユニットが、前記基地局により通知される、ポート数がX1である第2の基準信号のリソースマッピング図のインデックスを受信するようにさらに構成され、
前記取得ユニットが、事前に設定される規則に従って、ポート数がX2である前記第2の基準信号のリソースマッピング図を取得するようにさらに構成され、X1およびX2が等しくない整数であり、X1がX2より大きい、請求項89から120のいずれか一項に記載のUE。
【請求項１２７】
前記事前に設定される規則が、X1個のポートの中の第Mのポートから第(M+X2-1)のポートに対応するリソースが、ポート数がX2である前記第2の基準信号のリソースマッピング図であり、Mが0以上かつX1-X2-1以下の整数である、ことである、請求項126に記載のUE。
【請求項１２８】
前記受信ユニットが、前記基地局により通知される、前記UEの、ポート数がX1である第1の基準信号のリソースマッピング図のインデックスと、ポート数がX2である第1の基準信号のリソースマッピング図のインデックスとを受信するようにさらに構成され、
前記取得ユニットが、前述の情報に従って、ポート数がX1-X2である第2の基準信号のリソースマッピング図を決定するようにさらに構成され、X1がX2より大きい整数である、請求項89から120のいずれか一項に記載のUE。
【請求項１２９】
ポート数がX1である前記第1の基準信号が0ではない電力基準信号であり、ポート数がX2である前記第1の基準信号が0の電力基準信号である、請求項128に記載のUE。
【請求項１３０】
ポート数がXである第2の基準信号のマッピング図が、ポート数がX1である第1の基準信号のリソースマッピング図と、ポート数がX2である第1の基準信号のリソースマッピング図とを備える場合、前記X1ポートの第1の基準信号リソースマッピング図および前記X2ポートの第1の基準信号リソースマッピング図が、PRB pairの中の異なるOFDMシンボルペアを占有し、前記X1ポートの第1の基準信号リソースマッピング図が、ポート数がXである前記第2の基準信号の中の第0のポートから第(X1-1)のポートによって占有されるリソースに対応し、前記X2ポートの第1の基準信号リソースマッピング図が、ポート数がXである前記第2の基準信号の中の第X1のポートから第(X-1)のポートによって占有されるリソースに対応し、ポート数がXである前記第2の基準信号に対して、あるPRB pairの中の第0のポートから第(X1-1)のポートおよび第X1のポートから第(X-1)のポートのOFDMシンボルペアの位置が、隣接するPRB pairの中の第0のポートから第(X1-1)のポートおよび第X1のポートから第(X1-1)のポートのOFDMシンボルペアの位置とそれぞれ交換可能であり、X=X1+X2であり、X、X1、およびX2が正の整数である、請求項89から120のいずれか一項に記載のUE。
【請求項１３１】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数１２７】
2018516481.tif 000409
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、
【数１２８】
2018516481.tif 000410
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数１２９】
2018516481.tif 000411
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数１３０】
2018516481.tif 000412
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、または、
【数１３１】
2018516481.tif 000413
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、
【数１３２】
2018516481.tif 000414
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数１３３】
2018516481.tif 000415
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数１３４】
2018516481.tif 000416
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数１３５】
2018516481.tif 000417
を満たす、請求項130に記載のUE。
【請求項１３２】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数１３６】
2018516481.tif 000418
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=0であり、XがPRB pairの数であり、
【数１３７】
2018516481.tif 000419
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=1であり、または、
【数１３８】
2018516481.tif 000420
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=1であり、XがPRB pairの数であり、
【数１３９】
2018516481.tif 000421
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=0であり、または、
【数１４０】
2018516481.tif 000422
であり、(k', l')=(9, 5)であり、前記第0のポートから前記第15のポートがns mod2=1に対応し、前記CPが、normal CPであり、FDDおよびTDDをサポートし、PRB pair Xmod2=0であり、XがPRB pairの数であり、
【数１４１】
2018516481.tif 000423
であり、(k', l')=(9, 2)であり、前記第0のポートから前記第15のポートがns mod2=1に対応し、前記CPが、normal CPであり、FDDおよびTDDをサポートし、PRB pair Xmod2=1であり、または、
【数１４２】
2018516481.tif 000424
であり、(k', l')=(9, 5)であり、前記第0のポートから前記第15のポートがns mod2=1に対応し、前記CPが、normal CPであり、FDDおよびTDDをサポートし、PRB pair Xmod2=1であり、XがPRB pairの数であり、
【数１４３】
2018516481.tif 000425
であり、(k', l')=(9, 2)であり、前記第0のポートから前記第15のポートがns mod2=1に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数１４４】
2018516481.tif 000426
を満たす、請求項130に記載のUE。
【請求項１３３】
基準信号リソースマッピング図を構成設定するように構成された構成設定ユニットと、
前記基準信号リソースマッピング図をユーザ機器UEに送信するように構成された送信ユニットと、
前記UEによりフィードバックされたチャネル状態情報を受信するように構成された受信ユニットと、を備え、
前記基準信号リソースマッピング図が、基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、基地局。
【請求項１３４】
Xが8より大きいとき、Xが2nを満たさず、nが0以上の整数である、請求項133に記載の方法。
【請求項１３５】
前記相関関係が、前記K2個の第2の基準信号リソースマッピング図のうちのいずれか1つのY個のポートの中のX個の連続するポートの時間-周波数リソースおよび符号リソースが、前記K1個の第1の基準信号リソースマッピング図のうちのいずれか1つのY個のポートの中のX個の連続するポートの時間-周波数リソースおよび符号リソースと同じである、ことであり、YがXより大きい整数の中でXに最も近く2nを満たす整数であり、前記符号リソースが直交拡散符号または基準信号のシーケンスである、請求項133または134に記載の基地局。
【請求項１３６】
前記X個の連続するポートが前記Y個のポートの中の第0のポートから第(X-1)のポートであり、または前記X個の連続するポートが前記Y個のポートの中の第(Y-X)のポートから第(Y-1)のポートである、請求項135に記載の基地局。
【請求項１３７】
K2=K1であり、または、
【数１４５】
2018516481.tif 000427
であり、
【数１４６】
2018516481.tif 000428
が切り捨てを表す、請求項135または136に記載の基地局。
【請求項１３８】
前記K2個の第2の基準信号リソースマッピング図のうちの少なくとも1つが、前記第1の基準信号リソースマッピング図のうちの少なくとも2つの時間-周波数リソースを備える、請求項133から137のいずれか一項に記載の基地局。
【請求項１３９】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項138に記載の基地局。
【請求項１４０】
前記H個のポートが、前記第1の基準信号リソースマッピング図の中の第0のポートから第(H-1)のポートであり、または第(Y-H)のポートから第(Y-1)のポートである、請求項139に記載の基地局。
【請求項１４１】
前記送信ユニットが、前記第2の基準信号リソースマッピング図を前記UEに送信するようにさらに構成され、
前記Xポートの第2の基準信号リソースマッピング図が、X1ポートの基準信号リソースマッピング図およびX2ポートの基準信号リソースマッピング図を備え、
X1+X2=Xであり、X1とX2の差が2より小さく、前記X1ポートの基準信号リソースマッピング図および前記X2ポートの基準信号リソースマッピング図がm個のサブフレームから前記UEによって取得され、mが1または2であり、
前記X1ポートの基準信号リソースマッピング図が前記第1の基準信号リソースマッピング図であり、かつ前記X2ポートの基準信号リソースマッピング図が前記第2の基準信号リソースマッピング図であり、または、前記X1ポートの基準信号リソースマッピング図と前記X2ポートの基準信号リソースマッピング図の両方が前記第2の基準信号リソースマッピング図である、請求項133または134に記載の基地局。
【請求項１４２】
Xが8より大きい整数である、請求項141に記載の基地局。
【請求項１４３】
前記送信ユニットが、前記X1ポートの基準信号リソースマッピング図および前記X2ポートの基準信号リソースマッピング図を搬送するサブフレームのシーケンスを前記UEに通知するようにさらに構成され、または、
前記X1ポートの基準信号リソースマッピング図および前記X2ポートの基準信号リソースマッピング図を搬送するサブフレームのシーケンスが事前に設定され、
前記シーケンスがポート数の降順またはポート数の昇順である、請求項141または142に記載の基地局。
【請求項１４４】
前記送信ユニットが、前記X1ポートの基準信号リソースマッピング図を搬送するサブフレームの数および前記X2ポートの基準信号リソースマッピング図を搬送するサブフレームの数を前記UEに通知するようにさらに構成され、または、
前記送信ユニットが、前記X1ポートの基準信号リソースマッピング図を搬送するサブフレームの番号と、前記X2ポートの基準信号リソースマッピング図を搬送するサブフレームおよび前記X1ポートの基準信号リソースマッピング図を搬送するサブフレームの間のサブフレーム間隔とを前記UEに通知するようにさらに構成された、請求項141または142に記載の基地局。
【請求項１４５】
前記送信ユニットが、前記第2の基準信号リソースマッピング図を前記UEに送信するようにさらに構成され、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項133または134に記載の基地局。
【請求項１４６】
前記X1ポートの基準信号リソースマッピング図、前記X2ポートの基準信号リソースマッピング図、...、および前記Xiポートの基準信号リソースマッピング図の各々が、前記第1の基準信号リソースマッピング図であり、
X1、X2、...、Xiの各々が8以下であり、X1、X2、...、Xiに対応するnの値が異なる、請求項145に記載の方法。
【請求項１４７】
Xが8より大きい整数である、請求項145または146に記載の基地局。
【請求項１４８】
前記X1ポートの基準信号リソースマッピング図、前記X2ポートの基準信号リソースマッピング図、...、および前記Xiポートの基準信号リソースマッピング図が1つのサブフレームにおいて前記基地局によって送信され、または、前記X1ポートの基準信号リソースマッピング図、前記X2ポートの基準信号リソースマッピング図、...、および前記Xiポートの基準信号リソースマッピング図がi個のサブフレームにおいて前記基地局によって送信される、請求項145から147のいずれか一項に記載の基地局。
【請求項１４９】
前記送信ユニットが、前記X1ポートの基準信号リソースマッピング図、前記X2ポートの基準信号リソースマッピング図、...、および前記Xiポートの基準信号リソースマッピング図を搬送するサブフレームのシーケンスを前記UEに通知するようにさらに構成され、または、
前記X1ポートの基準信号リソースマッピング図、前記X2ポートの基準信号リソースマッピング図、...、および前記Xiポートの基準信号リソースマッピング図を搬送するサブフレームのシーケンスが事前に定義され、
前記サブフレームのシーケンスが、ポート数の昇順、またはポート数の降順、または最大のポート数、最小のポート数、2番目に大きいポート数、2番目に小さいポート数、...のシーケンスである、請求項145から148のいずれか一項に記載の基地局。
【請求項１５０】
前記送信ユニットが、前記X1ポートの基準信号リソースマッピング図、前記X2ポートの基準信号リソースマッピング図、...、および前記Xiポートの基準信号リソースマッピング図の各々の構成情報を前記UEに通知するようにさらに構成され、または、
前記送信ユニットが、ジョイント符号化シグナリングを前記UEに送信するようにさらに構成され、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用され、または、
前記送信ユニットが、前記X1ポートの基準信号リソースマッピング図の構成情報と、Xjポートの基準信号リソースマッピング図の構成情報および前記X1ポートの基準信号リソースマッピング図の構成情報の間の対応関係とを前記UEに通知するようにさらに構成され、jが1より大きくi以下の整数であり、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項141から146のいずれか一項に記載の基地局。
【請求項１５１】
前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号が事前に定義され、または、
前記送信ユニットが、前記X1ポートの基準信号リソースマッピング図を搬送するサブフレームの番号、前記X2ポートの基準信号リソースマッピング図を搬送するサブフレームの番号、...、および前記Xiポートの基準信号リソースマッピング図を搬送するサブフレームの番号を前記UEに通知するようにさらに構成され、または、
前記送信ユニットが、前記X1ポートの基準信号リソースマッピング図を搬送するサブフレームの番号と、Xjポートの基準信号リソースマッピング図を搬送するサブフレームおよび前記X1ポートの基準信号リソースマッピング図を搬送するサブフレームの間のサブフレーム間隔とを前記UEに通知するようにさらに構成され、jが1より大きくi以下の整数である、請求項141から144のいずれか一項に記載の基地局。
【請求項１５２】
Xtポートの基準信号リソースマッピング図および前記Xjポートの基準信号リソースマッピング図が異なるサブフレームの中にあり、tが1以上かつi以下の整数であり、tがjに等しくない場合、
前記Xtポートの基準信号リソースマッピング図および前記Xjポートの基準信号リソースマッピング図が、各PRB pairの中にL個の同じ相対的な時間-周波数リソース位置を有し、LがXi、Xjの中で最小の値であり、または、
各PRB pairの中での前記Xtポートの基準信号リソースマッピング図および前記Xjポートの基準信号リソースマッピング図の時間-周波数リソース位置が異なる、請求項141に記載の基地局。
【請求項１５３】
前記X1ポートの基準信号リソースマッピング図、前記X2ポートの基準信号リソースマッピング図、...、および前記Xiポートの基準信号リソースマッピング図の時間-周波数リソース位置の中に、Q個の同じ相対的な時間-周波数リソース位置があり、前記相対的な時間-周波数リソース位置が、各PRB pairの中での基準信号リソースマッピング図の時間-周波数リソース位置である、請求項146に記載の基地局。
【請求項１５４】
QがX1、X2、...、Xiの中で最小の値である、請求項153に記載の基地局。
【請求項１５５】
前記X1ポートの基準信号リソースマッピング図、前記X2ポートの基準信号リソースマッピング図、...、および前記Xiポートの基準信号リソースマッピング図の時間-周波数リソース位置の中にQ個の同じサブキャリアがあり、Qが1より大きい整数である、請求項146に記載の基地局。
【請求項１５６】
前記Q個の同じサブキャリアがLポートの基準信号リソースマッピング図によって占有されるサブキャリアであり、LがX1、X2、...、Xiの中で最小の値である、請求項155に記載の基地局。
【請求項１５７】
前記X1ポートの基準信号リソースマッピング図、前記X2ポートの基準信号リソースマッピング図、...、および前記Xiポートの基準信号リソースマッピング図の時間-周波数リソース位置に対応するサブキャリアが異なる、請求項146に記載の基地局。
【請求項１５８】
前記X1ポートの基準信号リソースマッピング図、前記X2ポートの基準信号リソースマッピング図、...、および前記Xiポートの基準信号リソースマッピング図の時間-周波数リソース位置によって占有される直交周波数分割多重OFDMシンボルが同じである、請求項146に記載の基地局。
【請求項１５９】
前記Q個の重複する時間-周波数リソース位置が、前記Xjポートの基準信号リソースマッピング図の中の第0のポートから第(Q-1)のポートに対応する時間-周波数リソース位置である、請求項158に記載の基地局。
【請求項１６０】
Xが3であり、Yが4であり、K2=K1=10である場合、前記第2の基準信号リソースマッピング図の時間-周波数リソース位置が(k, l)であり、kが前記REのサブキャリア番号であり、lが前記REに対応するシンボルであり、
【数１４７】
2018516481.tif 000429
であり、前記第2の基準信号リソースマッピング図の第1の構成において、
【数１４８】
2018516481.tif 000430
、第2の構成において、
【数１４９】
2018516481.tif 000431
、第10の構成において、
【数１５０】
2018516481.tif 000432
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項135に記載の基地局。
【請求項１６１】
K1=10であり、K2=4*10/3である場合、(k, l)以外の前記第2の基準信号リソースマッピング図の時間-周波数リソース位置が、
【数１５１】
2018516481.tif 000433
、または
【数１５２】
2018516481.tif 000434
、または
【数１５３】
2018516481.tif 000435
であり、
【数１５４】
2018516481.tif 000436
である、請求項160に記載の基地局。
【請求項１６２】
Xが5であり、Yが8であり、K2=K1=5である場合、前記第2の基準信号リソースマッピング図の時間-周波数リソース位置が(k, l)であり、kが前記REのサブキャリア番号であり、lが前記REに対応するシンボルであり、
【数１５５】
2018516481.tif 000437
であり、前記第2の基準信号リソースマッピング図の第1の構成において、
【数１５６】
2018516481.tif 000438
、第2の構成において、
【数１５７】
2018516481.tif 000439
、第5の構成において、
【数１５８】
2018516481.tif 000440
であり、ns mod2=1が、前記時間-周波数リソース位置がサブフレームの第2のスロットの中にあることを表し、ns mod2=0が、前記時間-周波数リソース位置がサブフレームの第1のスロットの中にあることを表す、請求項135に記載の基地局。
【請求項１６３】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数１５９】
2018516481.tif 000441
であり、(k', l')=(9, 5)であり、前記第0のポートから前記第7のポートがns mod2=0に対応し、前記第8のポートから前記第11のポートがns mod2=1に対応し、前記CPが、normal CPであり、周波数分割多重FDDおよび時分割多重TDDをサポートし、または、
【数１６０】
2018516481.tif 000442
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、または、
【数１６１】
2018516481.tif 000443
であり、(k', l')=(9, 5)であり、前記第0のポートから前記第11のポートがns mod2=1に対応し、前記CPが、normal CPであり、FDDおよびTDDをサポートし、または、
【数１６２】
2018516481.tif 000444
であり、(k', l')=(9, 5)であり、前記第0のポートから前記第11のポートがns mod2=1に対応し、前記CPが、normal CPであり、FDDおよびTDDをサポートし、または、
【数１６３】
2018516481.tif 000445
であり、(k', l')=(9, 5)であり、前記第0のポートから前記第7のポートがns mod2=0に対応し、第8のポートから第11のポートがns mod2=1に対応し、前記CPが、normal CPであり、FDDおよびTDDをサポートし、または、
【数１６４】
2018516481.tif 000446
であり、(k', l')=(11, 1)であり、前記第0のポートから前記第11のポートがns mod2=1に対応し、前記CPが、normal CPであり、TDDだけをサポートし、または、
【数１６５】
2018516481.tif 000447
であり、(k', l')=(7, 1)であり、前記第0のポートから前記第11のポートがns mod2=1に対応し、前記CPが、normal CPであり、TDDだけをサポートし、または、
【数１６６】
2018516481.tif 000448
であり、(k', l')=(11, 4)であり、前記第0のポートから前記第11のポートがns mod2=0に対応し、前記CPが、extended CPであり、FDDおよびTDDをサポートし、または、
【数１６７】
2018516481.tif 000449
であり、(k', l')=(9, 4)であり、前記第0のポートから前記第11のポートがns mod2=0に対応し、前記CPが、extended CPであり、FDDおよびTDDをサポートし、または、
【数１６８】
2018516481.tif 000450
であり、(k', l')=(10, 4)であり、前記第0のポートから前記第11のポートがns mod2=1に対応し、前記CPが、extended CPであり、FDDおよびTDDをサポートし、または、
【数１６９】
2018516481.tif 000451
であり、(k', l')=(11, 1)であり、前記第0のポートから前記第11のポートがns mod2=1に対応し、前記CPが、extended CPであり、TDDだけをサポートし、または、
【数１７０】
2018516481.tif 000452
であり、(k', l')=(10, 1)であり、前記第0のポートから前記第11のポートがns mod2=1に対応し、前記CPが、extended CPであり、TDDだけをサポートし、または、
【数１７１】
2018516481.tif 000453
であり、(k', l')=(11, 2)であり、前記第0のポートから前記第11のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数１７２】
2018516481.tif 000454
を満たす、請求項146に記載の基地局。
【請求項１６４】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数１７３】
2018516481.tif 000455
であり、(k', l')=(11, 2)であり、前記第0のポートから前記第15のポートがns mod2=1に対応し、前記CPが、normal CPであり、FDDおよびTDDをサポートし、かつ、
上述の式において、pがポート番号であり、k'が各PRB pairにおけるサブキャリアの番号であり、l'が各スロットにおけるOFDMシンボルの番号であり、拡散率が以下の条件
【数１７４】
2018516481.tif 000456
を満たす、請求項146に記載の基地局。
【請求項１６５】
前記送信ユニットが、シグナリングを使用することにより前記第2の基準信号リソースマッピング図の構成インデックスを前記UEに送信するようにさらに構成され、これにより、前記UEが、前記第2の基準信号リソースマッピング図の構成インデックスに従って、前記第2の基準信号リソースマッピング図に対応する時間-周波数リソース位置を決定する、請求項133から164のいずれか一項に記載の基地局。
【請求項１６６】
前記第2の基準信号リソースマッピング図が異なるポート数の少なくとも2つの第1の基準信号リソースマッピング図を備える場合、前記送信ユニットが、前記第2の基準信号リソースマッピング図に備えられる各々の第1の基準信号リソースマッピング図の構成情報を別々に通知し、これにより、前記UEが、異なるポート数の前記少なくとも2つの第1の基準信号リソースマッピング図に従って、前記第2の基準信号リソースマッピング図を取得する、請求項133から164のいずれか一項に記載の基地局。
【請求項１６７】
同一のポート数の前記第2の基準信号リソースマッピング図のすべての構成において、リソースマッピング図が重複するリソースを有している2つの構成がある、請求項166に記載の基地局。
【請求項１６８】
前記送信ユニットにより通知される、前記第2の基準信号リソースマッピング図に備えられる各々の第1の基準信号リソースマッピング図の構成情報に対応するリソースマッピング図の範囲が、すべての第1の基準信号リソースマッピング図の集合である、請求項165に記載の基地局。
【請求項１６９】
前記送信ユニットにより通知される、前記第2の基準信号リソースマッピング図に備えられる各々の第1の基準信号リソースマッピング図の構成情報に対応するリソースマッピング図の範囲が、すべての第1の基準信号リソースマッピング図の集合の部分集合である、請求項165に記載の基地局。
【請求項１７０】
前記送信ユニットが、ポート数がX1である第2の基準信号のリソースマッピング図のインデックスを通知するようにさらに構成され、これにより、ポート数がX2である第2の基準信号のリソースマッピング図が、事前に設定される規則に従って取得され、X1およびX2が等しくない整数であり、X1がX2より大きい、請求項133から164のいずれか一項に記載の基地局。
【請求項１７１】
前記事前に設定される規則が、X1個のポートの中の第Mのポートから第(M+X2-1)のポートに対応するリソースが、ポート数がX2である前記第2の基準信号のリソースマッピング図であり、Mが0以上かつX1-X2-1以下の整数である、ことである、請求項170に記載の基地局。
【請求項１７２】
前記送信ユニットが、ポート数がX1である第1の基準信号のリソースマッピング図のインデックスと、ポート数がX2である第1の基準信号のリソースマッピング図のインデックスとを前記UEに通知するようにさらに構成され、これにより、ポート数がX1-X2である第2の基準信号のリソースマッピング図が、前述の情報に従って決定され、X1がX2より大きい整数である、請求項133から164のいずれか一項に記載の基地局。
【請求項１７３】
ポート数がX1である前記第1の基準信号が0ではない電力基準信号であり、ポート数がX2である前記第1の基準信号が0の電力基準信号である、請求項172に記載の基地局。
【請求項１７４】
ポート数がXである第2の基準信号のマッピング図が、ポート数がX1である第1の基準信号のリソースマッピング図と、ポート数がX2である第1の基準信号のリソースマッピング図とを備える場合、前記X1ポートの第1の基準信号リソースマッピング図および前記X2ポートの第1の基準信号リソースマッピング図が、PRB pairの中の異なるOFDMシンボルペアを占有し、前記X1ポートの第1の基準信号リソースマッピング図が、ポート数がXである前記第2の基準信号の中の第0のポートから第(X1-1)のポートによって占有されるリソースに対応し、前記X2ポートの第1の基準信号リソースマッピング図が、ポート数がXである前記第2の基準信号の中の第X1のポートから第(X-1)のポートによって占有されるリソースに対応し、ポート数がXである前記第2の基準信号に対して、あるPRB pairの中の第0のポートから第(X1-1)のポートおよび第X1のポートから第(X-1)のポートのOFDMシンボルペアの位置が、隣接するPRB pairの中の第0のポートから第(X1-1)のポートおよび第X1のポートから第(X1-1)のポートのOFDMシンボルペアの位置とそれぞれ交換可能であり、X=X1+X2であり、X、X1、およびX2が正の整数である、請求項133から164のいずれか一項に記載の基地局。
【請求項１７５】
X=12であり、X1=8であり、X2=4である場合、前記第2の基準信号リソースマッピング図の時間-周波数リソース位置が(k, l)であり、kがリソース要素REのサブキャリア番号であり、lが前記REに対応するシンボルであり、
【数１７５】
2018516481.tif 000457
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、
【数１７６】
2018516481.tif 000458
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数１７７】
2018516481.tif 000459
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数１７８】
2018516481.tif 000460
であり、(k', l')=(9, 5)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、
【数１７９】
2018516481.tif 000461
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=0であり、XがPRB pairの数であり、
【数１８０】
2018516481.tif 000462
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=1であり、または、
【数１８１】
2018516481.tif 000463
であり、(k', l')=(9, 5)であり、前記第0のポートから前記第7のポートがns mod2=0に対応し、前記第8のポートから前記第11のポートがns mod2=1に対応し、前記CPが、normal CPであり、FDDおよびTDDをサポートし、PRB pair Xmod2=1であり、XがPRB pairの数であり、
【数１８２】
2018516481.tif 000464
であり、(k', l')=(9, 2)であり、前記第0のポートから前記第7のポートがns mod2=1に対応し、前記第8のポートから前記第11のポートがns mod2=0に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数１８３】
2018516481.tif 000465
を満たす、請求項174に記載の基地局。
【請求項１７６】
X=16であり、X1=8であり、X2=8である場合、前記第2の基準信号リソースマッピング図の時間-周波数リソース位置が(k, l)であり、kがリソース要素REのサブキャリア番号であり、lが前記REに対応するシンボルであり、
【数１８４】
2018516481.tif 000466
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=0であり、XがPRB pairの数であり、
【数１８５】
2018516481.tif 000467
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=1であり、または、
【数１８６】
2018516481.tif 000468
であり、(k', l')=(9, 5)であり、前記第0のポートから前記第7のポートがns mod2=0に対応し、前記第8のポートから前記第15のポートがns mod2=1に対応し、前記CPが、normal CPであり、FDDおよびTDDをサポートし、PRB pair Xmod2=1であり、XがPRB pairの数であり、
【数１８７】
2018516481.tif 000469
であり、(k', l')=(9, 2)であり、前記第0のポートから前記第7のポートがns mod2=1に対応し、前記第8のポートから前記第15のポートがns mod2=0に対応し、前記CPが、normal CPであり、FDDおよびTDDをサポートし、PRB pair Xmod2=0であり、または、
【数１８８】
2018516481.tif 000470
であり、(k', l')=(9, 5)であり、前記第0のポートから前記第15のポートがns mod2=1に対応し、前記CPが、normal CPであり、FDDおよびTDDをサポートし、PRB pair Xmod2=0であり、XがPRB pairの数であり、
【数１８９】
2018516481.tif 000471
であり、(k', l')=(9, 2)であり、前記第0のポートから前記第15のポートがns mod2=1に対応し、前記CPが、normal CPであり、FDDおよびTDDをサポートし、PRB pair Xmod2=1であり、または、
【数１９０】
2018516481.tif 000472
であり、(k', l')=(9, 5)であり、前記第0のポートから前記第15のポートがns mod2=1に対応し、前記CPが、normal CPであり、FDDおよびTDDをサポートし、PRB pair Xmod2=1であり、XがPRB pairの数であり、
【数１９１】
2018516481.tif 000473
であり、(k', l')=(9, 2)であり、前記第0のポートから前記第15のポートがns mod2=1に対応し、前記CPが、normal CPであり、FDDおよびTDDをサポートし、PRB pair Xmod2=0であり、かつ、
上述の式において、pがポート番号であり、k'が各PRB pairにおけるサブキャリアの番号であり、l'が各スロットにおけるOFDMシンボルの番号であり、拡散率が以下の条件
【数１９２】
2018516481.tif 000474
を満たす、請求項174に記載の基地局。
【発明の詳細な説明】
【技術分野】
【０００１】
この出願は、2015年4月10日に中国特許庁に出願された、発明の名称を「チャネル測定方法、基地局、およびＵＥ」とする中国特許出願第PCT/CN2015/076385号の優先権を主張し、その全体が参照によりここに組み込まれる。
【０００２】
本発明は通信の分野、より詳細には、チャネル測定方法、基地局、およびUE(User Equipment、ユーザ機器)に関する。
【背景技術】
【０００３】
通信システムは通常、アンテナを使用することによって異なる種類の基準信号をユーザ機器に送信して、チャネル推定またはチャネル状態測定またはチャネル品質測定を実行し、それによってUEをスケジューリングし得る。3GPP(3rd Generation Partnership Project、第3世代パートナーシッププロジェクト)LTE(Long Term Evolution、ロングタームエボリューション)R10(Release 10、リリース10)のダウンリンクシステムでは、様々な基準信号によってサポートされるアンテナポートの数は異なり、基準信号は最大で8個のアンテナポートをサポートする。スペクトル効率をさらに改善するために、現在の開始される予定のLTE R13(Release 13、リリース13)規格では、より多くのアンテナ構成が導入されることが考慮されており、基地局はより多くのアンテナ構成を使用することによって基準信号をUEに送信し得る。したがって、UEが基準信号を使用することによってチャネル測定を実行するように、より多くのポートをサポートする基準信号のリソースマッピング図が提供される必要がある。
【０００４】
現在、R10ダウンリンクシステムは、2n(2n≦8)個のアンテナポートをサポートする。しかしながら、これはポートの数についてのLTE R13規格の要件を満たすことができない。したがって、従来技術では、LTE R13規格を満たす基準信号のリソースマッピング図を提供することができない。その結果、UEは、基準信号を取得できず、チャネル測定を実行できない。
【発明の概要】
【課題を解決するための手段】
【０００５】
本発明の実施形態は、UEがチャネル測定を実行できるように、より多くのポートをサポートする基準信号のリソースマッピング図を提供するための、チャネル測定方法、基地局、およびUEを提供する。
【０００６】
上述の目的を達成するために、本発明の実施形態において以下の技術的解決策が使用される。
【０００７】
第1の態様によれば、
ユーザ機器UEによって、基準信号リソースマッピング図を取得し、基準信号リソースマッピング図に従って基準信号を取得するステップと、
UEによって、基準信号に従ってチャネル測定を実行してチャネル状態情報を決定し、チャネル状態情報を基地局にフィードバックするステップと、を含むチャネル測定方法が提供され、
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数であり、
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０００８】
第1の態様に関して、第1の態様の第1の可能な実装形態では、Xが8より大きいとき、Xは2nを満たさず、nは0以上の整数である。
【０００９】
第1の態様または第1の態様の第1の可能な実装形態に関して、第1の態様の第2の可能な実装形態では、Xが8より小さく2nを満たさないとき、UEが第2の基準信号リソースマッピング図を取得し、
この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、ここでYはXより大きい整数の中でXに最も近く2nを満たす整数であり、符号リソースは直交拡散符号または基準信号のシーケンスである。
【００１０】
第1の態様の第2の可能な実装形態に関して、第1の態様の第3の可能な実装形態では、
X個の連続するポートはY個のポートの中の第0のポートから第(X-1)のポートであり、またはX個の連続するポートはY個のポートの中の第(Y-X)のポートから第(Y-1)のポートである。
【００１１】
第1の態様の第2または第3の可能な実装形態に関して、第1の態様の第4の可能な実装形態では、K2=K1であり、または
【００１２】
【数１】
2018516481.tif 000003
【００１３】
であり、
【００１４】
【数２】
2018516481.tif 000004
【００１５】
は切り捨てを表す。
【００１６】
第1の態様または第1の態様の第1から第4の可能な実装形態のいずれか1つに関して、第1の態様の第5の可能な実装形態では、
K2個の第2の基準信号リソースマッピング図のうちの少なくとも1つが、第1の基準信号リソースマッピング図のうちの少なくとも2つの時間-周波数リソースを含む。
【００１７】
第1の態様の第5の可能な実装形態に関して、第1の態様の第6の可能な実装形態では、
K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【００１８】
第1の態様の第6の可能な実装形態に関して、第1の態様の第7の可能な実装形態では、
H個のポートは、第1の基準信号リソースマッピング図の中の第0のポートから第(H-1)のポートであり、または第(Y-H)のポートから第(Y-1)のポートである。
【００１９】
第1の態様または第1の態様の第1の可能な実装形態に関して、第1の態様の第8の可能な実装形態では、方法は、UEによって、第2の基準信号リソースマッピング図を取得するステップをさらに含み、
Xポートの第2の基準信号リソースマッピング図は、X1ポートの基準信号リソースマッピング図およびX2ポートの基準信号リソースマッピング図を含み、
X1+X2=Xであり、X1とX2の差が2より小さく、X1ポートの基準信号リソースマッピング図およびX2ポートの基準信号リソースマッピング図はm個のサブフレームからUEによって取得され、mは1または2であり、
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【００２０】
第1の態様の第7の可能な実装形態に関して、第1の態様の第9の可能な実装形態では、Xは8より大きい整数である。
【００２１】
第1の態様の第8または第9の可能な実装形態に関して、第1の態様の第10の可能な実装形態では、方法は、
基地局により通知される、X1ポートの基準信号リソースマッピング図およびX2ポートの基準信号リソースマッピング図を搬送するサブフレームのシーケンスをUEによって受信するステップをさらに含み、または、
X1ポートの基準信号リソースマッピング図およびX2ポートの基準信号リソースマッピング図を搬送するサブフレームのシーケンスが事前に設定され、このシーケンスはポート数の降順またはポート数の昇順である。
【００２２】
第1の態様の第8または第9の可能な実装形態に関して、第1の態様の第11の可能な実装形態では、方法は、
UEによって、基地局により通知される、X1ポートの基準信号リソースマッピング図を搬送するサブフレームの番号とX2ポートの基準信号リソースマッピング図を搬送するサブフレームの番号とを受信するステップ、または、
UEによって、基地局により通知される、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とを受信するステップをさらに含む。
【００２３】
第1の態様または第1の態様の第1の可能な実装形態に関して、第1の態様の第12の可能な実装形態では、方法は、UEによって、第2の基準信号リソースマッピング図を取得するステップをさらに含み、
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、Xiの各々は2nとして表すことができ、
X1ポートの基準信号リソースマッピング図、X2ポートの基準信号リソースマッピング図、...、およびXiポートの基準信号リソースマッピング図は少なくとも1つのサブフレームからUEによって取得される。
【００２４】
第1の態様の第12の可能な実装形態に関して、第1の態様の第13の可能な実装形態では、X1ポートの基準信号リソースマッピング図、X2ポートの基準信号リソースマッピング図、...、およびXiポートの基準信号リソースマッピング図の各々は、第1の基準信号リソースマッピング図であり、
X1、X2、...、Xiの各々は8以下であり、X1、X2、...、Xiに対応するnの値は異なる。
【００２５】
第1の態様の第12または第13の可能な実装形態に関して、第1の態様の第14の可能な実装形態では、Xは8より大きい整数である。
【００２６】
第1の態様の第12から第14の可能な実装形態に関して、第1の態様の第15の可能な実装形態では、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【００２７】
第1の態様の第12から第15の可能な実装形態のうちのいずれか1つに関して、第1の態様の第16の可能な実装形態では、方法は、
基地局により通知される、X1ポートの基準信号リソースマッピング図、X2ポートの基準信号リソースマッピング図、...、およびXiポートの基準信号リソースマッピング図を搬送するサブフレームのシーケンスをUEによって受信するステップをさらに含み、または、
X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【００２８】
第1の態様の第12から第15の可能な実装形態のうちのいずれか1つに関して、第1の態様の第17の可能な実装形態では、方法は、
基地局により通知される、X1ポートの基準信号リソースマッピング図、X2ポートの基準信号リソースマッピング図、...、およびXiポートの基準信号リソースマッピング図の各々の構成情報をUEによって受信するステップ、または、
UEによって、基地局により送信されるジョイント符号化シグナリングを受信するステップであって、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用される、ステップ、または、
UEによって、基地局により通知される、X1ポートの基準信号リソースマッピング図の構成情報と、Xjポートの基準信号リソースマッピング図の構成情報およびX1ポートの基準信号リソースマッピング図の構成情報の間の対応関係とを受信するステップであって、jが1より大きくi以下の整数である、ステップをさらに含み、または、
X1ポートの基準信号リソースマッピング図の構成情報、X2ポートの基準信号リソースマッピング図の構成情報、...、およびXiポートの基準信号リソースマッピング図の構成情報が事前に定義される。
【００２９】
第1の態様の第12から第16の可能な実装形態のうちのいずれか1つに関して、第1の態様の第18の可能な実装形態では、
X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号が事前に定義され、または、
UEが、基地局により通知される、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号を受信し、または、
UEが、基地局により通知される、X1ポートの基準信号リソースマッピング図を搬送するサブフレームの番号と、Xjポートの基準信号リソースマッピング図を搬送するサブフレームおよびX1ポートの基準信号リソースマッピング図を搬送するサブフレームの間のサブフレーム間隔とを受信し、jは1より大きくi以下の整数である。
【００３０】
第1の態様の第13の可能な実装形態に関して、第1の態様の第19の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、ここでLはXi、Xjの中で最小の値であり、または、
各PRB pairの中でのXtポートの基準信号リソースマッピング図およびXjポートの基準信号リソースマッピング図の時間-周波数リソース位置が異なる。
【００３１】
第1の態様の第13の可能な実装形態に関して、第1の態様の第20の可能な実装形態では、X1ポートの基準信号リソースマッピング図、X2ポートの基準信号リソースマッピング図、...、およびXiポートの基準信号リソースマッピング図の時間-周波数リソース位置の中に、Q個の同じ相対的な時間-周波数リソース位置があり、相対的な時間-周波数リソース位置は、各PRB pairの中での基準信号リソースマッピング図の時間-周波数リソース位置である。
【００３２】
第1の態様の第20の可能な実装形態に関して、第1の態様の第21の可能な実装形態では、QはX1、X2、...、Xiの中で最小の値である。
【００３３】
第1の態様の第13の可能な実装形態に関して、第1の態様の第22の可能な実装形態では、X1ポートの基準信号リソースマッピング図、X2ポートの基準信号リソースマッピング図、...、およびXiポートの基準信号リソースマッピング図の時間-周波数リソース位置の中にQ個の同じサブキャリアがあり、Qは1より大きい整数である。
【００３４】
第1の態様の第22の可能な実装形態に関して、第1の態様の第23の可能な実装形態では、Q個の同じサブキャリアはLポートの基準信号リソースマッピング図によって占有されるサブキャリアであり、LはX1、X2、...、Xiの中で最小の値である。
【００３５】
第1の態様の第13の可能な実装形態に関して、第1の態様の第24の可能な実装形態では、X1ポートの基準信号リソースマッピング図、X2ポートの基準信号リソースマッピング図、...、およびXiポートの基準信号リソースマッピング図の時間-周波数リソース位置に対応するサブキャリアは異なる。
【００３６】
第1の態様の第12から第15の可能な実装形態に関して、第1の態様の第25の可能な実装形態では、X1ポートの基準信号リソースマッピング図、X2ポートの基準信号リソースマッピング図、...、およびXiポートの基準信号リソースマッピング図の時間-周波数リソース位置によって占有される直交周波数分割多重OFDMシンボルは同じである。
【００３７】
第1の態様の第20の可能な実装形態に関して、第1の態様の第26の可能な実装形態では、Q個の同じ時間-周波数リソース位置は、Xjポートの基準信号リソースマッピング図の中の第0のポートから第(Q-1)のポートに対応する時間-周波数リソース位置であり、XjはX1、X2、...、Xiの中で最小の値である。
【００３８】
第1の態様の第2の可能な実装形態に関して、第1の態様の第27の可能な実装形態では、Xが3であり、Yが4であり、K2=K1=10である場合、第2の基準信号リソースマッピング図の時間-周波数リソース位置は(k, l)であり、kはリソース要素REのサブキャリア番号であり、lはREに対応するシンボルであり、
【００３９】
【数３】
2018516481.tif 000005
【００４０】
であり、ここで、pはポート番号であり、第2の基準信号リソースマッピング図の第1の構成において、
【００４１】
【数４】
2018516481.tif 000006
【００４２】
、第2の構成において、
【００４３】
【数５】
2018516481.tif 000007
【００４４】
、第10の構成において、
【００４５】
【数６】
2018516481.tif 000008
【００４６】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【００４７】
第1の態様の第27の可能な実装形態に関して、第1の態様の第28の可能な実装形態では、K1=10であり、K2=4*10/3である場合、(k, l)以外の第2の基準信号リソースマッピング図の時間-周波数リソース位置は、
【００４８】
【数７】
2018516481.tif 000009
【００４９】
、または
【００５０】
【数８】
2018516481.tif 000010
【００５１】
、または
【００５２】
【数９】
2018516481.tif 000011
【００５３】
、
【００５４】
【数１０】
2018516481.tif 000012
【００５５】
である。
【００５６】
第1の態様の第2の可能な実装形態に関して、第1の態様の第29の可能な実装形態では、Xが5であり、Yが8であり、K2=K1=5である場合、第2の基準信号リソースマッピング図の時間-周波数リソース位置は(k, l)であり、kはREのサブキャリア番号であり、lはREに対応するシンボルであり、
【００５７】
【数１１】
2018516481.tif 000013
【００５８】
であり、ここで、pはポート番号であり、第2の基準信号リソースマッピング図の第1の構成において、
【００５９】
【数１２】
2018516481.tif 000014
【００６０】
、第2の構成において、
【００６１】
【数１３】
2018516481.tif 000015
【００６２】
、第5の構成において、
【００６３】
【数１４】
2018516481.tif 000016
【００６４】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【００６５】
第1の態様の第13の可能な実装形態に関して、第1の態様の第30の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【００６６】
【数１５】
2018516481.tif 000017
【００６７】
であり、ここで(k', l')=(9, 5)であり、第0のポートから第7のポートはns mod2=0に対応し、第8のポートから第11のポートはns mod2=1に対応し、CPは、normal CPであり、周波数分割多重FDDおよび時分割多重TDDをサポートし、または、
【００６８】
【数１６】
2018516481.tif 000018
【００６９】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【００７０】
【数１７】
2018516481.tif 000019
【００７１】
であり、ここで(k', l')=(9, 5)であり、第0のポートから第11のポートはns mod2=1に対応し、CPは、normal CPであり、FDDおよびTDDをサポートし、または、
【００７２】
【数１８】
2018516481.tif 000020
【００７３】
であり、ここで(k', l')=(9, 5)であり、第0のポートから第11のポートはns mod2=1に対応し、CPは、normal CPであり、FDDおよびTDDをサポートし、または、
【００７４】
【数１９】
2018516481.tif 000021
【００７５】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【００７６】
【数２０】
2018516481.tif 000022
【００７７】
であり、ここで(k', l')=(11, 1)であり、第0のポートから第11のポートはns mod2=1に対応し、CPは、normal CPであり、TDDだけをサポートし、または、
【００７８】
【数２１】
2018516481.tif 000023
【００７９】
であり、ここで(k', l')=(7, 1)であり、第0のポートから第11のポートはns mod2=1に対応し、CPは、normal CPであり、TDDだけをサポートし、または、
【００８０】
【数２２】
2018516481.tif 000024
【００８１】
であり、ここで(k', l')=(11, 4)であり、第0のポートから第11のポートはns mod2=0に対応し、CPは、extended CPであり、FDDおよびTDDをサポートし、または、
【００８２】
【数２３】
2018516481.tif 000025
【００８３】
であり、ここで(k', l')=(9, 4)であり、第0のポートから第11のポートはns mod2=0に対応し、CPは、extended CPであり、FDDおよびTDDをサポートし、または、
【００８４】
【数２４】
2018516481.tif 000026
【００８５】
であり、ここで(k', l')=(10, 4)であり、第0のポートから第11のポートはns mod2=1に対応し、CPは、extended CPであり、FDDおよびTDDをサポートし、または、
【００８６】
【数２５】
2018516481.tif 000027
【００８７】
であり、ここで(k', l')=(11, 1)であり、第0のポートから第11のポートはns mod2=1に対応し、CPは、extended CPであり、TDDだけをサポートし、または、
【００８８】
【数２６】
2018516481.tif 000028
【００８９】
であり、ここで(k', l')=(10, 1)であり、第0のポートから第11のポートはns mod2=1に対応し、CPは、extended CPであり、TDDだけをサポートし、または、
【００９０】
【数２７】
2018516481.tif 000029
【００９１】
であり、ここで(k', l')=(11, 2)であり、第0のポートから第11のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【００９２】
【数２８】
2018516481.tif 000030
【００９３】
第1の態様の第13の可能な実装形態に関して、第1の態様の第31の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【００９４】
【数２９】
2018516481.tif 000031
【００９５】
であり、ここで(k', l')=(11, 2)であり、第0のポートから第15のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【００９６】
【数３０】
2018516481.tif 000032
【００９７】
第1の態様または第1の態様の第1から第31の可能な実装形態のうちのいずれか1つに関して、第1の態様の第32の可能な実装形態では、方法は、シグナリングを使用することによって基地局により通知される、第2の基準信号リソースマッピング図の構成インデックスを受信するステップと、第2の基準信号リソースマッピング図の構成インデックスに従って、第2の基準信号リソースマッピング図に対応する時間-周波数リソース位置を決定するステップとをさらに含む。
【００９８】
第1の態様または第1の態様の第1から第31の可能な実装形態のうちのいずれか1つに関して、第1の態様の第33の可能な実装形態では、第2の基準信号リソースマッピング図が異なるポート数の少なくとも2つの第1の基準信号リソースマッピング図を含む場合、基地局により別々に通知される、第2の基準信号リソースマッピング図に含まれる各々の第1の基準信号リソースマッピング図の構成情報が受信され、第2の基準信号リソースマッピング図は、異なるポート数の少なくとも2つの第1の基準信号リソースマッピング図に従って取得される。
【００９９】
第1の態様の第33の可能な実装形態に関して、第1の態様の第34の可能な実装形態では、同一のポート数の第2の基準信号リソースマッピング図のすべての構成において、リソースマッピング図が重複するリソースを有している2つの構成がある。
【０１００】
第1の態様の第33の可能な実装形態に関して、第1の態様の第35の可能な実装形態では、基地局により通知される、第2の基準信号リソースマッピング図に含まれる各々の第1の基準信号リソースマッピング図の受信された構成情報に対応するリソースマッピング図の範囲は、すべての第1の基準信号リソースマッピング図の集合である。
【０１０１】
第1の態様の第33の可能な実装形態に関して、第1の態様の第36の可能な実装形態では、基地局により通知される、第2の基準信号リソースマッピング図に含まれる各々の第1の基準信号リソースマッピング図の受信された構成情報に対応するリソースマッピング図の範囲は、すべての第1の基準信号リソースマッピング図の集合の部分集合である。
【０１０２】
第1の態様または第1の態様の第1から第31の可能な実装形態のうちのいずれか1つに関して、第1の態様の第37の可能な実装形態では、基地局により通知される、ポート数がX1である第2の基準信号のリソースマッピング図のインデックスが受信され、ポート数がX2である第2の基準信号のリソースマッピング図は事前に設定される規則に従って取得され、ここでX1およびX2は等しくない整数であり、X1はX2より大きい。
【０１０３】
第1の態様の第37の可能な実装形態に関して、第1の態様の第38の可能な実装形態では、事前に設定される規則は、X1個のポートの中の第Mのポートから第(M+X2-1)のポートに対応するリソースが、ポート数がX2である第2の基準信号のリソースマッピング図であり、Mが0以上かつX1-X2-1以下の整数である、ことである。
【０１０４】
第1の態様または第1の態様の第1から第31の可能な実装形態のうちのいずれか1つに関して、第1の態様の第39の可能な実装形態では、基地局により通知される、UEの、ポート数がX1である第1の基準信号のリソースマッピング図のインデックスとポート数がX2である第1の基準信号のリソースマッピング図のインデックスとが受信され、ポート数がX1-X2である第2の基準信号のリソースマッピング図は、前述の情報に従って決定され、ここでX1はX2より大きい整数である。
【０１０５】
第1の態様の第39の可能な実装形態に関して、第1の態様の第40の可能な実装形態では、ポート数がX1である第1の基準信号は0ではない電力基準信号であり、ポート数がX2である第1の基準信号は0の電力基準信号である。
【０１０６】
第1の態様に関して、第1の態様の第41の可能な実装形態では、ポート数がXである第2の基準信号のマッピング図が、ポート数がX1である第1の基準信号のリソースマッピング図と、ポート数がX2である第1の基準信号のリソースマッピング図とを含む場合、X1ポートの第1の基準信号リソースマッピング図およびX2ポートの第1の基準信号リソースマッピング図は、PRB pairの中の異なるOFDMシンボルペアを占有し、X1ポートの第1の基準信号リソースマッピング図は、ポート数がXである第2の基準信号の中の第0のポートから第(X1-1)のポートによって占有されるリソースに対応し、X2ポートの第1の基準信号リソースマッピング図は、ポート数がXである第2の基準信号の中の第X1のポートから第(X-1)のポートによって占有されるリソースに対応し、ポート数がXである第2の基準信号に対して、あるPRB pairの中の第0のポートから第(X1-1)のポートおよび第X1のポートから第(X-1)のポートのOFDMシンボルペアの位置は、隣接するPRB pairの中の第0のポートから第(X1-1)のポートおよび第X1のポートから第(X1-1)のポートのOFDMシンボルペアの位置とそれぞれ交換可能であり、ここでX=X1+X2であり、X、X1、およびX2は正の整数である。
【０１０７】
第1の態様の第41の可能な実装形態に関して、第1の態様の第42の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０１０８】
【数３１】
2018516481.tif 000033
【０１０９】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、
【０１１０】
【数３２】
2018516481.tif 000034
【０１１１】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０１１２】
【数３３】
2018516481.tif 000035
【０１１３】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、かつ、
【０１１４】
【数３４】
2018516481.tif 000036
【０１１５】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、または、
【０１１６】
【数３５】
2018516481.tif 000037
【０１１７】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、かつ、
【０１１８】
【数３６】
2018516481.tif 000038
【０１１９】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０１２０】
【数３７】
2018516481.tif 000039
【０１２１】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０１２２】
【数３８】
2018516481.tif 000040
【０１２３】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０１２４】
【数３９】
2018516481.tif 000041
【０１２５】
第1の態様の第41の可能な実装形態に関して、第1の態様の第43の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０１２６】
【数４０】
2018516481.tif 000042
【０１２７】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=0であり、XはPRB pairの数であり、かつ、
【０１２８】
【数４１】
2018516481.tif 000043
【０１２９】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=1であり、または、
【０１３０】
【数４２】
2018516481.tif 000044
【０１３１】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=1であり、XはPRB pairの数であり、かつ、
【０１３２】
【数４３】
2018516481.tif 000045
【０１３３】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=0であり、または、
【０１３４】
【数４４】
2018516481.tif 000046
【０１３５】
であり、ここで(k', l')=(9, 5)であり、第0のポートから第15のポートはns mod2=1に対応し、CPは、normal CPであり、FDDおよびTDDをサポートし、PRB pair Xmod2=0であり、XはPRB pairの数であり、かつ、
【０１３６】
【数４５】
2018516481.tif 000047
【０１３７】
であり、ここで(k', l')=(9, 2)であり、第0のポートから第15のポートはns mod2=1に対応し、CPは、normal CPであり、FDDおよびTDDをサポートし、PRB pair Xmod2=1であり、または、
【０１３８】
【数４６】
2018516481.tif 000048
【０１３９】
であり、ここで(k', l')=(9, 5)であり、第0のポートから第15のポートはns mod2=1に対応し、CPは、normal CPであり、FDDおよびTDDをサポートし、PRB pair Xmod2=1であり、XはPRB pairの数であり、
【０１４０】
【数４７】
2018516481.tif 000049
【０１４１】
であり、ここで(k', l')=(9, 2)であり、第0のポートから第15のポートはns mod2=1に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０１４２】
【数４８】
2018516481.tif 000050
【０１４３】
第2の態様によれば、
基地局によって、基準信号リソースマッピング図を構成設定するステップと、
基地局によって、基準信号リソースマッピング図をユーザ機器UEに送信するステップと、
基地局によって、UEによりフィードバックされたチャネル状態情報を受信するステップと、を含むチャネル測定方法が提供され、
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数であり、
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０１４４】
第2の態様に関して、第2の態様の第1の可能な実装形態では、Xが8より大きいとき、Xは2nを満たさず、nは0以上の整数である。
【０１４５】
第2の態様または第2の態様の第1の可能な実装形態に関して、第2の態様の第2の可能な実装形態では、相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、ここでYはXより大きい整数の中でXに最も近く2nを満たす整数であり、符号リソースは直交拡散符号または基準信号のシーケンスである。
【０１４６】
第2の態様の第2の可能な実装形態に関して、第2の態様の第3の可能な実装形態では、
X個の連続するポートはY個のポートの中の第0のポートから第(X-1)のポートであり、またはX個の連続するポートはY個のポートの中の第(Y-X)のポートから第(Y-1)のポートである。
【０１４７】
第2の態様の第2または第3の可能な実装形態に関して、第2の態様の第4の可能な実装形態では、K2=K1であり、または
【０１４８】
【数４９】
2018516481.tif 000051
【０１４９】
であり、
【０１５０】
【数５０】
2018516481.tif 000052
【０１５１】
は切り捨てを表す。
【０１５２】
第2の態様または第2の態様の第1から第4の可能な実装形態のいずれか1つに関して、第2の態様の第5の可能な実装形態では、
K2個の第2の基準信号リソースマッピング図のうちの少なくとも1つが、第1の基準信号リソースマッピング図のうちの少なくとも2つの時間-周波数リソースを含む。
【０１５３】
第2の態様の第5の可能な実装形態に関して、第2の態様の第6の可能な実装形態では、
K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０１５４】
第2の態様の第6の可能な実装形態に関して、第2の態様の第7の可能な実装形態では、
H個のポートは、第1の基準信号リソースマッピング図の中の第0のポートから第(H-1)のポートであり、または第(Y-H)のポートから第(Y-1)のポートである。
【０１５５】
第2の態様または第2の態様の第1の可能な実装形態に関して、第2の態様の第8の可能な実装形態では、方法は、基地局によって、第2の基準信号リソースマッピング図をUEに送信するステップをさらに含み、
Xポートの第2の基準信号リソースマッピング図は、X1ポートの基準信号リソースマッピング図およびX2ポートの基準信号リソースマッピング図を含み、
X1+X2=Xであり、X1とX2の差が2より小さく、X1ポートの基準信号リソースマッピング図およびX2ポートの基準信号リソースマッピング図はm個のサブフレームからUEによって取得され、mは1または2であり、
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０１５６】
第2の態様の第7の可能な実装形態に関して、第2の態様の第9の可能な実装形態では、Xは8より大きい整数である。
【０１５７】
第2の態様の第8または第9の可能な実装形態に関して、第2の態様の第10の可能な実装形態では、方法は、
基地局によって、X1ポートの基準信号リソースマッピング図およびX2ポートの基準信号リソースマッピング図を搬送するサブフレームのシーケンスをUEに通知するステップをさらに含み、または、
X1ポートの基準信号リソースマッピング図およびX2ポートの基準信号リソースマッピング図を搬送するサブフレームのシーケンスは事前に設定され、
このシーケンスはポート数の降順またはポート数の昇順である。
【０１５８】
第2の態様の第8または第9の可能な実装形態に関して、第2の態様の第11の可能な実装形態では、方法は、
基地局によって、X1ポートの基準信号リソースマッピング図を搬送するサブフレームの番号およびX2ポートの基準信号リソースマッピング図を搬送するサブフレームの番号をUEに通知するステップ、または、
基地局によって、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とをUEに通知するステップをさらに含む。
【０１５９】
第2の態様または第2の態様の第1の可能な実装形態に関して、第2の態様の第12の可能な実装形態では、方法は、
基地局によって、第2の基準信号リソースマッピング図をUEに送信するステップをさらに含み、
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、Xiの各々は2nとして表すことができ、
X1ポートの基準信号リソースマッピング図、X2ポートの基準信号リソースマッピング図、...、およびXiポートの基準信号リソースマッピング図は少なくとも1つのサブフレームからUEによって取得される。
【０１６０】
第2の態様の第12の可能な実装形態に関して、第2の態様の第13の可能な実装形態では、X1ポートの基準信号リソースマッピング図、X2ポートの基準信号リソースマッピング図、...、およびXiポートの基準信号リソースマッピング図の各々は、第1の基準信号リソースマッピング図であり、
X1、X2、...、Xiの各々は8以下であり、X1、X2、...、Xiに対応するnの値は異なる。
【０１６１】
第2の態様の第12または第13の可能な実装形態に関して、第2の態様の第14の可能な実装形態では、Xは8より大きい整数である。
【０１６２】
第2の態様の第12から第14の可能な実装形態に関して、第2の態様の第15の可能な実装形態では、X1ポートの基準信号リソースマッピング図、X2ポートの基準信号リソースマッピング図、...、およびXiポートの基準信号リソースマッピング図は1つのサブフレームにおいて基地局によって送信され、または、X1ポートの基準信号リソースマッピング図、X2ポートの基準信号リソースマッピング図、...、およびXiポートの基準信号リソースマッピング図はi個のサブフレームにおいて基地局によって送信される。
【０１６３】
第2の態様の第12から第15の可能な実装形態のうちのいずれか1つに関して、第2の態様の第16の可能な実装形態では、方法は、
基地局によって、X1ポートの基準信号リソースマッピング図、X2ポートの基準信号リソースマッピング図、...、およびXiポートの基準信号リソースマッピング図を搬送するサブフレームのシーケンスをUEに通知するステップをさらに含み、または、
X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【０１６４】
第2の態様の第12から第15の可能な実装形態のうちのいずれか1つに関して、第2の態様の第17の可能な実装形態では、方法は、
基地局によって、X1ポートの基準信号リソースマッピング図、X2ポートの基準信号リソースマッピング図、...、およびXiポートの基準信号リソースマッピング図の各々の構成情報をUEに通知するステップ、または、
基地局によって、ジョイント符号化シグナリングをUEに送信するステップであって、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用される、ステップ、または、
基地局によって、X1ポートの基準信号リソースマッピング図の構成情報と、Xjポートの基準信号リソースマッピング図の構成情報およびX1ポートの基準信号リソースマッピング図の構成情報の間の対応関係とをUEに通知するステップであって、jが1より大きくi以下の整数である、ステップをさらに含み、または、
X1ポートの基準信号リソースマッピング図の構成情報、X2ポートの基準信号リソースマッピング図の構成情報、...、およびXiポートの基準信号リソースマッピング図の構成情報が事前に定義される。
【０１６５】
第2の態様の第12から第16の可能な実装形態のうちのいずれか1つに関して、第2の態様の第18の可能な実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号が事前に定義され、または、
基地局は、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号をUEに通知し、または、
基地局は、X1ポートの基準信号リソースマッピング図を搬送するサブフレームの番号と、Xjポートの基準信号リソースマッピング図を搬送するサブフレームおよびX1ポートの基準信号リソースマッピング図を搬送するサブフレームの間のサブフレーム間隔とをUEに通知し、jは1より大きくi以下の整数である。
【０１６６】
第2の態様の第13の可能な実装形態に関して、第2の態様の第19の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、ここでLはXi、Xjの中で最小の値であり、または、
各PRB pairの中でのXtポートの基準信号リソースマッピング図およびXjポートの基準信号リソースマッピング図の時間-周波数リソース位置が異なる。
【０１６７】
第2の態様の第13の可能な実装形態に関して、第2の態様の第20の可能な実装形態では、X1ポートの基準信号リソースマッピング図、X2ポートの基準信号リソースマッピング図、...、およびXiポートの基準信号リソースマッピング図の時間-周波数リソース位置の中に、Q個の同じ相対的な時間-周波数リソース位置があり、相対的な時間-周波数リソース位置は、各PRB pairの中での基準信号リソースマッピング図の時間-周波数リソース位置である。
【０１６８】
第2の態様の第20の可能な実装形態に関して、第2の態様の第21の可能な実装形態では、QはX1、X2、...、Xiの中で最小の値である。
【０１６９】
第2の態様の第13の可能な実装形態に関して、第2の態様の第22の可能な実装形態では、X1ポートの基準信号リソースマッピング図、X2ポートの基準信号リソースマッピング図、...、およびXiポートの基準信号リソースマッピング図の時間-周波数リソース位置の中にQ個の同じサブキャリアがあり、Qは1より大きい整数である。
【０１７０】
第2の態様の第22の可能な実装形態に関して、第2の態様の第23の可能な実装形態では、Q個の同じサブキャリアはLポートの基準信号リソースマッピング図によって占有されるサブキャリアであり、LはX1、X2、...、Xiの中で最小の値である。
【０１７１】
第2の態様の第13の可能な実装形態に関して、第2の態様の第24の可能な実装形態では、X1ポートの基準信号リソースマッピング図、X2ポートの基準信号リソースマッピング図、...、およびXiポートの基準信号リソースマッピング図の時間-周波数リソース位置に対応するサブキャリアは異なる。
【０１７２】
第2の態様の第12から第15の可能な実装形態に関して、第2の態様の第25の可能な実装形態では、X1ポートの基準信号リソースマッピング図、X2ポートの基準信号リソースマッピング図、...、およびXiポートの基準信号リソースマッピング図の時間-周波数リソース位置によって占有される直交周波数分割多重OFDMシンボルは同じである。
【０１７３】
第2の態様の第20の可能な実装形態に関して、第2の態様の第26の可能な実装形態では、Q個の同じ時間-周波数リソース位置は、Xjポートの基準信号リソースマッピング図の中の第0のポートから第(Q-1)のポートに対応する時間-周波数リソース位置であり、XjはX1、X2、...、Xiの中で最小の値である。
【０１７４】
第2の態様の第2の可能な実装形態に関して、第2の態様の第27の可能な実装形態では、Xが3であり、Yが4であり、K2=K1=10である場合、第2の基準信号リソースマッピング図の時間-周波数リソース位置は(k, l)であり、kはリソース要素REのサブキャリア番号であり、lはREに対応するシンボルであり、
【０１７５】
【数５１】
2018516481.tif 000053
【０１７６】
であり、ここで、pはポート番号であり、第2の基準信号リソースマッピング図の第1の構成において、
【０１７７】
【数５２】
2018516481.tif 000054
【０１７８】
、第2の構成において、
【０１７９】
【数５３】
2018516481.tif 000055
【０１８０】
、第10の構成において、
【０１８１】
【数５４】
2018516481.tif 000056
【０１８２】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０１８３】
第2の態様の第27の可能な実装形態に関して、第2の態様の第28の可能な実装形態では、K1=10であり、K2=4*10/3である場合、(k, l)以外の第2の基準信号リソースマッピング図の時間-周波数リソース位置は、
【０１８４】
【数５５】
2018516481.tif 000057
【０１８５】
、または
【０１８６】
【数５６】
2018516481.tif 000058
【０１８７】
、または
【０１８８】
【数５７】
2018516481.tif 000059
【０１８９】
であり、
【０１９０】
【数５８】
2018516481.tif 000060
【０１９１】
である。
【０１９２】
第2の態様の第2の可能な実装形態に関して、第2の態様の第29の可能な実装形態では、Xが5であり、Yが8であり、K2=K1=5である場合、第2の基準信号リソースマッピング図の時間-周波数リソース位置は(k, l)であり、kはREのサブキャリア番号であり、lはREに対応するシンボルであり、
【０１９３】
【数５９】
2018516481.tif 000061
【０１９４】
であり、ここで、pはポート番号であり、第2の基準信号リソースマッピング図の第1の構成において、
【０１９５】
【数６０】
2018516481.tif 000062
【０１９６】
、第2の構成において、
【０１９７】
【数６１】
2018516481.tif 000063
【０１９８】
、第5の構成において、
【０１９９】
【数６２】
2018516481.tif 000064
【０２００】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０２０１】
第2の態様の第13の可能な実装形態に関して、第2の態様の第30の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０２０２】
【数６３】
2018516481.tif 000065
【０２０３】
であり、ここで(k', l')=(9, 5)であり、第0のポートから第7のポートはns mod2=0に対応し、第8のポートから第11のポートはns mod2=1に対応し、CPは、normal CPであり、周波数分割多重FDDおよび時分割多重TDDをサポートし、または、
【０２０４】
【数６４】
2018516481.tif 000066
【０２０５】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【０２０６】
【数６５】
2018516481.tif 000067
【０２０７】
であり、ここで(k', l')=(9, 5)であり、第0のポートから第11のポートはns mod2=1に対応し、CPは、normal CPであり、FDDおよびTDDをサポートし、または、
【０２０８】
【数６６】
2018516481.tif 000068
【０２０９】
であり、ここで(k', l')=(9, 5)であり、第0のポートから第11のポートはns mod2=1に対応し、CPは、normal CPであり、FDDおよびTDDをサポートし、または、
【０２１０】
【数６７】
2018516481.tif 000069
【０２１１】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【０２１２】
【数６８】
2018516481.tif 000070
【０２１３】
であり、ここで(k', l')=(11, 1)であり、第0のポートから第11のポートはns mod2=1に対応し、CPは、normal CPであり、TDDだけをサポートし、または、
【０２１４】
【数６９】
2018516481.tif 000071
【０２１５】
であり、ここで(k', l')=(7, 1)であり、第0のポートから第11のポートはns mod2=1に対応し、CPは、normal CPであり、TDDだけをサポートし、または、
【０２１６】
【数７０】
2018516481.tif 000072
【０２１７】
であり、ここで(k', l')=(11, 4)であり、第0のポートから第11のポートはns mod2=0に対応し、CPは、extended CPであり、FDDおよびTDDをサポートし、または、
【０２１８】
【数７１】
2018516481.tif 000073
【０２１９】
であり、ここで(k', l')=(9, 4)であり、第0のポートから第11のポートはns mod2=0に対応し、CPは、extended CPであり、FDDおよびTDDをサポートし、または、
【０２２０】
【数７２】
2018516481.tif 000074
【０２２１】
であり、ここで(k', l')=(10, 4)であり、第0のポートから第11のポートはns mod2=1に対応し、CPは、extended CPであり、FDDおよびTDDをサポートし、または、
【０２２２】
【数７３】
2018516481.tif 000075
【０２２３】
であり、ここで(k', l')=(11, 1)であり、第0のポートから第11のポートはns mod2=1に対応し、CPは、extended CPであり、TDDだけをサポートし、または、
【０２２４】
【数７４】
2018516481.tif 000076
【０２２５】
であり、ここで(k', l')=(10, 1)であり、第0のポートから第11のポートはns mod2=1に対応し、CPは、extended CPであり、TDDだけをサポートし、または、
【０２２６】
【数７５】
2018516481.tif 000077
【０２２７】
であり、ここで(k', l')=(11, 2)であり、第0のポートから第11のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【０２２８】
【数７６】
2018516481.tif 000078
【０２２９】
第2の態様の第13の可能な実装形態に関して、第2の態様の第31の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０２３０】
【数７７】
2018516481.tif 000079
【０２３１】
であり、ここで(k', l')=(11, 2)であり、第0のポートから第15のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【０２３２】
【数７８】
2018516481.tif 000080
【０２３３】
第2の態様または第2の態様の第1から第31の可能な実装形態のうちのいずれか1つに関して、方法は、基地局によって、シグナリングを使用することにより第2の基準信号リソースマッピング図の構成インデックスをUEに送信するステップをさらに含み、これにより、UEは、第2の基準信号リソースマッピング図の構成インデックスに従って、第2の基準信号リソースマッピング図に対応する時間-周波数リソース位置を決定する。
【０２３４】
第2の態様または第2の態様の第1から第31の可能な実装形態のうちのいずれか1つに関して、第2の基準信号リソースマッピング図が異なるポート数の少なくとも2つの第1の基準信号リソースマッピング図を含む場合、基地局は、第2の基準信号リソースマッピング図に含まれる各々の第1の基準信号リソースマッピング図の構成情報を通知し、これにより、UEは、異なるポート数の少なくとも2つの第1の基準信号リソースマッピング図に従って、第2の基準信号リソースマッピング図を取得する。
【０２３５】
第2の態様の第33の可能な実装形態に関して、第2の態様の第34の可能な実装形態では、同一のポート数の第2の基準信号リソースマッピング図のすべての構成において、リソースマッピング図が重複するリソースを有している2つの構成がある。
【０２３６】
第2の態様の第33の可能な実装形態に関して、第2の態様の第35の可能な実装形態では、基地局により通知される、第2の基準信号リソースマッピング図に含まれる各々の第1の基準信号リソースマッピング図の構成情報に対応するリソースマッピング図の範囲は、すべての第1の基準信号リソースマッピング図の集合である。
【０２３７】
第2の態様の第33の可能な実装形態に関して、第2の態様の第36の可能な実装形態では、基地局により通知される、第2の基準信号リソースマッピング図に含まれる各々の第1の基準信号リソースマッピング図の構成情報に対応するリソースマッピング図の範囲は、すべての第1の基準信号リソースマッピング図の集合の部分集合である。
【０２３８】
第2の態様または第2の態様の第1から第31の可能な実装形態のうちのいずれか1つに関して、基地局は、ポート数がX1である第2の基準信号のリソースマッピング図のインデックスを通知し、これにより、UEは、事前に設定される規則に従って、ポート数がX2である第2の基準信号のリソースマッピング図を取得し、ここでX1およびX2は等しくない整数であり、X1はX2より大きい。
【０２３９】
第2の態様の第37の可能な実装形態に関して、第2の態様の第38の可能な実装形態では、事前に設定される規則は、X1個のポートの中の第Mのポートから第(M+X2-1)のポートに対応するリソースが、ポート数がX2である第2の基準信号のリソースマッピング図であり、Mが0以上かつX1-X2-1以下の整数である、ことである。
【０２４０】
第2の態様または第2の態様の第1から第31の可能な実装形態のうちのいずれか1つに関して、第2の態様の第39の可能な実装形態では、基地局は、ポート数がX1である第1の基準信号のリソースマッピング図のインデックスと、ポート数がX2である第1の基準信号のリソースマッピング図のインデックスとをUEに通知し、これにより、UEは、前述の情報に従って、ポート数がX1-X2である第2の基準信号のリソースマッピング図を決定し、ここでX1はX2より大きい整数である。
【０２４１】
第2の態様の第39の可能な実装形態に関して、第2の態様の第40の可能な実装形態では、ポート数がX1である第1の基準信号は0ではない電力基準信号であり、ポート数がX2である第1の基準信号は0の電力基準信号である。
【０２４２】
第2の態様に関して、第2の態様の第41の可能な実装形態では、ポート数がXである第2の基準信号のマッピング図が、ポート数がX1である第1の基準信号のリソースマッピング図と、ポート数がX2である第1の基準信号のリソースマッピング図とを含む場合、X1ポートの第1の基準信号リソースマッピング図およびX2ポートの第1の基準信号リソースマッピング図は、PRB pairの中の異なるOFDMシンボルペアを占有し、X1ポートの第1の基準信号リソースマッピング図は、ポート数がXである第2の基準信号の中の第0のポートから第(X1-1)のポートによって占有されるリソースに対応し、X2ポートの第1の基準信号リソースマッピング図は、ポート数がXである第2の基準信号の中の第X1のポートから第(X-1)のポートによって占有されるリソースに対応し、ポート数がXである第2の基準信号に対して、あるPRB pairの中の第0のポートから第(X1-1)のポートおよび第X1のポートから第(X-1)のポートのOFDMシンボルペアの位置は、隣接するPRB pairの中の第0のポートから第(X1-1)のポートおよび第X1のポートから第(X1-1)のポートのOFDMシンボルペアの位置とそれぞれ交換可能であり、ここでX=X1+X2であり、X、X1、およびX2は正の整数である。
【０２４３】
第2の態様の第41の可能な実装形態に関して、第2の態様の第42の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０２４４】
【数７９】
2018516481.tif 000081
【０２４５】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、
【０２４６】
【数８０】
2018516481.tif 000082
【０２４７】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０２４８】
【数８１】
2018516481.tif 000083
【０２４９】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０２５０】
【数８２】
2018516481.tif 000084
【０２５１】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、または、
【０２５２】
【数８３】
2018516481.tif 000085
【０２５３】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、かつ、
【０２５４】
【数８４】
2018516481.tif 000086
【０２５５】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０２５６】
【数８５】
2018516481.tif 000087
【０２５７】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０２５８】
【数８６】
2018516481.tif 000088
【０２５９】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０２６０】
【数８７】
2018516481.tif 000089
【０２６１】
第2の態様の第41の可能な実装形態に関して、第2の態様の第43の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０２６２】
【数８８】
2018516481.tif 000090
【０２６３】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=0であり、XはPRB pairの数であり、かつ、
【０２６４】
【数８９】
2018516481.tif 000091
【０２６５】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=1であり、または、
【０２６６】
【数９０】
2018516481.tif 000092
【０２６７】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=1であり、XはPRB pairの数であり、かつ、
【０２６８】
【数９１】
2018516481.tif 000093
【０２６９】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=0であり、または、
【０２７０】
【数９２】
2018516481.tif 000094
【０２７１】
であり、ここで(k', l')=(9, 5)であり、第0のポートから第15のポートはns mod2=1に対応し、CPは、normal CPであり、FDDおよびTDDをサポートし、PRB pair Xmod2=0であり、XはPRB pairの数であり、かつ、
【０２７２】
【数９３】
2018516481.tif 000095
【０２７３】
であり、ここで(k', l')=(9, 2)であり、第0のポートから第15のポートはns mod2=1に対応し、CPは、normal CPであり、FDDおよびTDDをサポートし、PRB pair Xmod2=1であり、または、
【０２７４】
【数９４】
2018516481.tif 000096
【０２７５】
であり、ここで(k', l')=(9, 5)であり、第0のポートから第15のポートはns mod2=1に対応し、CPは、normal CPであり、FDDおよびTDDをサポートし、PRB pair Xmod2=1であり、XはPRB pairの数であり、
【０２７６】
【数９５】
2018516481.tif 000097
【０２７７】
であり、ここで(k', l')=(9, 2)であり、第0のポートから第15のポートはns mod2=1に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０２７８】
【数９６】
2018516481.tif 000098
【０２７９】
第5の態様によれば、
基準信号リソースマッピング図を取得し、基準信号リソースマッピング図に従って基準信号を取得し、取得ユニットによって取得された基準信号に従ってチャネル測定を実行し、チャネル状態情報を決定し、チャネル状態情報を基地局にフィードバックするように構成されたプロセッサを含むユーザ機器UEが提供され、
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数であり、
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０２８０】
第5の態様に関して、第5の態様の第1の可能な実装形態では、Xが8より大きいとき、Xは2nを満たさず、nは0以上の整数である。
【０２８１】
第5の態様または第5の態様の第1の可能な実装形態に関して、第5の態様の第2の可能な実装形態では、プロセッサは、第2の基準信号リソースマッピング図を取得するようにさらに構成され、
この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、ここでYはXより大きい整数の中でXに最も近く2nを満たす整数であり、符号リソースは直交拡散符号または基準信号のシーケンスである。
【０２８２】
第5の態様の第2の可能な実装形態に関して、第5の態様の第3の可能な実装形態では、
X個の連続するポートはY個のポートの中の第0のポートから第(X-1)のポートであり、またはX個の連続するポートはY個のポートの中の第(Y-X)のポートから第(Y-1)のポートである。
【０２８３】
第5の態様の第2または第3の可能な実装形態に関して、第5の態様の第4の可能な実装形態では、K2=K1であり、または
【０２８４】
【数９７】
2018516481.tif 000099
【０２８５】
であり、
【０２８６】
【数９８】
2018516481.tif 000100
【０２８７】
は切り捨てを表す。
【０２８８】
第5の態様または第5の態様の第1から第4の可能な実装形態のいずれか1つに関して、第5の態様の第5の可能な実装形態では、
K2個の第2の基準信号リソースマッピング図のうちの少なくとも1つが、第1の基準信号リソースマッピング図のうちの少なくとも2つの時間-周波数リソースを含む。
【０２８９】
第5の態様の第5の可能な実装形態に関して、第5の態様の第6の可能な実装形態では、
K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０２９０】
第5の態様の第6の可能な実装形態に関して、第5の態様の第7の可能な実装形態では、
H個のポートは、第1の基準信号リソースマッピング図の中の第0のポートから第(H-1)のポートであり、または第(Y-H)のポートから第(Y-1)のポートである。
【０２９１】
第5の態様または第5の態様の第1の可能な実装形態に関して、第5の態様の第8の可能な実装形態では、プロセッサは、第2の基準信号リソースマッピング図を取得するようにさらに構成され、
Xポートの第2の基準信号リソースマッピング図は、X1ポートの基準信号リソースマッピング図およびX2ポートの基準信号リソースマッピング図を含み、
X1+X2=Xであり、X1とX2の差が2より小さく、X1ポートの基準信号リソースマッピング図およびX2ポートの基準信号リソースマッピング図はm個のサブフレームからUEによって取得され、mは1または2であり、
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０２９２】
第5の態様の第7の可能な実装形態に関して、第5の態様の第9の可能な実装形態では、Xは8より大きい整数である。
【０２９３】
第5の態様の第8または第9の可能な実装形態に関して、第5の態様の第10の可能な実装形態では、UEは、
基地局により通知される、X1ポートの基準信号リソースマッピング図およびX2ポートの基準信号リソースマッピング図を搬送するサブフレームのシーケンスを受信するように構成された受信機をさらに含み、または、
X1ポートの基準信号リソースマッピング図およびX2ポートの基準信号リソースマッピング図を搬送するサブフレームのシーケンスが事前に設定され、このシーケンスはポート数の降順またはポート数の昇順である。
【０２９４】
第5の態様の第8または第9の可能な実装形態に関して、第5の態様の第11の可能な実装形態では、UEは、
基地局により通知される、X1ポートの基準信号リソースマッピング図を搬送するサブフレームの番号とX2ポートの基準信号リソースマッピング図を搬送するサブフレームの番号とを受信するように構成された受信機、または、
X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とを受信するように構成された受信機をさらに含む。
【０２９５】
第5の態様または第5の態様の第1の可能な実装形態に関して、第5の態様の第12の可能な実装形態では、プロセッサは、第2の基準信号リソースマッピング図を取得するようにさらに構成され、
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、Xiの各々は2nとして表すことができ、
X1ポートの基準信号リソースマッピング図、X2ポートの基準信号リソースマッピング図、...、およびXiポートの基準信号リソースマッピング図は少なくとも1つのサブフレームからUEによって取得される。
【０２９６】
第5の態様の第12の可能な実装形態に関して、第5の態様の第13の可能な実装形態では、X1ポートの基準信号リソースマッピング図、X2ポートの基準信号リソースマッピング図、...、およびXiポートの基準信号リソースマッピング図の各々は、第1の基準信号リソースマッピング図であり、
X1、X2、...、Xiの各々は8以下であり、X1、X2、...、Xiに対応するnの値は異なる。
【０２９７】
第5の態様の第12または第13の可能な実装形態に関して、第5の態様の第14の可能な実装形態では、Xは8より大きい整数である。
【０２９８】
第5の態様の第12から第14の可能な実装形態に関して、第5の態様の第15の可能な実装形態では、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【０２９９】
第5の態様の第12から第15の可能な実装形態のうちのいずれか1つに関して、第5の態様の第16の可能な実装形態では、受信機は、基地局により通知される、X1ポートの基準信号リソースマッピング図、X2ポートの基準信号リソースマッピング図、...、およびXiポートの基準信号リソースマッピング図を搬送するサブフレームのシーケンスを受信するように構成され、または、
X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【０３００】
第5の態様の第12から第15の可能な実装形態のうちのいずれか1つに関して、第5の態様の第17の可能な実装形態では、受信機は、基地局により通知される、X1ポートの基準信号リソースマッピング図、X2ポートの基準信号リソースマッピング図、...、およびXiポートの基準信号リソースマッピング図の各々の構成情報を受信するようにさらに構成され、または、
受信機は、基地局により送信されるジョイント符号化シグナリングを受信するようにさらに構成され、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用され、または、
受信機は、X1ポートの基準信号リソースマッピング図の構成情報と、Xjポートの基準信号リソースマッピング図の構成情報およびX1ポートの基準信号リソースマッピング図の構成情報の間の対応関係とを受信するようにさらに構成され、jが1より大きくi以下の整数であり、または、
X1ポートの基準信号リソースマッピング図の構成情報、X2ポートの基準信号リソースマッピング図の構成情報、...、およびXiポートの基準信号リソースマッピング図の構成情報が事前に定義される。
【０３０１】
第5の態様の第12から第16の可能な実装形態のうちのいずれか1つに関して、第5の態様の第18の可能な実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号が事前に定義され、または、
受信機が、基地局により通知される、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号を受信するようにさらに構成され、または、
受信機が、基地局により通知される、X1ポートの基準信号リソースマッピング図を搬送するサブフレームの番号と、Xjポートの基準信号リソースマッピング図を搬送するサブフレームおよびX1ポートの基準信号リソースマッピング図を搬送するサブフレームの間のサブフレーム間隔とを受信するようにさらに構成され、jは1より大きくi以下の整数である。
【０３０２】
第5の態様の第13の可能な実装形態に関して、第5の態様の第19の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、ここでLはXi、Xjの中で最小の値であり、または、
各PRB pairの中でのXtポートの基準信号リソースマッピング図およびXjポートの基準信号リソースマッピング図の時間-周波数リソース位置が異なる。
【０３０３】
第5の態様の第13の可能な実装形態に関して、第5の態様の第20の可能な実装形態では、X1ポートの基準信号リソースマッピング図、X2ポートの基準信号リソースマッピング図、...、およびXiポートの基準信号リソースマッピング図の時間-周波数リソース位置の中に、Q個の同じ相対的な時間-周波数リソース位置があり、相対的な時間-周波数リソース位置は、各PRB pairの中での基準信号リソースマッピング図の時間-周波数リソース位置である。
【０３０４】
第5の態様の第20の可能な実装形態に関して、第5の態様の第21の可能な実装形態では、QはX1、X2、...、Xiの中で最小の値である。
【０３０５】
第5の態様の第13の可能な実装形態に関して、第5の態様の第22の可能な実装形態では、X1ポートの基準信号リソースマッピング図、X2ポートの基準信号リソースマッピング図、...、およびXiポートの基準信号リソースマッピング図の時間-周波数リソース位置の中にQ個の同じサブキャリアがあり、Qは1より大きい整数である。
【０３０６】
第5の態様の第22の可能な実装形態に関して、第5の態様の第23の可能な実装形態では、Q個の同じサブキャリアはLポートの基準信号リソースマッピング図によって占有されるサブキャリアであり、LはX1、X2、...、Xiの中で最小の値である。
【０３０７】
第5の態様の第13の可能な実装形態に関して、第5の態様の第24の可能な実装形態では、X1ポートの基準信号リソースマッピング図、X2ポートの基準信号リソースマッピング図、...、およびXiポートの基準信号リソースマッピング図の時間-周波数リソース位置に対応するサブキャリアは異なる。
【０３０８】
第5の態様の第12から第15の可能な実装形態に関して、第5の態様の第25の可能な実装形態では、X1ポートの基準信号リソースマッピング図、X2ポートの基準信号リソースマッピング図、...、およびXiポートの基準信号リソースマッピング図の時間-周波数リソース位置によって占有される直交周波数分割多重OFDMシンボルは同じである。
【０３０９】
第5の態様の第20の可能な実装形態に関して、第5の態様の第26の可能な実装形態では、Q個の同じ時間-周波数リソース位置は、Xjポートの基準信号リソースマッピング図の中の第0のポートから第(Q-1)のポートに対応する時間-周波数リソース位置であり、XjはX1、X2、...、Xiの中で最小の値である。
【０３１０】
第5の態様の第2の可能な実装形態に関して、第5の態様の第27の可能な実装形態では、Xが3であり、Yが4であり、K2=K1=10である場合、第2の基準信号リソースマッピング図の時間-周波数リソース位置は(k, l)であり、kはリソース要素REのサブキャリア番号であり、lはREに対応するシンボルであり、
【０３１１】
【数９９】
2018516481.tif 000101
【０３１２】
であり、ここで、第2の基準信号リソースマッピング図の第1の構成において、
【０３１３】
【数１００】
2018516481.tif 000102
【０３１４】
、第2の構成において、
【０３１５】
【数１０１】
2018516481.tif 000103
【０３１６】
、第10の構成において、
【０３１７】
【数１０２】
2018516481.tif 000104
【０３１８】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０３１９】
第5の態様の第27の可能な実装形態に関して、第5の態様の第28の可能な実装形態では、K1=10であり、K2=4*10/3である場合、(k, l)以外の第2の基準信号リソースマッピング図の時間-周波数リソース位置は、
【０３２０】
【数１０３】
2018516481.tif 000105
【０３２１】
、または
【０３２２】
【数１０４】
2018516481.tif 000106
【０３２３】
、または
【０３２４】
【数１０５】
2018516481.tif 000107
【０３２５】
であり、
【０３２６】
【数１０６】
2018516481.tif 000108
【０３２７】
である。
【０３２８】
第5の態様の第2の可能な実装形態に関して、第5の態様の第29の可能な実装形態では、Xが5であり、Yが8であり、K2=K1=5である場合、第2の基準信号リソースマッピング図の時間-周波数リソース位置は(k, l)であり、kはREのサブキャリア番号であり、lはREに対応するシンボルであり、
【０３２９】
【数１０７】
2018516481.tif 000109
【０３３０】
であり、ここで、第2の基準信号リソースマッピング図の第1の構成において、
【０３３１】
【数１０８】
2018516481.tif 000110
【０３３２】
、第2の構成において、
【０３３３】
【数１０９】
2018516481.tif 000111
【０３３４】
、第5の構成において、
【０３３５】
【数１１０】
2018516481.tif 000112
【０３３６】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０３３７】
第5の態様の第13の可能な実装形態に関して、第5の態様の第30の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０３３８】
【数１１１】
2018516481.tif 000113
【０３３９】
であり、ここで(k', l')=(9, 5)であり、第0のポートから第7のポートはns mod2=0に対応し、第8のポートから第11のポートはns mod2=1に対応し、CPは、normal CPであり、周波数分割多重FDDおよび時分割多重TDDをサポートし、または、
【０３４０】
【数１１２】
2018516481.tif 000114
【０３４１】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【０３４２】
【数１１３】
2018516481.tif 000115
【０３４３】
であり、ここで(k', l')=(9, 5)であり、第0のポートから第11のポートはns mod2=1に対応し、CPは、normal CPであり、FDDおよびTDDをサポートし、または、
【０３４４】
【数１１４】
2018516481.tif 000116
【０３４５】
であり、ここで(k', l')=(9, 5)であり、第0のポートから第11のポートはns mod2=1に対応し、CPは、normal CPであり、FDDおよびTDDをサポートし、または、
【０３４６】
【数１１５】
2018516481.tif 000117
【０３４７】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【０３４８】
【数１１６】
2018516481.tif 000118
【０３４９】
であり、ここで(k', l')=(11, 1)であり、第0のポートから第11のポートはns mod2=1に対応し、CPは、normal CPであり、TDDだけをサポートし、または、
【０３５０】
【数１１７】
2018516481.tif 000119
【０３５１】
であり、ここで(k', l')=(7, 1)であり、第0のポートから第11のポートはns mod2=1に対応し、CPは、normal CPであり、TDDだけをサポートし、または、
【０３５２】
【数１１８】
2018516481.tif 000120
【０３５３】
であり、ここで(k', l')=(11, 4)であり、第0のポートから第11のポートはns mod2=0に対応し、CPは、extended CPであり、FDDおよびTDDをサポートし、または、
【０３５４】
【数１１９】
2018516481.tif 000121
【０３５５】
であり、ここで(k', l')=(9, 4)であり、第0のポートから第11のポートはns mod2=0に対応し、CPは、extended CPであり、FDDおよびTDDをサポートし、または、
【０３５６】
【数１２０】
2018516481.tif 000122
【０３５７】
であり、ここで(k', l')=(10, 4)であり、第0のポートから第11のポートはns mod2=1に対応し、CPは、extended CPであり、FDDおよびTDDをサポートし、または、
【０３５８】
【数１２１】
2018516481.tif 000123
【０３５９】
であり、ここで(k', l')=(11, 1)であり、第0のポートから第11のポートはns mod2=1に対応し、CPは、extended CPであり、TDDだけをサポートし、または、
【０３６０】
【数１２２】
2018516481.tif 000124
【０３６１】
であり、ここで(k', l')=(10, 1)であり、第0のポートから第11のポートはns mod2=1に対応し、CPは、extended CPであり、TDDだけをサポートし、または、
【０３６２】
【数１２３】
2018516481.tif 000125
【０３６３】
であり、ここで(k', l')=(11, 2)であり、第0のポートから第11のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【０３６４】
【数１２４】
2018516481.tif 000126
【０３６５】
第5の態様の第13の可能な実装形態に関して、第5の態様の第31の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０３６６】
【数１２５】
2018516481.tif 000127
【０３６７】
であり、ここで(k', l')=(11, 2)であり、第0のポートから第15のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【０３６８】
【数１２６】
2018516481.tif 000128
【０３６９】
第5の態様または第5の態様の第1から第31の可能な実装形態のうちのいずれか1つに関して、第5の態様の第32の可能な実装形態では、受信機は、基地局により送信される、第2の基準信号リソースマッピング図の構成インデックスを受信するようにさらに構成され、
プロセッサは、第2の基準信号リソースマッピング図の構成インデックスに従って、第2の基準信号リソースマッピング図に対応する時間-周波数リソース位置を決定するようにさらに構成される。
【０３７０】
第5の態様または第5の態様の第1から第31の可能な実装形態のうちのいずれか1つに関して、第5の態様の第33の可能な実装形態では、第2の基準信号リソースマッピング図が異なるポート数の少なくとも2つの第1の基準信号リソースマッピング図を含む場合、
受信機は、基地局により別々に通知される、第2の基準信号リソースマッピング図に含まれる各々の第1の基準信号リソースマッピング図の構成情報を受信するようにさらに構成され、
プロセッサは、異なるポート数の少なくとも2つの第1の基準信号リソースマッピング図に従って、第2の基準信号リソースマッピング図を取得するようにさらに構成される。
【０３７１】
第5の態様の第33の可能な実装形態に関して、第5の態様の第34の可能な実装形態では、同一のポート数の第2の基準信号リソースマッピング図のすべての構成において、リソースマッピング図が重複するリソースを有している2つの構成がある。
【０３７２】
第5の態様の第33の可能な実装形態に関して、第5の態様の第35の可能な実装形態では、基地局により通知される、第2の基準信号リソースマッピング図に含まれる各々の第1の基準信号リソースマッピング図の構成情報に対応するリソースマッピング図の範囲は、すべての第1の基準信号リソースマッピング図の集合である。
【０３７３】
第5の態様の第33の可能な実装形態に関して、第5の態様の第36の可能な実装形態では、基地局により通知される、第2の基準信号リソースマッピング図に含まれる各々の第1の基準信号リソースマッピング図の構成情報に対応するリソースマッピング図の範囲は、すべての第1の基準信号リソースマッピング図の集合の部分集合である。
【０３７４】
第5の態様または第5の態様の第1から第31の可能な実装形態のうちのいずれか1つに関して、第5の態様の第37の可能な実装形態では、受信機は、基地局により通知される、ポート数がX1である第2の基準信号のリソースマッピング図のインデックスを受信するようにさらに構成され、
プロセッサは、事前に設定される規則に従って、ポート数がX2である第2の基準信号のリソースマッピング図を取得するようにさらに構成され、X1およびX2は等しくない整数であり、X1はX2より大きい。
【０３７５】
第5の態様の第37の可能な実装形態に関して、第5の態様の第38の可能な実装形態では、事前に設定される規則は、X1個のポートの中の第Mのポートから第(M+X2-1)のポートに対応するリソースが、ポート数がX2である第2の基準信号のリソースマッピング図であり、Mが0以上かつX1-X2-1以下の整数である、ことである。
【０３７６】
第5の態様または第5の態様の第1から第31の可能な実装形態のうちのいずれか1つに関して、第5の態様の第39の可能な実装形態では、受信機は、基地局により通知される、UEの、ポート数がX1である第1の基準信号のリソースマッピング図のインデックスと、ポート数がX2である第1の基準信号のリソースマッピング図のインデックスとを受信するようにさらに構成され、
プロセッサは、上述の情報に従って、ポート数がX1-X2である第2の基準信号のリソースマッピング図を決定するようにさらに構成され、X1はX2より大きい整数である。
【０３７７】
第5の態様の第39の可能な実装形態に関して、第5の態様の第40の可能な実装形態では、ポート数がX1である第1の基準信号は0ではない電力基準信号であり、ポート数がX2である第1の基準信号は0の電力基準信号である。
【０３７８】
第5の態様に関して、第5の態様の第41の可能な実装形態では、ポート数がXである第2の基準信号のマッピング図が、ポート数がX1である第1の基準信号のリソースマッピング図と、ポート数がX2である第1の基準信号のリソースマッピング図とを含む場合、X1ポートの第1の基準信号リソースマッピング図およびX2ポートの第1の基準信号リソースマッピング図は、PRB pairの中の異なるOFDMシンボルペアを占有し、X1ポートの第1の基準信号リソースマッピング図は、ポート数がXである第2の基準信号の中の第0のポートから第(X1-1)のポートによって占有されるリソースに対応し、X2ポートの第1の基準信号リソースマッピング図は、ポート数がXである第2の基準信号の中の第X1のポートから第(X-1)のポートによって占有されるリソースに対応し、ポート数がXである第2の基準信号に対して、あるPRB pairの中の第0のポートから第(X1-1)のポートおよび第X1のポートから第(X-1)のポートのOFDMシンボルペアの位置は、隣接するPRB pairの中の第0のポートから第(X1-1)のポートおよび第X1のポートから第(X1-1)のポートのOFDMシンボルペアの位置とそれぞれ交換可能であり、ここでX=X1+X2であり、X、X1、およびX2は正の整数である。
【０３７９】
第5の態様の第41の可能な実装形態に関して、第5の態様の第42の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０３８０】
【数１２７】
2018516481.tif 000129
【０３８１】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、
【０３８２】
【数１２８】
2018516481.tif 000130
【０３８３】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０３８４】
【数１２９】
2018516481.tif 000131
【０３８５】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０３８６】
【数１３０】
2018516481.tif 000132
【０３８７】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、または、
【０３８８】
【数１３１】
2018516481.tif 000133
【０３８９】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、
【０３９０】
【数１３２】
2018516481.tif 000134
【０３９１】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０３９２】
【数１３３】
2018516481.tif 000135
【０３９３】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０３９４】
【数１３４】
2018516481.tif 000136
【０３９５】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０３９６】
【数１３５】
2018516481.tif 000137
【０３９７】
第5の態様の第41の可能な実装形態に関して、第5の態様の第43の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０３９８】
【数１３６】
2018516481.tif 000138
【０３９９】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=0であり、XはPRB pairの数であり、
【０４００】
【数１３７】
2018516481.tif 000139
【０４０１】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=1であり、または、
【０４０２】
【数１３８】
2018516481.tif 000140
【０４０３】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=1であり、XはPRB pairの数であり、
【０４０４】
【数１３９】
2018516481.tif 000141
【０４０５】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=0であり、または、
【０４０６】
【数１４０】
2018516481.tif 000142
【０４０７】
であり、ここで(k', l')=(9, 5)であり、第0のポートから第15のポートはns mod2=1に対応し、CPは、normal CPであり、FDDおよびTDDをサポートし、PRB pair Xmod2=0であり、XはPRB pairの数であり、
【０４０８】
【数１４１】
2018516481.tif 000143
【０４０９】
であり、ここで(k', l')=(9, 2)であり、第0のポートから第15のポートはns mod2=1に対応し、CPは、normal CPであり、FDDおよびTDDをサポートし、PRB pair Xmod2=1であり、または、
【０４１０】
【数１４２】
2018516481.tif 000144
【０４１１】
であり、ここで(k', l')=(9, 5)であり、第0のポートから第15のポートはns mod2=1に対応し、CPは、normal CPであり、FDDおよびTDDをサポートし、PRB pair Xmod2=1であり、XはPRB pairの数であり、
【０４１２】
【数１４３】
2018516481.tif 000145
【０４１３】
であり、ここで(k', l')=(9, 2)であり、第0のポートから第15のポートはns mod2=1に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０４１４】
【数１４４】
2018516481.tif 000146
【０４１５】
第5の態様によれば、
基準信号リソースマッピング図を構成設定するように構成されたプロセッサと、
基準信号リソースマッピング図をユーザ機器UEに送信するように構成された送信機と、
UEによりフィードバックされたチャネル状態情報を受信するように構成された受信機と、を含む基地局が提供され、
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数であり、
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０４１６】
第6の態様に関して、第6の態様の第1の可能な実装形態では、Xが8より大きいとき、Xは2nを満たさず、nは0以上の整数である。
【０４１７】
第6の態様または第6の態様の第1の可能な実装形態に関して、第6の態様の第2の可能な実装形態では、相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、ここでYはXより大きい整数の中でXに最も近く2nを満たす整数であり、符号リソースは直交拡散符号または基準信号のシーケンスである。
【０４１８】
第6の態様の第2の可能な実装形態に関して、第6の態様の第3の可能な実装形態では、
X個の連続するポートはY個のポートの中の第0のポートから第(X-1)のポートであり、またはX個の連続するポートはY個のポートの中の第(Y-X)のポートから第(Y-1)のポートである。
【０４１９】
第6の態様の第2または第3の可能な実装形態に関して、第6の態様の第4の可能な実装形態では、K2=K1であり、または
【０４２０】
【数１４５】
2018516481.tif 000147
【０４２１】
であり、
【０４２２】
【数１４６】
2018516481.tif 000148
【０４２３】
は切り捨てを表す。
【０４２４】
第6の態様の第5の可能な実装形態に関して、第6の態様の第6の可能な実装形態では、
K2個の第2の基準信号リソースマッピング図のうちの少なくとも1つが、第1の基準信号リソースマッピング図のうちの少なくとも2つの時間-周波数リソースを含む。
【０４２５】
第6の態様の第6の可能な実装形態に関して、第6の態様の第7の可能な実装形態では、
K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０４２６】
第6の態様または第6の態様の第1の可能な実装形態に関して、第6の態様の第8の可能な実装形態では、H個のポートは、第1の基準信号リソースマッピング図の中の第0のポートから第(H-1)のポートまたは第(Y-H)のポートから第(Y-1)のポートである。
【０４２７】
第6の態様の第7の可能な実装形態に関して、第6の態様の第9の可能な実装形態では、送信機は、第2の基準信号リソースマッピング図をUEに送信するようにさらに構成され、
Xポートの第2の基準信号リソースマッピング図は、X1ポートの基準信号リソースマッピング図およびX2ポートの基準信号リソースマッピング図を含み、
X1+X2=Xであり、X1とX2の差が2より小さく、X1ポートの基準信号リソースマッピング図およびX2ポートの基準信号リソースマッピング図はm個のサブフレームからUEによって取得され、mは1または2であり、
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０４２８】
第6の態様の第7の可能な実装形態に関して、第6の態様の第9の可能な実装形態では、Xは8より大きい整数である。
【０４２９】
第6の態様の第8または第9の可能な実装形態に関して、第6の態様の第10の可能な実装形態では、送信機は、X1ポートの基準信号リソースマッピング図およびX2ポートの基準信号リソースマッピング図を搬送するサブフレームのシーケンスをUEに通知するようにさらに構成され、または、
X1ポートの基準信号リソースマッピング図およびX2ポートの基準信号リソースマッピング図を搬送するサブフレームのシーケンスは事前に設定され、
このシーケンスはポート数の降順またはポート数の昇順である。
【０４３０】
第6の態様の第8または第9の可能な実装形態に関して、第6の態様の第11の可能な実装形態では、送信機は、X1ポートの基準信号リソースマッピング図を搬送するサブフレームの番号およびX2ポートの基準信号リソースマッピング図を搬送するサブフレームの番号をUEに通知するようにさらに構成され、または、
送信機は、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とをUEに通知するようにさらに構成される。
【０４３１】
第6の態様または第6の態様の第1の可能な実装形態に関して、第6の態様の第12の可能な実装形態では、送信機は、第2の基準信号リソースマッピング図をUEに送信するようにさらに構成され、
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、Xiの各々は2nとして表すことができ、
X1ポートの基準信号リソースマッピング図、X2ポートの基準信号リソースマッピング図、...、およびXiポートの基準信号リソースマッピング図は少なくとも1つのサブフレームからUEによって取得される。
【０４３２】
第6の態様の第12の可能な実装形態に関して、第6の態様の第13の可能な実装形態では、X1ポートの基準信号リソースマッピング図、X2ポートの基準信号リソースマッピング図、...、およびXiポートの基準信号リソースマッピング図の各々は、第1の基準信号リソースマッピング図であり、
X1、X2、...、Xiの各々は8以下であり、X1、X2、...、Xiに対応するnの値は異なる。
【０４３３】
第6の態様の第12または第13の可能な実装形態に関して、第6の態様の第14の可能な実装形態では、Xは8より大きい整数である。
【０４３４】
第6の態様の第12から第14の可能な実装形態に関して、第6の態様の第15の可能な実装形態では、X1ポートの基準信号リソースマッピング図、X2ポートの基準信号リソースマッピング図、...、およびXiポートの基準信号リソースマッピング図は1つのサブフレームにおいて基地局によって送信され、または、X1ポートの基準信号リソースマッピング図、X2ポートの基準信号リソースマッピング図、...、およびXiポートの基準信号リソースマッピング図はi個のサブフレームにおいて基地局によって送信される。
【０４３５】
第6の態様の第12から第15の可能な実装形態のうちのいずれか1つに関して、第6の態様の第16の可能な実装形態では、送信機は、X1ポートの基準信号リソースマッピング図、X2ポートの基準信号リソースマッピング図、...、およびXiポートの基準信号リソースマッピング図を搬送するサブフレームのシーケンスをUEに通知するようにさらに構成され、または、
X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【０４３６】
第6の態様の第12から第15の可能な実装形態のうちのいずれか1つに関して、第6の態様の第17の可能な実装形態では、送信機は、X1ポートの基準信号リソースマッピング図、X2ポートの基準信号リソースマッピング図、...、およびXiポートの基準信号リソースマッピング図の各々の構成情報をUEに通知するようにさらに構成され、または、
送信機は、ジョイント符号化シグナリングをUEに送信するようにさらに構成され、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用され、または、
送信機は、X1ポートの基準信号リソースマッピング図の構成情報と、Xjポートの基準信号リソースマッピング図の構成情報およびX1ポートの基準信号リソースマッピング図の構成情報の間の対応関係とをUEに通知するようにさらに構成され、jが1より大きくi以下の整数であり、または、
X1ポートの基準信号リソースマッピング図の構成情報、X2ポートの基準信号リソースマッピング図の構成情報、...、およびXiポートの基準信号リソースマッピング図の構成情報が事前に定義される。
【０４３７】
第6の態様の第12から第16の可能な実装形態のうちのいずれか1つに関して、第6の態様の第18の可能な実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号が事前に定義され、または、
送信機は、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号をUEに通知するようにさらに構成され、または、
送信機は、X1ポートの基準信号リソースマッピング図を搬送するサブフレームの番号と、Xjポートの基準信号リソースマッピング図を搬送するサブフレームおよびX1ポートの基準信号リソースマッピング図を搬送するサブフレームの間のサブフレーム間隔とをUEに通知するようにさらに構成され、jは1より大きくi以下の整数である。
【０４３８】
第6の態様の第13の可能な実装形態に関して、第6の態様の第19の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、ここでLはXi、Xjの中で最小の値であり、または、
各PRB pairの中でのXtポートの基準信号リソースマッピング図およびXjポートの基準信号リソースマッピング図の時間-周波数リソース位置が異なる。
【０４３９】
第6の態様の第13の可能な実装形態に関して、第6の態様の第20の可能な実装形態では、X1ポートの基準信号リソースマッピング図、X2ポートの基準信号リソースマッピング図、...、およびXiポートの基準信号リソースマッピング図の時間-周波数リソース位置の中に、Q個の同じ相対的な時間-周波数リソース位置があり、相対的な時間-周波数リソース位置は、各PRB pairの中での基準信号リソースマッピング図の時間-周波数リソース位置である。
【０４４０】
第6の態様の第20の可能な実装形態に関して、第6の態様の第21の可能な実装形態では、QはX1、X2、...、Xiの中で最小の値である。
【０４４１】
第6の態様の第13の可能な実装形態に関して、第6の態様の第22の可能な実装形態では、X1ポートの基準信号リソースマッピング図、X2ポートの基準信号リソースマッピング図、...、およびXiポートの基準信号リソースマッピング図の時間-周波数リソース位置の中にQ個の同じサブキャリアがあり、Qは1より大きい整数である。
【０４４２】
第6の態様の第22の可能な実装形態に関して、第6の態様の第23の可能な実装形態では、Q個の同じサブキャリアはLポートの基準信号リソースマッピング図によって占有されるサブキャリアであり、LはX1、X2、...、Xiの中で最小の値である。
【０４４３】
第6の態様の第13の可能な実装形態に関して、第6の態様の第24の可能な実装形態では、X1ポートの基準信号リソースマッピング図、X2ポートの基準信号リソースマッピング図、...、およびXiポートの基準信号リソースマッピング図の時間-周波数リソース位置に対応するサブキャリアは異なる。
【０４４４】
第6の態様の第12から第15の可能な実装形態に関して、第6の態様の第25の可能な実装形態では、X1ポートの基準信号リソースマッピング図、X2ポートの基準信号リソースマッピング図、...、およびXiポートの基準信号リソースマッピング図の時間-周波数リソース位置によって占有される直交周波数分割多重OFDMシンボルは同じである。
【０４４５】
第6の態様の第20の可能な実装形態に関して、第6の態様の第26の可能な実装形態では、Q個の重複する時間-周波数リソース位置は、Xjポートの基準信号リソースマッピング図の中の第0のポートから第(Q-1)のポートに対応する時間-周波数リソース位置である。
【０４４６】
第6の態様の第2の可能な実装形態に関して、第6の態様の第27の可能な実装形態では、Xが3であり、Yが4であり、K2=K1=10である場合、第2の基準信号リソースマッピング図の時間-周波数リソース位置は(k, l)であり、kはREのサブキャリア番号であり、lはREに対応するシンボルであり、
【０４４７】
【数１４７】
2018516481.tif 000149
【０４４８】
であり、ここで、第2の基準信号リソースマッピング図の第1の構成において、
【０４４９】
【数１４８】
2018516481.tif 000150
【０４５０】
、第2の構成において、
【０４５１】
【数１４９】
2018516481.tif 000151
【０４５２】
、第10の構成において、
【０４５３】
【数１５０】
2018516481.tif 000152
【０４５４】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０４５５】
第6の態様の第27の可能な実装形態に関して、第6の態様の第28の可能な実装形態では、K1=10であり、K2=4*10/3である場合、(k, l)以外の第2の基準信号リソースマッピング図の時間-周波数リソース位置は、
【０４５６】
【数１５１】
2018516481.tif 000153
【０４５７】
、または
【０４５８】
【数１５２】
2018516481.tif 000154
【０４５９】
、または
【０４６０】
【数１５３】
2018516481.tif 000155
【０４６１】
であり、
【０４６２】
【数１５４】
2018516481.tif 000156
【０４６３】
である。
【０４６４】
第6の態様の第2の可能な実装形態に関して、第6の態様の第29の可能な実装形態では、Xが5であり、Yが8であり、K2=K1=5である場合、第2の基準信号リソースマッピング図の時間-周波数リソース位置は(k, l)であり、kはREのサブキャリア番号であり、lはREに対応するシンボルであり、
【０４６５】
【数１５５】
2018516481.tif 000157
【０４６６】
であり、ここで、第2の基準信号リソースマッピング図の第1の構成において、
【０４６７】
【数１５６】
2018516481.tif 000158
【０４６８】
、第2の構成において、
【０４６９】
【数１５７】
2018516481.tif 000159
【０４７０】
、第5の構成において、
【０４７１】
【数１５８】
2018516481.tif 000160
【０４７２】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０４７３】
第6の態様の第13の可能な実装形態に関して、第6の態様の第30の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０４７４】
【数１５９】
2018516481.tif 000161
【０４７５】
であり、ここで(k', l')=(9, 5)であり、第0のポートから第7のポートはns mod2=0に対応し、第8のポートから第11のポートはns mod2=1に対応し、CPは、normal CPであり、周波数分割多重FDDおよび時分割多重TDDをサポートし、または、
【０４７６】
【数１６０】
2018516481.tif 000162
【０４７７】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【０４７８】
【数１６１】
2018516481.tif 000163
【０４７９】
であり、ここで(k', l')=(9, 5)であり、第0のポートから第11のポートはns mod2=1に対応し、CPは、normal CPであり、FDDおよびTDDをサポートし、または、
【０４８０】
【数１６２】
2018516481.tif 000164
【０４８１】
であり、ここで(k', l')=(9, 5)であり、第0のポートから第11のポートはns mod2=1に対応し、CPは、normal CPであり、FDDおよびTDDをサポートし、または、
【０４８２】
【数１６３】
2018516481.tif 000165
【０４８３】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、または、
【０４８４】
【数１６４】
2018516481.tif 000166
【０４８５】
であり、ここで(k', l')=(11, 1)であり、第0のポートから第11のポートはns mod2=1に対応し、CPは、normal CPであり、TDDだけをサポートし、または、
【０４８６】
【数１６５】
2018516481.tif 000167
【０４８７】
であり、ここで(k', l')=(7, 1)であり、第0のポートから第11のポートはns mod2=1に対応し、CPは、normal CPであり、TDDだけをサポートし、または、
【０４８８】
【数１６６】
2018516481.tif 000168
【０４８９】
であり、ここで(k', l')=(11, 4)であり、第0のポートから第11のポートはns mod2=0に対応し、CPは、extended CPであり、FDDおよびTDDをサポートし、または、
【０４９０】
【数１６７】
2018516481.tif 000169
【０４９１】
であり、ここで(k', l')=(9, 4)であり、第0のポートから第11のポートはns mod2=0に対応し、CPは、extended CPであり、FDDおよびTDDをサポートし、または、
【０４９２】
【数１６８】
2018516481.tif 000170
【０４９３】
であり、ここで(k', l')=(10, 4)であり、第0のポートから第11のポートはns mod2=1に対応し、CPは、extended CPであり、FDDおよびTDDをサポートし、または、
【０４９４】
【数１６９】
2018516481.tif 000171
【０４９５】
であり、ここで(k', l')=(11, 1)であり、第0のポートから第11のポートはns mod2=1に対応し、CPは、extended CPであり、TDDだけをサポートし、または、
【０４９６】
【数１７０】
2018516481.tif 000172
【０４９７】
であり、ここで(k', l')=(10, 1)であり、第0のポートから第11のポートはns mod2=1に対応し、CPは、extended CPであり、TDDだけをサポートし、または、
【０４９８】
【数１７１】
2018516481.tif 000173
【０４９９】
であり、ここで(k', l')=(11, 2)であり、第0のポートから第11のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【０５００】
【数１７２】
2018516481.tif 000174
【０５０１】
第6の態様の第13の可能な実装形態に関して、第6の態様の第31の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０５０２】
【数１７３】
2018516481.tif 000175
【０５０３】
であり、ここで(k', l')=(11, 2)であり、第0のポートから第15のポートはns mod2=1に対応し、CPは、normal CPであり、FDDおよびTDDをサポートし、かつ、
上述の式において、pはポート番号であり、k'は各PRB pairにおけるサブキャリアの番号であり、l'は各スロットにおけるOFDMシンボルの番号であり、拡散率は以下の条件を満たす。
【０５０４】
【数１７４】
2018516481.tif 000176
【０５０５】
第6の態様または第6の態様の第1から第31の可能な実装形態のうちのいずれか1つに関して、第6の態様の第32の可能な実装形態では、送信機は、シグナリングを使用することにより第2の基準信号リソースマッピング図の構成インデックスをUEに送信するようにさらに構成され、これにより、UEは、第2の基準信号リソースマッピング図の構成インデックスに従って、第2の基準信号リソースマッピング図に対応する時間-周波数リソース位置を決定する。
【０５０６】
第6の態様または第6の態様の第1から第31の可能な実装形態のうちのいずれか1つに関して、第6の態様の第33の可能な実装形態では、第2の基準信号リソースマッピング図が異なるポート数の少なくとも2つの第1の基準信号リソースマッピング図を含む場合、送信機は、第2の基準信号リソースマッピング図に含まれる各々の第1の基準信号リソースマッピング図の構成情報を別々に通知し、これにより、UEは、異なるポート数の少なくとも2つの第1の基準信号リソースマッピング図に従って、第2の基準信号リソースマッピング図を取得する。
【０５０７】
第6の態様の第33の可能な実装形態に関して、第6の態様の第34の可能な実装形態では、同一のポート数の第2の基準信号リソースマッピング図のすべての構成において、リソースマッピング図が重複するリソースを有している2つの構成がある。
【０５０８】
第6の態様の第33の可能な実装形態に関して、第6の態様の第35の可能な実装形態では、送信機により通知される、第2の基準信号リソースマッピング図に含まれる各々の第1の基準信号リソースマッピング図の構成情報に対応するリソースマッピング図の範囲は、すべての第1の基準信号リソースマッピング図の集合である。
【０５０９】
第6の態様の第33の可能な実装形態に関して、第6の態様の第36の可能な実装形態では、送信機により通知される、第2の基準信号リソースマッピング図に含まれる各々の第1の基準信号リソースマッピング図の構成情報に対応するリソースマッピング図の範囲は、すべての第1の基準信号リソースマッピング図の集合の部分集合である。
【０５１０】
第6の態様または第6の態様の第1から第31の可能な実装形態のうちのいずれか1つに関して、第6の態様の第37の可能な実装形態では、送信機は、ポート数がX1である第2の基準信号のリソースマッピング図のインデックスを通知するようにさらに構成され、これにより、ポート数がX2である第2の基準信号のリソースマッピング図が、事前に設定される規則に従って取得され、ここでX1およびX2は等しくない整数であり、X1はX2より大きい。
【０５１１】
第6の態様の第37の可能な実装形態に関して、第6の態様の第38の可能な実装形態では、事前に設定される規則は、X1個のポートの中の第Mのポートから第(M+X2-1)のポートに対応するリソースが、ポート数がX2である第2の基準信号のリソースマッピング図であり、Mが0以上かつX1-X2-1以下の整数である、ことである。
【０５１２】
第6の態様または第6の態様の第1から第31の可能な実装形態のうちのいずれか1つに関して、第6の態様の第39の可能な実装形態では、送信機は、ポート数がX1である第1の基準信号のリソースマッピング図のインデックスと、ポート数がX2である第1の基準信号のリソースマッピング図のインデックスとをUEに通知するようにさらに構成され、これにより、ポート数がX1-X2である第2の基準信号のリソースマッピング図は、上述の情報に従って決定され、ここでX1はX2より大きい整数である。
【０５１３】
第6の態様の第39の可能な実装形態に関して、第6の態様の第40の可能な実装形態では、ポート数がX1である第1の基準信号は0ではない電力基準信号であり、ポート数がX2である第1の基準信号は0の電力基準信号である。
【０５１４】
第6の態様に関して、第6の態様の第41の可能な実装形態では、ポート数がXである第2の基準信号のマッピング図が、ポート数がX1である第1の基準信号のリソースマッピング図と、ポート数がX2である第1の基準信号のリソースマッピング図とを含む場合、X1ポートの第1の基準信号リソースマッピング図およびX2ポートの第1の基準信号リソースマッピング図は、PRB pairの中の異なるOFDMシンボルペアを占有し、X1ポートの第1の基準信号リソースマッピング図は、ポート数がXである第2の基準信号の中の第0のポートから第(X1-1)のポートによって占有されるリソースに対応し、X2ポートの第1の基準信号リソースマッピング図は、ポート数がXである第2の基準信号の中の第X1のポートから第(X-1)のポートによって占有されるリソースに対応し、ポート数がXである第2の基準信号に対して、あるPRB pairの中の第0のポートから第(X1-1)のポートおよび第X1のポートから第(X-1)のポートのOFDMシンボルペアの位置は、隣接するPRB pairの中の第0のポートから第(X1-1)のポートおよび第X1のポートから第(X1-1)のポートのOFDMシンボルペアの位置とそれぞれ交換可能であり、ここでX=X1+X2であり、X、X1、およびX2は正の整数である。
【０５１５】
第6の態様の第41の可能な実装形態に関して、第6の態様の第42の可能な実装形態では、X=12であり、X1=8であり、X2=4である場合、第2の基準信号リソースマッピング図の時間-周波数リソース位置は(k, l)であり、kはリソース要素REのサブキャリア番号であり、lはREに対応するシンボルであり、
【０５１６】
【数１７５】
2018516481.tif 000177
【０５１７】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、
【０５１８】
【数１７６】
2018516481.tif 000178
【０５１９】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０５２０】
【数１７７】
2018516481.tif 000179
【０５２１】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０５２２】
【数１７８】
2018516481.tif 000180
【０５２３】
であり、ここで(k', l')=(9, 5)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、
【０５２４】
【数１７９】
2018516481.tif 000181
【０５２５】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=0であり、XはPRB pairの数であり、
【０５２６】
【数１８０】
2018516481.tif 000182
【０５２７】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=1であり、または、
【０５２８】
【数１８１】
2018516481.tif 000183
【０５２９】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数であり、
【０５３０】
【数１８２】
2018516481.tif 000184
【０５３１】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０５３２】
【数１８３】
2018516481.tif 000185
【０５３３】
第6の態様の第41の可能な実装形態に関して、第6の態様の第43の可能な実装形態では、X=16であり、X1=8であり、X2=8である場合、第2の基準信号リソースマッピング図の時間-周波数リソース位置は(k, l)であり、kはリソース要素REのサブキャリア番号であり、lはREに対応するシンボルであり、
【０５３４】
【数１８４】
2018516481.tif 000186
【０５３５】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=0であり、XはPRB pairの数であり、
【０５３６】
【数１８５】
2018516481.tif 000187
【０５３７】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=1であり、または、
【０５３８】
【数１８６】
2018516481.tif 000188
【０５３９】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=1であり、XはPRB pairの数であり、
【０５４０】
【数１８７】
2018516481.tif 000189
【０５４１】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=0であり、または、
【０５４２】
【数１８８】
2018516481.tif 000190
【０５４３】
であり、ここで(k', l')=(9, 5)であり、第0のポートから第15のポートはns mod2=1に対応し、CPは、normal CPであり、FDDおよびTDDをサポートし、PRB pair Xmod2=0であり、XはPRB pairの数であり、
【０５４４】
【数１８９】
2018516481.tif 000191
【０５４５】
であり、ここで(k', l')=(9, 2)であり、第0のポートから第15のポートはns mod2=1に対応し、CPは、normal CPであり、FDDおよびTDDをサポートし、PRB pair Xmod2=1であり、または、
【０５４６】
【数１９０】
2018516481.tif 000192
【０５４７】
であり、ここで(k', l')=(9, 5)であり、第0のポートから第15のポートはns mod2=1に対応し、CPは、normal CPであり、FDDおよびTDDをサポートし、PRB pair Xmod2=1であり、XはPRB pairの数であり、
【０５４８】
【数１９１】
2018516481.tif 000193
【０５４９】
であり、ここで(k', l')=(9, 2)であり、第0のポートから第15のポートはns mod2=1に対応し、CPは、normal CPであり、FDDおよびTDDをサポートし、PRB pair Xmod2=0であり、かつ、
上述の式において、pはポート番号であり、k'は各PRB pairにおけるサブキャリアの番号であり、l'は各スロットにおけるOFDMシンボルの番号であり、拡散率は以下の条件を満たす。
【０５５０】
【数１９２】
2018516481.tif 000194
【０５５１】
本発明の実施形態において提供されるチャネル測定方法、基地局、およびUEでは、UEは、基準信号リソースマッピング図を取得し、基準信号リソースマッピング図に従って基準信号を取得する。UEは、基準信号に従ってチャネル測定を実行してチャネル状態情報を決定し、チャネル状態情報を基地局にフィードバックする。基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。UEが基地局の指示に従って基準信号を取得しチャネル測定を実行して、ダウンリンクデータ送信に対する干渉を引き起こしダウンリンクシステムの性能を低下させる従来技術と比較すると、本発明では、データを搬送するために使用されるREは基準信号を搬送するために占有されないので、ダウンリンクデータ送信に影響を及ぼすことなくチャネル測定を実行することができる。
【０５５２】
本発明の実施形態または従来技術における技術的解決策をより明確に説明するために、以下は、実施形態または従来技術を説明するために必要な添付の図面を簡単に説明する。明らかに、以下の説明における添付の図面は本発明のいくつかの実施形態を示すだけであり、当業者は創造的な努力なしでこれらの添付の図面から他の図面をさらに導き出し得る。
【図面の簡単な説明】
【０５５３】
【図１】本発明の実施形態1による、チャネル測定方法の概略的なフローチャートである。
【図２】既存の4ポートの基準信号リソースマッピング図の概略図である。
【図３】本発明の一実施形態による、3ポートの基準信号リソースマッピング図の概略図である。
【図４】本発明の一実施形態による、別の3ポートの基準信号リソースマッピング図の概略図である。
【図５】既存の8ポートの基準信号リソースマッピング図の概略図である。
【図６】本発明の一実施形態による、5ポートの基準信号リソースマッピング図の概略図である。
【図７】本発明の一実施形態による、別の5ポートの基準信号リソースマッピング図の概略図である。
【図８】本発明の一実施形態による、別の5ポートの基準信号リソースマッピング図の概略図である。
【図９】本発明の実施形態2による、チャネル測定方法の概略的なフローチャートである。
【図１０】本発明の実施形態3による、UEの構造ブロック図である。
【図１１】本発明の実施形態4による、基地局の構造ブロック図である。
【図１２】本発明の実施形態5による、UEの構造ブロック図である。
【図１３】本発明の実施形態6による、基地局の構造ブロック図である。
【図１４】本発明の実施形態7による、9ポートの基準信号リソースマッピング図を示す。
【図１５】本発明の実施形態7による、別の9ポートの基準信号リソースマッピング図を示す。
【図１６】本発明の実施形態7による、別の9ポートの基準信号リソースマッピング図を示す。
【図１７】本発明の実施形態7による、12ポートの基準信号リソースマッピング図を示す。
【図１８】本発明の実施形態7による、別の12ポートの基準信号リソースマッピング図を示す。
【図１９】本発明の実施形態7による、別の12ポートの基準信号リソースマッピング図を示す。
【図２０】本発明の実施形態7による、別の12ポートの基準信号リソースマッピング図を示す。
【図２１】本発明の実施形態7による、別の12ポートの基準信号リソースマッピング図を示す。
【図２２】本発明の実施形態7による、別の12ポートの基準信号リソースマッピング図を示す。
【図２３】本発明の実施形態7による、別の12ポートの基準信号リソースマッピング図を示す。
【図２４】本発明の実施形態7による、別の12ポートの基準信号リソースマッピング図を示す。
【図２５】本発明の実施形態7による、別の12ポートの基準信号リソースマッピング図を示す。
【図２６】本発明の実施形態7による、別の12ポートの基準信号リソースマッピング図を示す。
【図２７】本発明の実施形態7による、別の12ポートの基準信号リソースマッピング図を示す。
【図２８】本発明の実施形態7による、別の12ポートの基準信号リソースマッピング図を示す。
【図２９】本発明の実施形態7による、別の12ポートの基準信号リソースマッピング図を示す。
【図３０】本発明の実施形態8による、12ポートの基準信号リソースマッピング図を示す。
【図３１】本発明の実施形態8による、別の12ポートの基準信号リソースマッピング図を示す。
【図３２】本発明の実施形態8による、16ポートの基準信号リソースマッピング図を示す。
【図３３】本発明の実施形態8による、別の16ポートの基準信号リソースマッピング図を示す。
【発明を実施するための形態】
【０５５４】
以下は、本発明の実施形態における添付の図面を参照して、本発明の実施形態における技術的解決策を明確かつ十分に説明する。明らかに、説明される実施形態は、本発明の実施形態のすべてではなく一部にすぎない。創造的な努力なしで本発明の実施形態に基づいて当業者により得られるすべての他の実施形態は、本発明の保護範囲内にあるものである。
【０５５５】
通信システムは通常、異なる種類の基準信号を使用する。制御情報またはデータを含む受信された信号に対して一貫した復調を実行できるように、1つの種類の基準信号がチャネル推定のために使用される。別の種類の基準信号は、UEがスケジューリングされるように、チャネル状態測定またはチャネル品質測定のために使用される。3GPP LTE R10ダウンリンクシステムでは、一貫した復調のために使用される基準信号はDMRS(Demodulation Reference Signal、復調基準信号)と呼ばれ、チャネル状態情報測定のために使用される基準信号はCSI-RS(Channel State Information Reference Signal、チャネル状態情報基準信号)と呼ばれる。加えて、基準信号は、レガシーのR8/R9システムのCRS(Cell-specific Reference Signal、セル固有基準信号)をさらに含む。CRSがチャネル推定を実行するためにUEにより使用されるので、PDCCH(Physical Downlink Control Channel、物理ダウンリンク制御チャネル)および別の共通チャネルが復調される。
【０５５６】
上述の異なる種類の基準信号は、LTEシステムにおいて異なる数のアンテナポートをサポートする。LTE R10では、DMRSは最大で8個のアンテナポートをサポートする。LTE R10では、CSI-RSは最大で8個のアンテナポートをサポートし、アンテナポートの数は1、2、4、または8であり得る。LTE R8からLTE R10では、CRSは最大で4個のアンテナポートをサポートし、アンテナポートの数は1、2、または4であり得る。LTE R10では、DMRSは最大で8個のアンテナポートをサポートし、アンテナポートの数は1から8であり得る。スペクトル効率をさらに改善するために、現在の開始される予定のLTE R12規格では、より多くのアンテナ構成、特に、8個よりも多いアンテナポートのAAS(Active Antenna Systems、アクティブアンテナシステム)を基にしたアンテナ構成が導入されることが考慮されている。たとえば、アンテナポートの数は16、32、または64であり得る。
【０５５７】
実施形態1
本発明のこの実施形態はチャネル測定方法を提供する。この方法はUEによって実行される。図1に示されるように、この方法は以下のステップを含む。
【０５５８】
101:ユーザ機器UEが、基準信号リソースマッピング図を取得し、基準信号リソースマッピング図に従って基準信号を取得する。
【０５５９】
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。
【０５６０】
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０５６１】
この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、YはXより大きい整数の中でXに最も近く2nを満たす整数であり、符号リソースは直交拡散符号または基準信号のシーケンスである。たとえば、5ポートの基準信号リソースマッピング図の時間-周波数リソースおよび符号リソースは、8ポートの基準信号リソースマッピング図の中の5個の連続するポートの時間-周波数リソースおよび符号リソースと同じであり得る。
【０５６２】
102:UEが、基準信号に従ってチャネル測定を実行してチャネル状態情報を決定し、チャネル状態情報を基地局にフィードバックする。
【０５６３】
本発明の好ましい実装形態では、X個の連続するポートはY個のポートの中の第0のポートから第(X-1)のポートであり、またはX個の連続するポートはY個のポートの中の第(Y-X)のポートから第(Y-1)のポートである。
【０５６４】
このようにして、ポート数が2nを満たさず8以下である基準信号のリソースマッピング図は、ポート数が2nを満たし8以下である基準信号の既存のリソースマッピング図に従って取得することができる。
【０５６５】
本発明の別の好ましい実装形態では、K2=K1であり、または
【０５６６】
【数１９３】
2018516481.tif 000195
【０５６７】
であり、
【０５６８】
【数１９４】
2018516481.tif 000196
【０５６９】
は切り捨てを表す。たとえば、1つのサブフレームの中の40個の時間-周波数リソース位置が基準信号を搬送するために使用される場合、既存の8ポートの基準信号リソースマッピング図は40/8=5個の構成を有し得る。K2=K1、すなわち、5ポートの基準信号リソースマッピング図も5個の構成を有する場合、8ポートの基準信号リソースマッピング図の一構成の中の5個の連続するポートに対応する時間-周波数リソース位置が、5ポートの基準信号リソースマッピング図の時間-周波数リソース位置として使用される。
【０５７０】
【数１９５】
2018516481.tif 000197
【０５７１】
である場合、5ポートの基準信号リソースマッピング図は8個の構成を有する。
【０５７２】
本発明の別の好ましい実装形態では、K2個の第2の基準信号リソースマッピング図のうちの少なくとも1つが、第1の基準信号リソースマッピング図のうちの少なくとも2つの時間-周波数リソースを含む。
【０５７３】
たとえば、第1の基準信号リソースマッピング図が4ポートの基準信号リソースマッピング図である場合、第2の基準信号リソースマッピング図は3ポートの基準信号リソースマッピング図であり、1つのサブフレームの中の40個の時間-周波数リソース位置が基準信号を搬送するために使用され、既存の4ポートの基準信号リソースマッピング図は40/4=10個の構成を有することが可能であり、3ポートの基準信号リソースマッピング図は
【０５７４】
【数１９６】
2018516481.tif 000198
【０５７５】
個の構成を有することが可能である。この場合、4ポートの基準信号リソースマッピング図の中の3個の連続するポートに対応する時間-周波数リソース位置が使用されるとき、10個の3ポートの基準信号リソースマッピング図があり得る。この場合、4ポートの基準信号リソースマッピング図の中の3個の連続するポート以外の1個のポートが残り、3個の4ポートの基準信号リソースマッピング図の中の残りのポートに対応する時間-周波数リソース位置が使用されるとき、1つの3ポートの基準信号リソースマッピング図が取得され得る。したがって、1つの3ポートの基準信号リソースマッピング図は、3個の4ポートの基準信号リソースマッピング図を含み得る。
【０５７６】
さらに、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０５７７】
たとえば、第2の基準信号リソースマッピング図が6ポートの基準信号リソースマッピング図であり、第1の基準信号リソースマッピング図が8ポートの基準信号リソースマッピング図である場合、6ポートの基準信号リソースマッピング図が3個の8ポートの基準信号リソースマッピング図を含むと仮定すると、その3個の8ポートの基準信号リソースマッピング図の各々は、6/3=2ポートに対応する時間-周波数リソース位置を含む。
【０５７８】
さらに、H個のポートは、第1の基準信号リソースマッピング図の中の第0のポートから第(H-1)のポートであり、または第(Y-H)のポートから第(Y-1)のポートである。
【０５７９】
本発明の別の好ましい実装形態では、UEは第2の基準信号リソースマッピング図を取得する。
【０５８０】
Xポートの第2の基準信号リソースマッピング図は、X1ポートの基準信号リソースマッピング図およびX2ポートの基準信号リソースマッピング図を含む。
【０５８１】
X1+X2=Xであり、X1とX2の差が2より小さく、X1ポートの基準信号リソースマッピング図およびX2ポートの基準信号リソースマッピング図はm個のサブフレームからUEによって取得され、mは1または2である。
【０５８２】
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０５８３】
たとえば、11ポートの基準信号リソースマッピング図では、11=3+8、または11=4+7、...、または11=5+6であり、5と6の差は2より小さい。したがって、11ポートの基準信号リソースマッピング図は、5ポートの基準信号リソースマッピング図および6ポートの基準信号リソースマッピング図である。11ポートの基準信号リソースマッピング図は、第2の基準信号リソースマッピング図である。
【０５８４】
さらに、Xは8より大きい整数であり得る。
【０５８５】
本発明の別の好ましい実装形態では、UEは、基地局により通知される、X1ポートの基準信号リソースマッピング図およびX2ポートの基準信号リソースマッピング図を搬送するサブフレームのシーケンスを受信する。
【０５８６】
代替的には、X1ポートの基準信号リソースマッピング図およびX2ポートの基準信号リソースマッピング図を搬送するサブフレームのシーケンスが事前に設定され、このシーケンスはポート数の降順またはポート数の昇順である。
【０５８７】
たとえば、11ポートの基準信号リソースマッピング図は、5ポートの基準信号リソースマッピング図および6ポートの基準信号リソースマッピング図である。基地局により通知されUEにより受信されるシーケンスは、5ポートの基準信号リソースマッピング図および6ポートの基準信号リソースマッピング図、または6ポートの基準信号リソースマッピング図および5ポートの基準信号リソースマッピング図である。11ポートの基準信号リソースマッピング図は、第2の基準信号リソースマッピング図である。
【０５８８】
本発明の別の好ましい実装形態では、UEは、基地局により通知される、X1ポートの基準信号リソースマッピング図を搬送するサブフレームの番号とX2ポートの基準信号リソースマッピング図を搬送するサブフレームの番号とを受信する。
【０５８９】
代替的には、UEが、基地局により通知される、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とを受信する。
【０５９０】
本発明の別の好ましい実装形態では、UEは第2の基準信号リソースマッピング図を取得する。
【０５９１】
第2の基準信号リソースマッピング図は、X1ポートの基準信号リソースマッピング図、X2ポートの基準信号リソースマッピング図、...、およびXiポートの基準信号リソースマッピング図の各々を含む。X1+X2...+Xi=Xであり、X1、X2、...、およびXiの各々は2nと表すことができる。
【０５９２】
X1ポートの基準信号リソースマッピング図、X2ポートの基準信号リソースマッピング図、...、およびXiポートの基準信号リソースマッピング図は少なくとも1つのサブフレームからUEによって取得される。
【０５９３】
たとえば、14ポートの基準信号リソースマッピング図は、8ポートの基準信号リソースマッピング図、4ポートの基準信号リソースマッピング図、および2ポートの基準信号リソースマッピング図を含み得る。14ポートの基準信号リソースマッピング図が第2の基準信号リソースマッピング図であり、かつ8ポートの基準信号リソースマッピング図、4ポートの基準信号リソースマッピング図、および2ポートの基準信号リソースマッピング図の各々が第1の基準信号リソースマッピング図である。
【０５９４】
さらに、Xは8より大きい整数であり得る。
【０５９５】
さらに、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【０５９６】
本発明の別の好ましい実装形態では、UEは、基地局により通知される、X1ポートの基準信号リソースマッピング図、X2ポートの基準信号リソースマッピング図、...、およびXiポートの基準信号リソースマッピング図を搬送するサブフレームのシーケンスを受信する。
【０５９７】
代替的には、X1ポートの基準信号リソースマッピング図、X2ポートの基準信号リソースマッピング図、...、およびXiポートの基準信号リソースマッピング図を搬送するサブフレームのシーケンスが事前に定義される。
【０５９８】
サブフレームのシーケンスは、ポート数の昇順、またはポート数の降順、または最大のポート数、最小のポート数、2番目に大きいポート数、2番目に小さいポート数、...のシーケンスである。
【０５９９】
たとえば、14ポートの基準信号リソースマッピング図のシーケンスは、8ポートの基準信号リソースマッピング図、4ポートの基準信号リソースマッピング図、および2ポートの基準信号リソースマッピング図、または、2ポートの基準信号リソースマッピング図、4ポートの基準信号リソースマッピング図、および8ポートの基準信号リソースマッピング図、または、8ポートの基準信号リソースマッピング図、2ポートの基準信号リソースマッピング図、および4ポートの基準信号リソースマッピング図であり得る。
【０６００】
本発明の別の好ましい実装形態では、UEは、基地局により通知される、X1ポートの基準信号リソースマッピング図、X2ポートの基準信号リソースマッピング図、...、およびXiポートの基準信号リソースマッピング図の各基準信号リソースマッピング図の構成情報を受信する。
【０６０１】
代替的には、UEは、基地局によって送信されるジョイント符号化シグナリングを受信する。ジョイント符号化シグナリングは、X1ポートの基準信号リソースマッピング図の構成情報、X2ポートの基準信号リソースマッピング図の構成情報、...、およびXiポートの基準信号リソースマッピング図の構成情報を示すために使用される。
【０６０２】
代替的には、UEは、基地局により通知される、X1ポートの基準信号リソースマッピング図の構成情報と、Xjポートの基準信号リソースマッピング図の構成情報およびX1ポートの基準信号リソースマッピング図の構成情報の間の対応関係とを受信し、jは1より大きくi以下の整数である。
【０６０３】
代替的には、X1ポートの基準信号リソースマッピング図の構成情報、X2ポートの基準信号リソースマッピング図の構成情報、...、およびXiポートの基準信号リソースマッピング図の構成情報が事前に定義される。
【０６０４】
本発明の別の好ましい実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号は事前に定義される。
【０６０５】
代替的には、UEは、基地局により通知される、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号を受信する。
【０６０６】
代替的には、UEは、基地局により通知される、X1ポートの基準信号リソースマッピング図を搬送するサブフレームの番号と、Xjポートの基準信号リソースマッピング図を搬送するサブフレームの番号およびX1ポートの基準信号リソースマッピング図を搬送するサブフレームの番号の間のサブフレーム間隔とを受信し、jは1より大きくi以下の整数である。
【０６０７】
本発明の別の好ましい実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、LはXi、Xjの中で最小の値であり、または、
各PRB pairの中でのXtポートの基準信号リソースマッピング図およびXjポートの基準信号リソースマッピング図の時間-周波数リソース位置が異なる。
【０６０８】
たとえば、5ポートの基準信号リソースマッピング図および6ポートの基準信号リソースマッピング図では、5は6より小さいので、これらの2つの基準信号リソースマッピング図の間には5個の同じ相対的な時間-周波数リソース位置がある。相対的な時間-周波数リソース位置とは、5ポートの基準信号リソースマッピング図および6ポートの基準信号リソースマッピング図が同じサブフレームの中にないが、5ポートの基準信号リソースマッピング図を搬送するサブフレームの中での5ポートの基準信号リソースマッピング図の時間-周波数リソース位置と、6ポートの基準信号リソースマッピング図を搬送するサブフレームの中での6ポートの基準信号リソースマッピング図の時間-周波数リソース位置との間に、5個の同じ時間-周波数リソース位置があることを意味する。5個の同じ時間-周波数リソース位置は、5個の同じ相対的な時間-周波数リソース位置と呼ばれる。
【０６０９】
代替的には、Xiポートの基準信号リソースマッピング図およびXjポートの基準信号リソースマッピング図の時間-周波数リソース位置は異なる。
【０６１０】
さらに、X1ポートの基準信号リソースマッピング図、X2ポートの基準信号リソースマッピング図、...、およびXiポートの基準信号リソースマッピング図の時間-周波数リソース位置の間には、Q個の重複する時間-周波数リソース位置があり、QはX1、X2、...、Xiの中で最小の値である。
【０６１１】
たとえば、14ポートの基準信号リソースマッピング図は、8ポートの基準信号リソースマッピング図、4ポートの基準信号リソースマッピング図、および2ポートの基準信号リソースマッピング図を含み得る。それらの間の重複する時間-周波数リソース位置の数は、2、4、および8の中で最小の値である。すなわち、8ポートの基準信号リソースマッピング図、4ポートの基準信号リソースマッピング図、および2ポートの基準信号リソースマッピング図の時間-周波数リソース位置の間には、2個の重複する時間-周波数リソース位置がある。
【０６１２】
さらに、Q個の重複する時間-周波数リソース位置は、Xjポートの基準信号リソースマッピング図の中の第0のポートから第(Q-1)のポートに対応する時間-周波数リソース位置である。
【０６１３】
本発明のこの実施形態において提供される方法では、ポート番号は0から開始し得ることに留意されたい。すなわち、この出願では第0のポートは1番目のポートであり、類推により、第(Y-1)のポートはY番目のポートである。
【０６１４】
本発明の別の好ましい実施形態では、第2の基準信号リソースマッピング図が3ポートの基準信号リソースマッピング図である場合、3より大きい整数の中で3に最も近く2nを満たす整数は4であるので、第1の基準信号リソースマッピング図は4ポートの基準信号リソースマッピング図である。K1=K2=10であり、4ポートの基準信号リソースマッピング図の4個のポートの中の3個の連続するポートの時間-周波数リソースおよび符号リソースは、3ポートの基準信号リソースマッピング図の同じ時間-周波数リソースおよび符号リソースである。
【０６１５】
図2(10種類の4ポートの基準信号リソースマッピング図を含む)は、4ポートの基準信号リソースマッピング図を示す。図3は、3ポートの基準信号リソースマッピング図を示す(3ポートの基準信号リソースマッピング図は、本発明では第2の基準信号リソースマッピング図である)。3個の連続するポートは、4個のポートの中の第0のポートから第2のポートである。
【０６１６】
具体的には、4ポートの基準信号リソースマッピング図は40個の時間-周波数リソース位置を含み、4ポートの基準信号リソースマッピング図は40/4=10個の構成を含む。時間-周波数リソース位置が(k, l)として表され得ると仮定すると、kおよびlは以下の条件を満たす。
【０６１７】
【数１９７】
2018516481.tif 000199
【０６１８】
ここで(k', l')は、あるサブフレームに対応するリソースマッピング図の各構成における第0のポートに対応する時間-周波数リソース位置の座標であり、この構成における他の3個のポートに対応する時間-周波数リソース位置はkが満たす条件に従って推測されることが可能であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０６１９】
3ポートの基準信号リソースマッピング図の中の3個の連続するポートは4ポートの基準信号リソースマッピング図の中の4個のポートの中の第0のポートから第2のポートであるので、3ポートの基準信号リソースマッピング図の時間-周波数リソース位置は(k, l)として表されることが可能であり、kおよびlは以下の条件を満たす。
【０６２０】
【数１９８】
2018516481.tif 000200
【０６２１】
さらに、図3に関して、3ポートの基準信号リソースマッピング図の第1の構成では、
【０６２２】
【数１９９】
2018516481.tif 000201
【０６２３】
である。上述の式を参照すると、第0のポートに対応する時間-周波数リソース位置は
【０６２４】
【数２００】
2018516481.tif 000202
【０６２５】
または
【０６２６】
【数２０１】
2018516481.tif 000203
【０６２７】
、すなわち(9, 5)または(9, 6)であることがわかり、(9, 5)または(9, 6)に対応する拡散符号は(1, 1)である。第1のポートに対応する時間-周波数リソース位置は
【０６２８】
【数２０２】
2018516481.tif 000204
【０６２９】
または
【０６３０】
【数２０３】
2018516481.tif 000205
【０６３１】
、すなわち(9, 5)または(9, 6)であり、(9, 5)または(9, 6)に対応する拡散符号は(1, -1)である。第2のポートに対応する時間-周波数リソース位置は
【０６３２】
【数２０４】
2018516481.tif 000206
【０６３３】
または
【０６３４】
【数２０５】
2018516481.tif 000207
【０６３５】
、すなわち(3, 5)または(3, 6)であり、(3, 5)または(3, 6)に対応する拡散符号は(1, 1)である。第1の構成における3個のポートに対応する時間-周波数リソース位置はサブフレームの第1のスロットの中にある。
【０６３６】
3ポートの基準信号リソースマッピング図の第2の構成では、
【０６３７】
【数２０６】
2018516481.tif 000208
【０６３８】
である。上述の式を参照すると、第0のポートに対応する時間-周波数リソース位置は
【０６３９】
【数２０７】
2018516481.tif 000209
【０６４０】
または
【０６４１】
【数２０８】
2018516481.tif 000210
【０６４２】
、すなわち(11, 2)または(11, 3)であることがわかり、(11, 2)または(11, 3)に対応する拡散符号は(1, 1)である。第1のポートに対応する時間-周波数リソース位置は
【０６４３】
【数２０９】
2018516481.tif 000211
【０６４４】
または
【０６４５】
【数２１０】
2018516481.tif 000212
【０６４６】
、すなわち(11, 2)または(11, 3)であり、(11, 2)または(11, 3)に対応する拡散符号は(1, -1)である。第2のポートに対応する時間-周波数リソース位置は
【０６４７】
【数２１１】
2018516481.tif 000213
【０６４８】
または
【０６４９】
【数２１２】
2018516481.tif 000214
【０６５０】
、すなわち(5, 2)または(5, 3)であり、(5, 2)または(5, 3)に対応する拡散符号は(1, 1)である。
【０６５１】
他の8個の構成において、3ポートの基準信号リソースマッピング図の3個のポートに対応する時間-周波数リソース位置の推測プロセスは、第1の構成および第2の構成における3個のポートに対応する時間-周波数リソース位置の推測プロセスと同じであり、(k', l')の値のみが異なり、詳細はここでは再び説明されない。
【０６５２】
加えて、3個の連続するポートは、4個のポートの中の第1のポートから第3のポートである。
【０６５３】
具体的には、時間-周波数リソース位置は(k, l)として表すことが可能であり、kおよびlは以下の条件を満たす。
【０６５４】
【数２１３】
2018516481.tif 000215
【０６５５】
本発明のこの実施形態では、ポートは第0のポートから開始することに留意されたい。
【０６５６】
本発明の別の好ましい実施形態では、第2の基準信号リソースマッピング図が3ポートの基準信号リソースマッピング図である場合、3より大きい整数の中で3に最も近く2nを満たす整数は4であるので、第1の基準信号リソースマッピング図は4ポートの基準信号リソースマッピング図である。K1=10、かつ
【０６５７】
【数２１４】
2018516481.tif 000216
【０６５８】
である。前の好ましい実施形態における3ポートの基準信号リソースマッピング図の10個の構成に加えて、3ポートの基準信号リソースマッピング図は3個の構成をさらに有し得る。各々の3ポートの基準信号リソースマッピング図は3個の4ポートの基準信号リソースマッピング図を含み、各々の4ポートの基準信号リソースマッピング図は1個のポートに対応する時間-周波数リソース位置を含む。
【０６５９】
具体的には、以下の3個が含まれる。
【０６６０】
【数２１５】
2018516481.tif 000217
【０６６１】
、または
【０６６２】
【数２１６】
2018516481.tif 000218
【０６６３】
、または
【０６６４】
【数２１７】
2018516481.tif 000219
【０６６５】
であり、
【０６６６】
【数２１８】
2018516481.tif 000220
【０６６７】
である。
【０６６８】
図4は、3個の3ポートの基準信号リソースマッピング図のうちの1つを示す。
【０６６９】
本発明の別の好ましい実装形態では、第2の基準信号リソースマッピング図が5ポートの基準信号リソースマッピング図である場合、5より大きい整数の中で5に最も近く2nを満たす整数は8であるので、第1の基準信号リソースマッピング図は8ポートの基準信号リソースマッピング図である。K1=K2=5であり、8ポートの基準信号リソースマッピング図の8個のポートの中の5個の連続するポートの時間-周波数リソースおよび符号リソースは、5ポートの基準信号リソースマッピング図の時間-周波数リソースおよび符号リソースと同じである。
【０６７０】
図5(5個の8ポートの基準信号リソースマッピング図を含む)は8ポートの基準信号リソースマッピング図を示し、図6は5ポートの基準信号リソースマッピング図を示す。5個の連続するポートは、8個のポートの中の第0のポートから第4のポートである。
【０６７１】
具体的には、8ポートの基準信号リソースマッピング図は40個の時間-周波数リソース位置を含み、8ポートの基準信号リソースマッピング図は40/8=5個の構成を含む。時間-周波数リソース位置が(k, l)として表され得ると仮定すると、kおよびlは以下の条件を満たす。
【０６７２】
【数２１９】
2018516481.tif 000221
【０６７３】
さらに、図6に関して、5ポートの基準信号リソースマッピング図の第1の構成では、
【０６７４】
【数２２０】
2018516481.tif 000222
【０６７５】
である。上述の式を参照すると、第0のポートに対応する時間-周波数リソース位置は
【０６７６】
【数２２１】
2018516481.tif 000223
【０６７７】
または
【０６７８】
【数２２２】
2018516481.tif 000224
【０６７９】
、すなわち(9, 5)または(9, 6)であることがわかり、(9, 5)または(9, 6)に対応する拡散符号は(1, 1)である。第1のポートに対応する時間-周波数リソース位置は
【０６８０】
【数２２３】
2018516481.tif 000225
【０６８１】
または
【０６８２】
【数２２４】
2018516481.tif 000226
【０６８３】
、すなわち(9, 5)または(9, 6)であり、(9, 5)または(9, 6)に対応する拡散符号は(1, -1)である。第2のポートに対応する時間-周波数リソース位置は
【０６８４】
【数２２５】
2018516481.tif 000227
【０６８５】
または
【０６８６】
【数２２６】
2018516481.tif 000228
【０６８７】
、すなわち(3, 5)または(3, 6)であり、(3, 5)または(3, 6)に対応する拡散符号は(1, 1)である。第3のポートに対応する時間-周波数リソース位置は
【０６８８】
【数２２７】
2018516481.tif 000229
【０６８９】
または
【０６９０】
【数２２８】
2018516481.tif 000230
【０６９１】
、すなわち(3, 5)または(3, 6)であり、(3, 5)または(3, 6)に対応する拡散符号は(1, -1)である。第4のポートに対応する時間-周波数リソース位置は
【０６９２】
【数２２９】
2018516481.tif 000231
【０６９３】
または
【０６９４】
【数２３０】
2018516481.tif 000232
【０６９５】
、すなわち(8, 5)または(8, 6)であり、(8, 5)または(8, 6)に対応する拡散符号は(1, 1)である。
【０６９６】
他の4個の構成において、5ポートの基準信号リソースマッピング図の中の5個のポートに対応する時間-周波数リソース位置の推測プロセスは、第1の構成における5個のポートに対応する時間-周波数リソース位置の推測プロセスと同じであり、(k', l')の値のみが異なり、詳細はここでは再び説明されない。
【０６９７】
加えて、5個の連続するポートが8個のポートの中の第3から第7のポートである場合、時間-周波数リソース位置(k, l)は以下の条件を満たす。
【０６９８】
【数２３１】
2018516481.tif 000233
【０６９９】
図7は、5個の連続するポートが8個のポートの中の第3のポートから第7のポートであるときの、対応する5ポートの基準信号リソースマッピング図を示す。第3のポートに対応する拡散符号は(1, -1)であり、第4のポートに対応する拡散符号は(1, 1)であり、第5のポートに対応する拡散符号は(1, -1)であり、第6のポートに対応する拡散符号は(1, 1)であり、第7のポートに対応する拡散符号は(1, -1)である。
【０７００】
本発明の別の好ましい実施形態では、第2の基準信号リソースマッピング図が5ポートの基準信号リソースマッピング図である場合、第1の基準信号リソースマッピング図は8ポートの基準信号リソースマッピング図である。K1=5、かつ
【０７０１】
【数２３２】
2018516481.tif 000234
【０７０２】
である。8ポートの基準信号リソースマッピング図の中の5個の連続するポートに対応する時間-周波数リソース位置を占有することによって得られる5個の構成に加えて、5ポートの基準信号リソースマッピング図は3個の構成をさらに有し得る。各々の5ポートの基準信号リソースマッピング図は5個の8ポートの基準信号リソースマッピング図を含み、各々の8ポートの基準信号リソースマッピング図は1個のポートに対応する時間-周波数リソース位置を含む。たとえば、図8は5ポートの基準信号リソースマッピング図を示す。各々の5ポートの基準信号リソースマッピング図は2個の8ポートの基準信号リソースマッピング図を含み、1個の8ポートの基準信号リソースマッピング図は2個のポートに対応する時間-周波数リソース位置を含み、他の8ポートの基準信号リソースマッピング図は3個のポートに対応する時間-周波数リソース位置を含む。1個の8ポートの基準信号リソースマッピング図の中の3個のポートは、第5のポート、第6のポート、および第7のポートであることが可能であり、他の8ポートの基準信号リソースマッピング図の中の2個のポートは、第0のポートおよび第1のポートであることが可能である。第5のポートに対応する拡散符号は(1, -1)であり、第6のポートに対応する拡散符号は(1, 1)であり、第7のポートに対応する拡散符号は(1, -1)であり、第0のポートに対応する拡散符号は(1, 1)であり、第1のポートに対応する拡散符号は(1, -1)である。
【０７０３】
ここでは、5ポートの基準信号リソースマッピング図は、K3個の第1の基準信号リソースマッピング図を含むことが可能であり、K3個の第1の基準信号リソースマッピング図の各々は、H個のポートに対応する時間-周波数リソースを含み、H=X/K3であり、K3はXより小さい正の整数である。
【０７０４】
本発明の好ましい実施形態では、方法は、基地局によって、シグナリングを使用することにより第2の基準信号リソースマッピング図の構成インデックスをUEに送信するステップをさらに含み、これにより、UEは、第2の基準信号リソースマッピング図の構成インデックスに従って、第2の基準信号リソースマッピング図に対応する時間-周波数リソース位置を決定する。
【０７０５】
本発明の好ましい実施形態では、第2の基準信号リソースマッピング図が異なるポート数の少なくとも2つの第1の基準信号リソースマッピング図を含む場合、送信ユニットは、少なくとも2つの第1の基準信号リソースマッピング図に含まれる各々の第1の基準信号リソースマッピング図の構成情報を別々に通知し、これにより、UEは、異なるポート数の少なくとも2つの第1の基準信号リソースマッピング図に従って、第2の基準信号リソースマッピング図を取得する。
【０７０６】
本発明の好ましい実施形態では、同一のポート数の第2の基準信号リソースマッピング図のすべての構成に対して、リソースマッピング図が重複するリソースを有している2つの構成がある。
【０７０７】
本発明の好ましい実施形態では、基地局により通知される、第2の基準信号リソースマッピング図に含まれる各々の第1の基準信号リソースマッピング図の受信された構成情報に対応するリソースマッピング図の範囲は、すべての第1の基準信号リソースマッピング図の集合である。
【０７０８】
本発明の好ましい実施形態では、基地局により通知される、第2の基準信号リソースマッピング図に含まれる、各々の第1の基準信号リソースマッピング図の受信された構成情報に対応するリソースマッピング図の範囲は、すべての第1の基準信号リソースマッピング図の集合の部分集合である。
【０７０９】
本発明の好ましい実施形態では、基地局により通知される、ポート数がX1である第2の基準信号のリソースマッピング図のインデックスが受信され、ポート数がX2である第2の基準信号のリソースマッピング図は事前に設定される規則に従って取得され、ここでX1およびX2は等しくない整数であり、X1はX2より大きい。
【０７１０】
本発明の好ましい実施形態では、事前に設定される規則は、X1個のポートの中の第Mのポートから第(M+X2-1)のポートに対応するリソースが、ポート数がX2である第2の基準信号のリソースマッピング図であり、Mが0以上かつX1-X2-1以下の整数である、ことである。
【０７１１】
本発明の好ましい実施形態では、基地局により通知される、ポート数がX1である第1の基準信号のリソースマッピング図のインデックスとポート数がX2である第1の基準信号のリソースマッピング図のインデックスとが受信され、ポート数がX1-X2である第2の基準信号のリソースマッピング図は、上述の情報に従って決定され、ここでX1はX2より大きい整数である。
【０７１２】
本発明の好ましい実施形態では、ポート数がX1である第1の基準信号は0ではない電力基準信号であり、ポート数がX2である第1の基準信号は0の電力基準信号である。
【０７１３】
本発明の好ましい実施形態では、ポート数がXである第2の基準信号のリソースマッピング図が、ポート数がX1である第1の基準信号のリソースマッピング図と、ポート数がX2である第1の基準信号のリソースマッピング図とを含む場合、X1ポートの第1の基準信号リソースマッピング図およびX2ポートの第1の基準信号リソースマッピング図は、PRB pairの中の異なるOFDMシンボルペアを占有し、X1ポートの第1の基準信号リソースマッピング図は、ポート数がXである第2の基準信号の中の第0のポートから第(X1-1)のポートによって占有されるリソースに対応し、X2ポートの第1の基準信号リソースマッピング図は、ポート数がXである第2の基準信号の中の第X1のポートから第(X-1)のポートによって占有されるリソースに対応し、ポート数がXである第2の基準信号に対して、あるPRB pairの中の第0のポートから第(X1-1)のポートおよび第X1のポートから第(X-1)のポートのOFDMシンボルの位置は、隣接するPRB pairの中の第0のポートから第(X1-1)のポートおよび第X1のポートから第(X-1)のポートのOFDMシンボルの位置とそれぞれ交換可能であり、ここでX=X1+X2である。
【０７１４】
本発明のこの実施形態において提供されるチャネル測定方法では、UEは、基準信号リソースマッピング図を取得し、基準信号リソースマッピング図に従って基準信号を取得する。UEは、基準信号に従ってチャネル測定を実行してチャネル状態情報を決定し、チャネル状態情報を基地局にフィードバックする。基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。UEが基地局の指示に従って基準信号を取得しチャネル測定を実行して、ダウンリンクデータ送信に対する干渉を引き起こしダウンリンクシステムの性能を低下させる従来技術と比較すると、本発明では、データを搬送するために使用されるREは基準信号を搬送するために占有されないので、ダウンリンクデータ送信に影響を及ぼすことなくチャネル測定を実行することができる。
【０７１５】
実施形態2
本発明のこの実施形態はチャネル測定方法を提供する。この方法は基地局によって実行される。図9に示されるように、この方法は以下のステップを含む。
【０７１６】
201:基地局が基準信号リソースマッピング図を構成設定する。
【０７１７】
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。
【０７１８】
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０７１９】
この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、YはXより大きい整数の中でXに最も近く2nを満たす整数であり、符号リソースは直交拡散符号または基準信号のシーケンスである。たとえば、5ポートの基準信号リソースマッピング図の時間-周波数リソースおよび符号リソースは、8ポートの基準信号リソースマッピング図の中の5個の連続するポートの時間-周波数リソースおよび符号リソースと同じであり得る。
【０７２０】
202:基地局が基準信号リソースマッピング図をユーザ機器UEに送信する。
【０７２１】
203:基地局がUEによりフィードバックされるチャネル状態情報を受信する。
【０７２２】
本発明の好ましい実装形態では、X個の連続するポートはY個のポートの中の第0のポートから第(X-1)のポートであり、またはX個の連続するポートはY個のポートの中の第(Y-X)のポートから第(Y-1)のポートである。
【０７２３】
このようにして、ポート数が2nを満たさず8以下である基準信号のリソースマッピング図は、ポート数が2nを満たし8以下である基準信号の既存のリソースマッピング図に従って取得され得る。
【０７２４】
本発明の別の好ましい実装形態では、K2=K1であり、または
【０７２５】
【数２３３】
2018516481.tif 000235
【０７２６】
であり、
【０７２７】
【数２３４】
2018516481.tif 000236
【０７２８】
は切り捨てを表す。たとえば、1つのサブフレームの中の40個の時間-周波数リソース位置が基準信号を搬送するために使用される場合、既存の8ポートの基準信号リソースマッピング図は40/8=5個の構成を有し得る。K2=K1、すなわち、5ポートの基準信号リソースマッピング図も5個の構成を有する場合、8ポートの基準信号リソースマッピング図の一構成の中の5個の連続するポートに対応する時間-周波数リソース位置が、5ポートの基準信号リソースマッピング図の時間-周波数リソース位置として使用される。
【０７２９】
【数２３５】
2018516481.tif 000237
【０７３０】
である場合、5ポートの基準信号リソースマッピング図は8個の構成を有する。
【０７３１】
本発明の別の好ましい実装形態では、K2個の第2の基準信号リソースマッピング図のうちの少なくとも1つが、第1の基準信号リソースマッピング図のうちの少なくとも2つの時間-周波数リソースを含む。
【０７３２】
たとえば、第1の基準信号リソースマッピング図が4ポートの基準信号リソースマッピング図である場合、第2の基準信号リソースマッピング図は3ポートの基準信号リソースマッピング図であり、1つのサブフレームの中の40個の時間-周波数リソース位置が基準信号を搬送するために使用され、既存の4ポートの基準信号リソースマッピング図は40/4=10個の構成を有することが可能であり、3ポートの基準信号リソースマッピング図は
【０７３３】
【数２３６】
2018516481.tif 000238
【０７３４】
個の構成を有することが可能である。この場合、4ポートの基準信号リソースマッピング図の中の3個の連続するポートに対応する時間-周波数リソース位置が使用されるとき、10個の3ポートの基準信号リソースマッピング図があり得る。この場合、4ポートの基準信号リソースマッピング図の中の3個の連続するポート以外の1個のポートが残り、3個の4ポートの基準信号リソースマッピング図の中の残りのポートに対応する時間-周波数リソース位置が使用されるとき、1つの3ポートの基準信号リソースマッピング図が取得され得る。したがって、1つの3ポートの基準信号リソースマッピング図は、3個の4ポートの基準信号リソースマッピング図を含み得る。
【０７３５】
さらに、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０７３６】
たとえば、第2の基準信号リソースマッピング図が6ポートの基準信号リソースマッピング図であり、第1の基準信号リソースマッピング図が8ポートの基準信号リソースマッピング図である場合、6ポートの基準信号リソースマッピング図が3個の8ポートの基準信号リソースマッピング図を含むと仮定すると、その3個の8ポートの基準信号リソースマッピング図の各々は、6/3=2ポートに対応する時間-周波数リソース位置を含む。
【０７３７】
さらに、H個のポートは、第1の基準信号リソースマッピング図の中の第0のポートから第(H-1)のポートであり、または第(Y-H)のポートから第(Y-1)のポートである。
【０７３８】
本発明の別の好ましい実装形態では、UEは第2の基準信号リソースマッピング図を取得する。
【０７３９】
Xポートの第2の基準信号リソースマッピング図は、X1ポートの基準信号リソースマッピング図およびX2ポートの基準信号リソースマッピング図を含む。
【０７４０】
X1+X2=Xであり、X1とX2の差が2より小さく、X1ポートの基準信号リソースマッピング図およびX2ポートの基準信号リソースマッピング図はm個のサブフレームからUEによって取得され、mは1または2である。
【０７４１】
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０７４２】
たとえば、11ポートの基準信号リソースマッピング図では、11=3+8、または11=4+7、...、または11=5+6であり、5と6の差は2より小さい。したがって、11ポートの基準信号リソースマッピング図は、5ポートの基準信号リソースマッピング図および6ポートの基準信号リソースマッピング図である。12ポートの基準信号リソースマッピング図では、12=4+8、または12=5+7、...、または12=6+6であり、6-6の結果は2より小さい。したがって、12ポートの基準信号リソースマッピング図は、2個の6ポートの基準信号リソースマッピング図である。
【０７４３】
さらに、Xは8より大きい整数であり得る。
【０７４４】
本発明の別の好ましい実装形態では、UEは、基地局により通知される、X1ポートの基準信号リソースマッピング図およびX2ポートの基準信号リソースマッピング図を搬送するサブフレームのシーケンスを受信する。
【０７４５】
代替的には、X1ポートの基準信号リソースマッピング図およびX2ポートの基準信号リソースマッピング図を搬送するサブフレームのシーケンスが事前に設定され、このシーケンスはポート数の降順またはポート数の昇順である。
【０７４６】
たとえば、11ポートの基準信号リソースマッピング図は、5ポートの基準信号リソースマッピング図および6ポートの基準信号リソースマッピング図である。基地局により通知されUEにより受信されるシーケンスは、5ポートの基準信号リソースマッピング図および6ポートの基準信号リソースマッピング図、または6ポートの基準信号リソースマッピング図および5ポートの基準信号リソースマッピング図である。
【０７４７】
本発明の別の好ましい実装形態では、UEは、基地局により通知される、X1ポートの基準信号リソースマッピング図を搬送するサブフレームの番号とX2ポートの基準信号リソースマッピング図を搬送するサブフレームの番号とを受信する。
【０７４８】
代替的には、UEは、基地局により通知される、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とを受信する。
【０７４９】
本発明の別の好ましい実装形態では、UEは第2の基準信号リソースマッピング図を取得する。
【０７５０】
第2の基準信号リソースマッピング図は、X1ポートの基準信号リソースマッピング図、X2ポートの基準信号リソースマッピング図、...、およびXiポートの基準信号リソースマッピング図の各々を含む。X1+X2...+Xi=Xであり、X1、X2、...、およびXiの各々は2nと表すことができ、X1からXiに対応するnの値は異なる。
【０７５１】
X1ポートの基準信号リソースマッピング図、X2ポートの基準信号リソースマッピング図、...、およびXiポートの基準信号リソースマッピング図は少なくとも1つのサブフレームからUEによって取得される。
【０７５２】
たとえば、14ポートの基準信号リソースマッピング図は、8ポートの第1の基準信号リソースマッピング図、4ポートの基準信号リソースマッピング図、および2ポートの基準信号リソースマッピング図を含むことが可能であり、すなわち、X1=8、X2=4、かつX3=2である。
【０７５３】
さらに、Xは8より大きい整数であり得る。
【０７５４】
さらに、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【０７５５】
本発明の別の好ましい実装形態では、UEは、基地局により通知される、X1ポートの基準信号リソースマッピング図、X2ポートの基準信号リソースマッピング図、...、およびXiポートの基準信号リソースマッピング図を搬送するサブフレームのシーケンスを受信する。
【０７５６】
代替的には、X1ポートの基準信号リソースマッピング図、X2ポートの基準信号リソースマッピング図、...、およびXiポートの基準信号リソースマッピング図を搬送するサブフレームのシーケンスが事前に定義される。
【０７５７】
サブフレームのシーケンスは、ポート数の昇順、またはポート数の降順、または最大のポート数、最小のポート数、2番目に大きいポート数、2番目に小さいポート数、...のシーケンスである。
【０７５８】
たとえば、14ポートの基準信号リソースマッピング図のシーケンスは、8ポートの基準信号リソースマッピング図、4ポートの基準信号リソースマッピング図、および2ポートの基準信号リソースマッピング図、または、2ポートの基準信号リソースマッピング図、4ポートの基準信号リソースマッピング図、および8ポートの基準信号リソースマッピング図、または、8ポートの基準信号リソースマッピング図、2ポートの基準信号リソースマッピング図、および4ポートの基準信号リソースマッピング図であり得る。
【０７５９】
本発明の別の好ましい実装形態では、UEは、基地局により通知される、X1ポートの基準信号リソースマッピング図、X2ポートの基準信号リソースマッピング図、...、およびXiポートの基準信号リソースマッピング図の各基準信号リソースマッピング図の構成情報を受信する。
【０７６０】
代替的には、UEは、基地局によって送信されるジョイント符号化シグナリングを受信する。ジョイント符号化シグナリングは、X1ポートの基準信号リソースマッピング図の構成情報、X2ポートの基準信号リソースマッピング図の構成情報、...、およびXiポートの基準信号リソースマッピング図の構成情報を示すために使用される。
【０７６１】
代替的には、UEは、基地局により通知される、X1ポートの基準信号リソースマッピング図の構成情報と、Xjポートの基準信号リソースマッピング図の構成情報およびX1ポートの基準信号リソースマッピング図の構成情報の間の対応関係とを受信し、jは1より大きくi以下の整数である。
【０７６２】
代替的には、X1ポートの基準信号リソースマッピング図の構成情報、X2ポートの基準信号リソースマッピング図の構成情報、...、およびXiポートの基準信号リソースマッピング図の構成情報が事前に定義される。
【０７６３】
本発明の別の好ましい実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号は事前に定義される。
【０７６４】
代替的には、UEは、基地局により通知される、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号を受信する。
【０７６５】
代替的には、UEは、基地局により通知される、X1ポートの基準信号リソースマッピング図を搬送するサブフレームの番号と、Xjポートの基準信号リソースマッピング図を搬送するサブフレームの番号およびX1ポートの基準信号リソースマッピング図を搬送するサブフレームの番号の間のサブフレーム間隔とを受信し、jは1より大きくi以下の整数である。
【０７６６】
本発明の別の好ましい実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、LはXi、Xjの中で最小の値であり、または、各PRB pairにおけるXtポートの基準信号リソースマッピング図およびXjポートの基準信号リソースマッピング図の時間-周波数リソース位置は異なる。
【０７６７】
たとえば、5ポートの基準信号リソースマッピング図および6ポートの基準信号リソースマッピング図では、5は6より小さいので、これらの2つの基準信号リソースマッピング図の間には5個の同じ相対的な時間-周波数リソース位置がある。相対的な時間-周波数リソース位置とは、5ポートの基準信号リソースマッピング図および6ポートの基準信号リソースマッピング図が同じサブフレームの中にないが、5ポートの基準信号リソースマッピング図を搬送するサブフレームの中での5ポートの基準信号リソースマッピング図の時間-周波数リソース位置と、6ポートの基準信号リソースマッピング図を搬送するサブフレームの中での6ポートの基準信号リソースマッピング図の時間-周波数リソース位置との間に、5個の同じ時間-周波数リソース位置があることを意味する。5個の同じ時間-周波数リソース位置は、5個の同じ相対的な時間-周波数リソース位置と呼ばれる。
【０７６８】
さらに、X1ポートの基準信号リソースマッピング図、X2ポートの基準信号リソースマッピング図、...、およびXiポートの基準信号リソースマッピング図の時間-周波数リソース位置の間には、Q個の重複する時間-周波数リソース位置があり、QはX1、X2、...、Xiの中で最小の値である。
【０７６９】
たとえば、14ポートの基準信号リソースマッピング図は、8ポートの基準信号リソースマッピング図、4ポートの基準信号リソースマッピング図、および2ポートの基準信号リソースマッピング図を含み得る。それらの間の重複する時間-周波数リソース位置の数は、2、4、および8の中で最小の値である。すなわち、8ポートの基準信号リソースマッピング図、4ポートの基準信号リソースマッピング図、および2ポートの基準信号リソースマッピング図の時間-周波数リソース位置の間には、2個の重複する時間-周波数リソース位置がある。
【０７７０】
さらに、Q個の重複する時間-周波数リソース位置は、Xjポートの基準信号リソースマッピング図の中の第0のポートから第(Q-1)のポートに対応する時間-周波数リソース位置である。
【０７７１】
本発明のこの実施形態において提供されるチャネル測定方法では、UEは、基準信号リソースマッピング図を取得し、基準信号リソースマッピング図に従って基準信号を取得する。UEは、基準信号に従ってチャネル測定を実行してチャネル状態情報を決定し、チャネル状態情報を基地局にフィードバックする。基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。UEが基地局の指示に従って基準信号を取得しチャネル測定を実行して、ダウンリンクデータ送信に対する干渉を引き起こしダウンリンクシステムの性能を低下させる従来技術と比較すると、本発明では、データを搬送するために使用されるREは基準信号を搬送するために占有されないので、ダウンリンクデータ送信に影響を及ぼすことなくチャネル測定を実行することができる。
【０７７２】
実施形態3
本発明のこの実施形態はUEを提供する。図10に示されるように、UEは取得ユニット301と決定およびフィードバックユニット302とを含む。
【０７７３】
取得ユニット301は、基準信号リソースマッピング図を取得し、基準信号リソースマッピング図に従って基準信号を取得するように構成される。
【０７７４】
決定およびフィードバックユニット302は、取得ユニットによって取得された基準信号に従ってチャネル測定を実行し、チャネル状態情報を決定し、チャネル状態情報を基地局にフィードバックするように構成される。
【０７７５】
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。
【０７７６】
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０７７７】
第1の実装形態では、Xが8より小さく2nを満たさないとき、取得ユニットは、第2の基準信号リソースマッピング図を取得するようにさらに構成される。
【０７７８】
この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、YはXより大きい整数の中でXに最も近く2nを満たす整数であり、符号リソースは直交拡散符号または基準信号のシーケンスである。
【０７７９】
第2の可能な実装形態では、X個の連続するポートはY個のポートの中の第0のポートから第(X-1)のポートであり、またはX個の連続するポートはY個のポートの中の第(Y-X)のポートから第(Y-1)のポートである。
【０７８０】
第3の態様の第3の可能な実装形態では、K2=K1であり、または
【０７８１】
【数２３７】
2018516481.tif 000239
【０７８２】
であり、
【０７８３】
【数２３８】
2018516481.tif 000240
【０７８４】
は切り捨てを表す。
【０７８５】
第4の可能な実装形態では、K2個の第2の基準信号リソースマッピング図のうちの少なくとも1つが、第1の基準信号リソースマッピング図のうちの少なくとも2つの時間-周波数リソースを含む。
【０７８６】
第5の可能な実装形態では、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０７８７】
第6の可能な実装形態では、H個のポートは、第1の基準信号リソースマッピング図の中の第0のポートから第(H-1)のポートであり、または第(Y-H)のポートから第(Y-1)のポートである。
【０７８８】
第7の可能な実装形態では、取得ユニットは、第2の基準信号リソースマッピング図を取得するようにさらに構成される。
【０７８９】
Xポートの第2の基準信号リソースマッピング図は、X1ポートの基準信号リソースマッピング図およびX2ポートの基準信号リソースマッピング図を含む。
【０７９０】
X1+X2=Xであり、X1とX2の差が2より小さく、X1ポートの基準信号リソースマッピング図およびX2ポートの基準信号リソースマッピング図はm個のサブフレームからUEによって取得され、mは1または2である。
【０７９１】
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０７９２】
第8の可能な実装形態では、Xは8より大きい整数である。
【０７９３】
第9の可能な実装形態では、UEは、
基地局により通知される、X1ポートの基準信号リソースマッピング図およびX2ポートの基準信号リソースマッピング図を搬送するサブフレームのシーケンスを受信するように構成された受信ユニットをさらに含み、または、
X1ポートの基準信号リソースマッピング図およびX2ポートの基準信号リソースマッピング図を搬送するサブフレームのシーケンスが事前に設定され、このシーケンスはポート数の降順またはポート数の昇順である。
【０７９４】
第10の可能な実装形態では、UEは、
基地局により通知される、X1ポートの基準信号リソースマッピング図を搬送するサブフレームの番号とX2ポートの基準信号リソースマッピング図を搬送するサブフレームの番号とを受信するように構成された受信ユニット、または、
基地局により通知される、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とを受信するように構成された受信ユニットをさらに含む。
【０７９５】
第11の可能な実装形態では、取得ユニットは、第2の基準信号リソースマッピング図を取得するようにさらに構成される。
【０７９６】
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、およびXiの各々は2nとして表すことができる。
【０７９７】
X1ポートの基準信号リソースマッピング図、X2ポートの基準信号リソースマッピング図、...、およびXiポートの基準信号リソースマッピング図は少なくとも1つのサブフレームからUEによって取得される。
【０７９８】
第12の可能な実装形態では、Xは8より大きい整数である。
【０７９９】
第13の可能な実装形態では、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【０８００】
第14の可能な実装形態では、UEは、基地局により通知される、X1ポートの基準信号リソースマッピング図、X2ポートの基準信号リソースマッピング図、...、およびXiポートの基準信号リソースマッピング図を搬送するサブフレームのシーケンスを受信するように構成された受信ユニットをさらに含み、または、X1ポートの基準信号リソースマッピング図、X2ポートの基準信号リソースマッピング図、...、およびXiポートの基準信号リソースマッピング図を搬送するサブフレームのシーケンスは事前に定義され、
サブフレームのシーケンスは、ポート数の昇順、またはポート数の降順、または最大のポート数、最小のポート数、2番目に大きいポート数、2番目に小さいポート数、...のシーケンスである。
【０８０１】
第15の可能な実装形態では、受信ユニットは、基地局により通知される、X1ポートの基準信号リソースマッピング図、X2ポートの基準信号リソースマッピング図、...、およびXiポートの基準信号リソースマッピング図の各基準信号リソースマッピング図の構成情報を受信するようにさらに構成され、または、受信ユニットは、基地局により送信されるジョイント符号化シグナリングを受信するようにさらに構成され、ここでジョイント符号化シグナリングは、X1ポートの基準信号リソースマッピング図の構成情報、X2ポートの基準信号リソースマッピング図の構成情報、...、およびXiポートの基準信号リソースマッピング図の構成情報を示すために使用され、または、受信ユニットは、基地局により通知される、X1ポートの基準信号リソースマッピング図の構成情報と、Xjポートの基準信号リソースマッピング図の構成情報およびX1ポートの基準信号リソースマッピング図の構成情報の間の対応関係とを受信するようにさらに構成され、ここでjは1より大きくi以下の整数であり、または、X1ポートの基準信号リソースマッピング図の構成情報、X2ポートの基準信号リソースマッピング図の構成情報、...、およびXiポートの基準信号リソースマッピング図の構成情報は事前に定義される。
【０８０２】
第16の可能な実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号は事前に定義され、または、受信ユニットは、基地局により通知される、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号を受信するようにさらに構成され、または、受信ユニットは、基地局により通知される、X1ポートの基準信号リソースマッピング図を搬送するサブフレームの番号と、Xjポートの基準信号リソースマッピング図を搬送するサブフレームの番号およびX1ポートの基準信号リソースマッピング図を搬送するサブフレームの番号の間のサブフレーム間隔とを受信するようにさらに構成され、ここでjは1より大きくi以下の整数である。
【０８０３】
第17の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、LはXi、Xjの中で最小の値であり、または、各PRB pairにおけるXtポートの基準信号リソースマッピング図およびXjポートの基準信号リソースマッピング図の時間-周波数リソース位置は異なる。
【０８０４】
第18の可能な実装形態では、X1ポートの基準信号リソースマッピング図、X2ポートの基準信号リソースマッピング図、...、およびXiポートの基準信号リソースマッピング図の時間-周波数リソース位置の間には、Q個の重複する時間-周波数リソース位置があり、QはX1、X2、...、Xiの中で最小の値である。
【０８０５】
第19の可能な実装形態では、Q個の重複する時間-周波数リソース位置は、Xjポートの基準信号リソースマッピング図の中の第0のポートから第(Q-1)のポートに対応する時間-周波数リソース位置である。
【０８０６】
第20の可能な実装形態では、Xが3であり、Yが4であり、K2=K1=10である場合、第2の基準信号リソースマッピング図の時間-周波数リソース位置は(k, l)であり、kはREのサブキャリア番号であり、lはREに対応するシンボルであり、
【０８０７】
【数２３９】
2018516481.tif 000241
【０８０８】
であり、ここで、第2の基準信号リソースマッピング図の第1の構成において、
【０８０９】
【数２４０】
2018516481.tif 000242
【０８１０】
、第2の構成において、
【０８１１】
【数２４１】
2018516481.tif 000243
【０８１２】
、第10の構成において、
【０８１３】
【数２４２】
2018516481.tif 000244
【０８１４】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０８１５】
第21の可能な実装形態では、K1=10であり、K2=4*10/3である場合、(k, l)以外の第2の基準信号リソースマッピング図の時間-周波数リソース位置は、
【０８１６】
【数２４３】
2018516481.tif 000245
【０８１７】
、または
【０８１８】
【数２４４】
2018516481.tif 000246
【０８１９】
、または
【０８２０】
【数２４５】
2018516481.tif 000247
【０８２１】
であり、
【０８２２】
【数２４６】
2018516481.tif 000248
【０８２３】
である。
【０８２４】
第22の可能な実装形態では、Xが5であり、Yが8であり、K2=K1=5である場合、第2の基準信号リソースマッピング図の時間-周波数リソース位置は(k, l)であり、kはREのサブキャリア番号であり、lはREに対応するシンボルであり、
【０８２５】
【数２４７】
2018516481.tif 000249
【０８２６】
であり、ここで、第2の基準信号リソースマッピング図の第1の構成において、
【０８２７】
【数２４８】
2018516481.tif 000250
【０８２８】
、第2の構成において、
【０８２９】
【数２４９】
2018516481.tif 000251
【０８３０】
、第5の構成において、
【０８３１】
【数２５０】
2018516481.tif 000252
【０８３２】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０８３３】
本発明のこの実施形態において提供される端末では、UEは、基準信号リソースマッピング図を取得し、基準信号リソースマッピング図に従って基準信号を取得する。UEは、基準信号に従ってチャネル測定を実行してチャネル状態情報を決定し、チャネル状態情報を基地局にフィードバックする。基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。UEが基地局の指示に従って基準信号を取得しチャネル測定を実行して、ダウンリンクデータ送信に対する干渉を引き起こしダウンリンクシステムの性能を低下させる従来技術と比較すると、本発明の端末は、データを搬送するために使用されるREを、基準信号を搬送するために占有しないので、ダウンリンクデータ送信に影響を及ぼすことなくチャネル測定を実行することができる。
【０８３４】
実施形態4
本発明のこの実施形態は基地局を提供する。図11に示されるように、基地局は構成設定ユニット401と、送信ユニット402と、受信ユニット403とを含む。
【０８３５】
構成設定ユニット401は、基準信号リソースマッピング図を構成設定するように構成される。
【０８３６】
送信ユニット402は、基準信号リソースマッピング図をユーザ機器UEに送信するように構成される。
【０８３７】
受信ユニット403は、UEによりフィードバックされたチャネル状態情報を受信するように構成される。
【０８３８】
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。
【０８３９】
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０８４０】
第1の可能な実装形態では、この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、YはXより大きい整数の中でXに最も近く2nを満たす整数であり、符号リソースは直交拡散符号または基準信号のシーケンスである。
【０８４１】
第4の態様の第2の可能な実装形態では、X個の連続するポートはY個のポートの中の第0のポートから第(X-1)のポートであり、またはX個の連続するポートはY個のポートの中の第(Y-X)のポートから第(Y-1)のポートである。
【０８４２】
第3の可能な実装形態では、K2=K1であり、または
【０８４３】
【数２５１】
2018516481.tif 000253
【０８４４】
であり、
【０８４５】
【数２５２】
2018516481.tif 000254
【０８４６】
は切り捨てを表す。
【０８４７】
第4の可能な実装形態では、K2個の第2の基準信号リソースマッピング図のうちの少なくとも1つが、第1の基準信号リソースマッピング図のうちの少なくとも2つの時間-周波数リソースを含む。
【０８４８】
第5の可能な実装形態では、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０８４９】
第6の可能な実装形態では、H個のポートは、第1の基準信号リソースマッピング図の中の第0のポートから第(H-1)のポートであり、または第(Y-H)のポートから第(Y-1)のポートである。
【０８５０】
第7の可能な実装形態では、送信ユニットは、第2の基準信号リソースマッピング図をUEに送信するようにさらに構成される。
【０８５１】
Xポートの第2の基準信号リソースマッピング図は、X1ポートの基準信号リソースマッピング図およびX2ポートの基準信号リソースマッピング図を含む。
【０８５２】
X1+X2=Xであり、X1とX2の差が2より小さく、X1ポートの基準信号リソースマッピング図およびX2ポートの基準信号リソースマッピング図はm個のサブフレームからUEによって取得され、mは1または2である。
【０８５３】
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０８５４】
第8の可能な実装形態では、Xは8より大きい整数である。
【０８５５】
第9の可能な実装形態では、送信ユニットは、X1ポートの基準信号リソースマッピング図およびX2ポートの基準信号リソースマッピング図を搬送するサブフレームのシーケンスをUEに通知するようにさらに構成される。
【０８５６】
代替的には、X1ポートの基準信号リソースマッピング図およびX2ポートの基準信号リソースマッピング図を搬送するサブフレームのシーケンスは事前に設定され、
このシーケンスはポート数の降順またはポート数の昇順である。
【０８５７】
第10の可能な実装形態では、送信ユニットは、X1ポートの基準信号リソースマッピング図を搬送するサブフレームの番号およびX2ポートの基準信号リソースマッピング図を搬送するサブフレームの番号をUEに通知するようにさらに構成される。
【０８５８】
代替的には、送信ユニットは、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とをUEに通知するようにさらに構成される。
【０８５９】
第11の可能な実装形態では、送信ユニットは、第2の基準信号リソースマッピング図をUEに送信するようにさらに構成される。
【０８６０】
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、Xiの各々は2nとして表すことができる。
【０８６１】
X1ポートの基準信号リソースマッピング図、X2ポートの基準信号リソースマッピング図、...、およびXiポートの基準信号リソースマッピング図は少なくとも1つのサブフレームからUEによって取得される。
【０８６２】
第12の可能な実装形態では、Xは8より大きい整数である。
【０８６３】
第13の可能な実装形態では、X1ポートの基準信号リソースマッピング図、X2ポートの基準信号リソースマッピング図、...、およびXiポートの基準信号リソースマッピング図は1つのサブフレームにおいて基地局によって送信され、または、X1ポートの基準信号リソースマッピング図、X2ポートの基準信号リソースマッピング図、...、およびXiポートの基準信号リソースマッピング図はi個のサブフレームにおいて基地局によって送信される。
【０８６４】
第14の可能な実装形態では、送信ユニットは、X1ポートの基準信号リソースマッピング図、X2ポートの基準信号リソースマッピング図、...、およびXiポートの基準信号リソースマッピング図を搬送するサブフレームのシーケンスをUEに通知するようにさらに構成される。
【０８６５】
代替的には、X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【０８６６】
第15の可能な実装形態では、送信ユニットは、X1ポートの基準信号リソースマッピング図、X2ポートの基準信号リソースマッピング図、...、およびXiポートの基準信号リソースマッピング図の各基準信号リソースマッピング図の構成情報をUEに通知するようにさらに構成される。
【０８６７】
代替的には、送信ユニットは、ジョイント符号化シグナリングをUEに送信するようにさらに構成され、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用される。
【０８６８】
代替的には、送信ユニットは、X1ポートの基準信号リソースマッピング図の構成情報と、Xjポートの基準信号リソースマッピング図の構成情報およびX1ポートの基準信号リソースマッピング図の構成情報の間の対応関係とをUEに通知するようにさらに構成され、jは1より大きくi以下の整数である。
【０８６９】
代替的には、X1ポートの基準信号リソースマッピング図の構成情報、X2ポートの基準信号リソースマッピング図の構成情報、...、およびXiポートの基準信号リソースマッピング図の構成情報が事前に定義される。
【０８７０】
第16の可能な実装形態では、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号が事前に定義される。
【０８７１】
代替的には、送信ユニットは、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号をUEに通知するようにさらに構成される。
【０８７２】
代替的には、送信ユニットは、X1ポートの基準信号リソースマッピング図を搬送するサブフレームの番号と、Xjポートの基準信号リソースマッピング図を搬送するサブフレームの番号およびX1ポートの基準信号リソースマッピング図を搬送するサブフレームの番号の間のサブフレーム間隔とをUEに通知するようにさらに構成され、jは1より大きくi以下の整数である。
【０８７３】
第17の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、LはXi、Xjの中で最小の値であり、または、各PRB pairにおけるXtポートの基準信号リソースマッピング図およびXjポートの基準信号リソースマッピング図の時間-周波数リソース位置は異なる。
【０８７４】
第18の可能な実装形態では、X1ポートの基準信号リソースマッピング図、X2ポートの基準信号リソースマッピング図、...、およびXiポートの基準信号リソースマッピング図の時間-周波数リソース位置の間には、Q個の重複する時間-周波数リソース位置があり、QはX1、X2、...、Xiの中で最小の値である。
【０８７５】
第19の可能な実装形態では、Q個の重複する時間-周波数リソース位置は、Xjポートの基準信号リソースマッピング図の中の第0のポートから第(Q-1)のポートに対応する時間-周波数リソース位置である。
【０８７６】
第20の可能な実装形態では、Xが3であり、Yが4であり、K2=K1=10である場合、第2の基準信号リソースマッピング図の時間-周波数リソース位置は(k, l)であり、kはREのサブキャリア番号であり、lはREに対応するシンボルであり、
【０８７７】
【数２５３】
2018516481.tif 000255
【０８７８】
であり、ここで、第2の基準信号リソースマッピング図の第1の構成において、
【０８７９】
【数２５４】
2018516481.tif 000256
【０８８０】
、第2の構成において、
【０８８１】
【数２５５】
2018516481.tif 000257
【０８８２】
、第10の構成において、
【０８８３】
【数２５６】
2018516481.tif 000258
【０８８４】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０８８５】
第4の態様の第21の可能な実装形態では、K1=10であり、K2=4*10/3である場合、(k, l)以外の第2の基準信号リソースマッピング図の時間-周波数リソース位置は、
【０８８６】
【数２５７】
2018516481.tif 000259
【０８８７】
、または
【０８８８】
【数２５８】
2018516481.tif 000260
【０８８９】
、または
【０８９０】
【数２５９】
2018516481.tif 000261
【０８９１】
であり、
【０８９２】
【数２６０】
2018516481.tif 000262
【０８９３】
である。
【０８９４】
第22の可能な実装形態では、Xが5であり、Yが8であり、K2=K1=5である場合、第2の基準信号リソースマッピング図の時間-周波数リソース位置は(k, l)であり、kはREのサブキャリア番号であり、lはREに対応するシンボルであり、
【０８９５】
【数２６１】
2018516481.tif 000263
【０８９６】
であり、ここで、第2の基準信号リソースマッピング図の第1の構成において、
【０８９７】
【数２６２】
2018516481.tif 000264
【０８９８】
、第2の構成において、
【０８９９】
【数２６３】
2018516481.tif 000265
【０９００】
、第5の構成において、
【０９０１】
【数２６４】
2018516481.tif 000266
【０９０２】
であり、ns mod2=1は、時間-周波数リソース位置がサブフレームの第2のスロットの中にあることを表し、ns mod2=0は、時間-周波数リソース位置がサブフレームの第1のスロットの中にあることを表す。
【０９０３】
本発明のこの実施形態において提供される端末では、UEは、基準信号リソースマッピング図を取得し、基準信号リソースマッピング図に従って基準信号を取得する。UEは、基準信号に従ってチャネル測定を実行してチャネル状態情報を決定し、チャネル状態情報を基地局にフィードバックする。基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。UEが基地局の指示に従って基準信号を取得しチャネル測定を実行して、ダウンリンクデータ送信に対する干渉を引き起こしダウンリンクシステムの性能を低下させる従来技術と比較すると、本発明の端末は、データを搬送するために使用されるREを、基準信号を搬送するために占有しないので、ダウンリンクデータ送信に影響を及ぼすことなくチャネル測定を実行することができる。
【０９０４】
実施形態5
本発明のこの実施形態はユーザ機器UEを提供する。図12に示されるように、UEはプロセッサ501と、メモリ502と、送信機503とを含む。メモリ502はコードを記憶し、プロセッサ501はメモリ502の中のコードを呼び出して以下の動作を実行する。
【０９０５】
プロセッサ501は、基準信号リソースマッピング図を取得し、基準信号リソースマッピング図に従って基準信号を取得し、基準信号に従ってチャネル測定を実行し、チャネル状態情報を決定するように構成される。
【０９０６】
送信機503は、チャネル状態情報を基地局にフィードバックするように構成される。
【０９０７】
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。
【０９０８】
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０９０９】
第1の可能な実装形態では、Xが8より小さく2nを満たさないとき、プロセッサは、第2の基準信号リソースマッピング図を取得するようにさらに構成される。
【０９１０】
この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、YはXより大きい整数の中でXに最も近く2nを満たす整数であり、符号リソースは直交拡散符号または基準信号のシーケンスである。
【０９１１】
第2の可能な実装形態では、X個の連続するポートはY個のポートの中の第0のポートから第(X-1)のポートであり、またはX個の連続するポートはY個のポートの中の第(Y-X)のポートから第(Y-1)のポートである。
【０９１２】
第5の態様の第3の可能な実装形態では、K2=K1であり、または
【０９１３】
【数２６５】
2018516481.tif 000267
【０９１４】
であり、
【０９１５】
【数２６６】
2018516481.tif 000268
【０９１６】
は切り捨てを表す。
【０９１７】
第4の可能な実装形態では、K2個の第2の基準信号リソースマッピング図のうちの少なくとも1つが、第1の基準信号リソースマッピング図のうちの少なくとも2つの時間-周波数リソースを含む。
【０９１８】
第5の態様の第5の可能な実装形態では、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０９１９】
第5の態様の第6の可能な実装形態では、H個のポートは、第1の基準信号リソースマッピング図の中の第0のポートから第(H-1)のポートであり、または第(Y-H)のポートから第(Y-1)のポートである。
【０９２０】
第7の可能な実装形態では、プロセッサは、第2の基準信号リソースマッピング図を取得するようにさらに構成される。
【０９２１】
Xポートの第2の基準信号リソースマッピング図は、X1ポートの基準信号リソースマッピング図およびX2ポートの基準信号リソースマッピング図を含む。
【０９２２】
X1+X2=Xであり、X1とX2の差が2より小さく、X1ポートの基準信号リソースマッピング図およびX2ポートの基準信号リソースマッピング図はm個のサブフレームからUEによって取得され、mは1または2である。
【０９２３】
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０９２４】
第8の可能な実装形態では、Xは8より大きい整数である。
【０９２５】
第9の可能な実装形態では、UEは、
基地局により通知される、X1ポートの基準信号リソースマッピング図およびX2ポートの基準信号リソースマッピング図を搬送するサブフレームのシーケンスを受信するように構成された受信機をさらに含み、または、
X1ポートの基準信号リソースマッピング図およびX2ポートの基準信号リソースマッピング図を搬送するサブフレームのシーケンスが事前に設定され、このシーケンスはポート数の降順またはポート数の昇順である。
【０９２６】
第10の可能な実装形態では、UEは、
基地局により通知される、X1ポートの基準信号リソースマッピング図を搬送するサブフレームの番号とX2ポートの基準信号リソースマッピング図を搬送するサブフレームの番号とを受信するように構成された受信機、または、
基地局により通知される、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とを受信するように構成された受信機をさらに含む。
【０９２７】
第11の可能な実装形態では、プロセッサは、第2の基準信号リソースマッピング図を取得するようにさらに構成される。
【０９２８】
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、およびXiの各々は2nとして表すことができる。
【０９２９】
X1ポートの基準信号リソースマッピング図、X2ポートの基準信号リソースマッピング図、...、およびXiポートの基準信号リソースマッピング図は少なくとも1つのサブフレームからUEによって取得される。
【０９３０】
第12の可能な実装形態では、Xは8より大きい整数である。
【０９３１】
第5の態様の第13の可能な実装形態では、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【０９３２】
第14の可能な実装形態では、UEは、
基地局により通知される、X1ポートの基準信号リソースマッピング図、X2ポートの基準信号リソースマッピング図、...、およびXiポートの基準信号リソースマッピング図を搬送するサブフレームのシーケンスを受信するように構成された受信機をさらに含み、または、
X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【０９３３】
第15の可能な実装形態では、受信機は、基地局により通知される、X1ポートの基準信号リソースマッピング図、X2ポートの基準信号リソースマッピング図、...、およびXiポートの基準信号リソースマッピング図の各基準信号リソースマッピング図の構成情報を受信するようにさらに構成される。
【０９３４】
代替的には、受信機は、基地局により送信されるジョイント符号化シグナリングを受信するようにさらに構成され、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用される。
【０９３５】
代替的には、受信機は、基地局により通知される、X1ポートの基準信号リソースマッピング図の構成情報と、Xjポートの基準信号リソースマッピング図の構成情報およびX1ポートの基準信号リソースマッピング図の構成情報の間の対応関係とを受信するようにさらに構成され、jは1より大きくi以下の整数である。
【０９３６】
代替的には、X1ポートの基準信号リソースマッピング図の構成情報、X2ポートの基準信号リソースマッピング図の構成情報、...、およびXiポートの基準信号リソースマッピング図の構成情報が事前に定義される。
【０９３７】
第16の可能な実装形態では、
X1ポートの基準信号リソースマッピング図を搬送するサブフレームの番号、X1ポートの基準信号リソースマッピング図を搬送するサブフレームの番号、...、およびXiポートの基準信号リソースマッピング図を搬送するサブフレームの番号が事前に定義され、または、
受信機が、基地局により通知される、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号を受信するようにさらに構成され、または、
受信機が、基地局により通知される、X1ポートの基準信号リソースマッピング図を搬送するサブフレームの番号と、Xjポートの基準信号リソースマッピング図を搬送するサブフレームの番号およびX1ポートの基準信号リソースマッピング図を搬送するサブフレームの番号の間のサブフレーム間隔とを受信するようにさらに構成され、jは1より大きくi以下の整数である。
【０９３８】
第17の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、LはXi、Xjの中で最小の値であり、または、各PRB pairにおけるXtポートの基準信号リソースマッピング図およびXjポートの基準信号リソースマッピング図の時間-周波数リソース位置は異なる。
【０９３９】
第18の可能な実装形態では、X1ポートの基準信号リソースマッピング図、X2ポートの基準信号リソースマッピング図、...、およびXiポートの基準信号リソースマッピング図の時間-周波数リソース位置の間には、Q個の重複する時間-周波数リソース位置があり、QはX1、X2、...、Xiの中で最小の値である。
【０９４０】
第19の可能な実装形態では、Q個の重複する時間-周波数リソース位置は、Xjポートの基準信号リソースマッピング図の中の第0のポートから第(Q-1)のポートに対応する時間-周波数リソース位置である。
【０９４１】
本発明のこの実施形態において提供される端末では、UEは、基準信号リソースマッピング図を取得し、基準信号リソースマッピング図に従って基準信号を取得する。UEは、基準信号に従ってチャネル測定を実行してチャネル状態情報を決定し、チャネル状態情報を基地局にフィードバックする。基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。UEが基地局の指示に従って基準信号を取得しチャネル測定を実行して、ダウンリンクデータ送信に対する干渉を引き起こしダウンリンクシステムの性能を低下させる従来技術と比較すると、本発明の端末は、データを搬送するために使用されるREを、基準信号を搬送するために占有しないので、ダウンリンクデータ送信に影響を及ぼすことなくチャネル測定を実行することができる。
【０９４２】
実施形態6
本発明のこの実施形態は基地局を提供する。図13に示されるように、基地局はプロセッサ601と、メモリ602と、送信機603と、受信機604とを含む。メモリ602はコードのグループを記憶し、プロセッサ601はメモリ602の中のコードを呼び出して以下の動作を実行するように構成される。
【０９４３】
プロセッサ601は、基準信号リソースマッピング図を構成設定するように構成される。
【０９４４】
送信機602は、基準信号リソースマッピング図をユーザ機器UEに送信するように構成される。
【０９４５】
受信機403は、UEによりフィードバックされたチャネル状態情報を受信するように構成される。
【０９４６】
基準信号リソースマッピング図は、基準信号の時間-周波数リソースがマッピングされる位置であり、基準信号リソースマッピング図は、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2は第2の基準信号リソースマッピング図の数であり、K1は第1の基準信号リソースマッピング図の数であり、K1およびK2は1以上の整数である。
【０９４７】
第1の基準信号リソースマッピング図はYポートの基準信号リソースマッピング図であり、第2の基準信号リソースマッピング図はXポートの基準信号リソースマッピング図であり、Yは8以下で2nを満たす整数であり、Xは8より大きい整数、または8より小さく2nを満たさない整数である。
【０９４８】
第1の可能な実装形態では、この相関関係は、K2個の第2の基準信号リソースマッピング図のうちのいずれか1つのY個のポートの中のX個の連続するポートの時間-周波数リソースおよび符号リソースが、K1個の第1の基準信号リソースマッピング図のうちのいずれか1つのY個のポートの中のX個の連続するポートの時間-周波数リソースおよび符号リソースと同じである、ことであり、YはXより大きい整数の中でXに最も近く2nを満たす整数であり、符号リソースは直交拡散符号または基準信号のシーケンスである。
【０９４９】
第2の可能な実装形態では、X個の連続するポートはY個のポートの中の第0のポートから第(X-1)のポートであり、またはX個の連続するポートはY個のポートの中の第(Y-X)のポートから第(Y-1)のポートである。
【０９５０】
第6の態様の第3の可能な実装形態では、K2=K1であり、または
【０９５１】
【数２６７】
2018516481.tif 000269
【０９５２】
であり、
【０９５３】
【数２６８】
2018516481.tif 000270
【０９５４】
は切り捨てを表す。
【０９５５】
第4の可能な実装形態では、K2個の第2の基準信号リソースマッピング図のうちの少なくとも1つが、第1の基準信号リソースマッピング図のうちの少なくとも2つの時間-周波数リソースを含む。
【０９５６】
第5の可能な実装形態では、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【０９５７】
第6の可能な実装形態では、H個のポートは、第1の基準信号リソースマッピング図の中の第0のポートから第(H-1)のポートであり、または第(Y-H)のポートから第(Y-1)のポートである。
【０９５８】
第7の可能な実装形態では、送信機は、第2の基準信号リソースマッピング図をUEに送信するようにさらに構成される。
【０９５９】
Xポートの第2の基準信号リソースマッピング図は、X1ポートの基準信号リソースマッピング図およびX2ポートの基準信号リソースマッピング図を含む。
【０９６０】
X1+X2=Xであり、X1とX2の差が2より小さく、X1ポートの基準信号リソースマッピング図およびX2ポートの基準信号リソースマッピング図はm個のサブフレームからUEによって取得され、mは1または2である。
【０９６１】
X1ポートの基準信号リソースマッピング図が第1の基準信号リソースマッピング図であり、かつX2ポートの基準信号リソースマッピング図が第2の基準信号リソースマッピング図であり、または、X1ポートの基準信号リソースマッピング図とX2ポートの基準信号リソースマッピング図の両方が第2の基準信号リソースマッピング図である。
【０９６２】
第8の可能な実装形態では、Xは8より大きい整数である。
【０９６３】
第9の可能な実装形態では、送信機は、X1ポートの基準信号リソースマッピング図およびX2ポートの基準信号リソースマッピング図を搬送するサブフレームのシーケンスをUEに通知するようにさらに構成される。
【０９６４】
代替的には、X1ポートの基準信号リソースマッピング図およびX2ポートの基準信号リソースマッピング図を搬送するサブフレームのシーケンスは事前に設定され、
このシーケンスはポート数の降順またはポート数の昇順である。
【０９６５】
第10の可能な実装形態では、送信機は、X1ポートの基準信号リソースマッピング図を搬送するサブフレームの番号およびX2ポートの基準信号リソースマッピング図を搬送するサブフレームの番号をUEに通知するようにさらに構成される。
【０９６６】
代替的には、送信機は、X1ポートの基準信号リソースマッピング図を搬送するサブフレームの番号と、X2ポートの基準信号リソースマッピング図を搬送するサブフレームおよびX1ポートの基準信号リソースマッピング図を搬送するサブフレームの間のサブフレーム間隔とをUEに通知するようにさらに構成される。
【０９６７】
第11の可能な実装形態では、送信機は、第2の基準信号リソースマッピング図をUEに送信するようにさらに構成される。
【０９６８】
第2の基準信号リソースマッピング図は、X1ポートの基準信号リソースマッピング図、X2ポートの基準信号リソースマッピング図、...、およびXiポートの基準信号リソースマッピング図の各々を含み、X1+X2...+Xi=Xであり、X1、X2、...、Xiの各々は2nとして表すことができる。
【０９６９】
X1ポートの基準信号リソースマッピング図、X2ポートの基準信号リソースマッピング図、...、およびXiポートの基準信号リソースマッピング図は少なくとも1つのサブフレームからUEによって取得される。
【０９７０】
第12の可能な実装形態では、Xは8より大きい整数である。
【０９７１】
第6の態様の第13の可能な実装形態では、X1ポートの基準信号リソースマッピング図、X2ポートの基準信号リソースマッピング図、...、およびXiポートの基準信号リソースマッピング図は1つのサブフレームにおいて基地局によって送信され、または、X1ポートの基準信号リソースマッピング図、X2ポートの基準信号リソースマッピング図、...、およびXiポートの基準信号リソースマッピング図はi個のサブフレームにおいて基地局によって送信される。
【０９７２】
第14の可能な実装形態では、送信機は、X1ポートの基準信号リソースマッピング図、X2ポートの基準信号リソースマッピング図、...、およびXiポートの基準信号リソースマッピング図を搬送するサブフレームのシーケンスをUEに通知するようにさらに構成される。
【０９７３】
代替的には、X1ポートの基準信号リソースマッピング図、X2ポートの基準信号リソースマッピング図、...、およびXiポートの基準信号リソースマッピング図を搬送するサブフレームのシーケンスが事前に定義され、
サブフレームのシーケンスは、ポート数の昇順、またはポート数の降順、または最大のポート数、最小のポート数、2番目に大きいポート数、2番目に小さいポート数、...のシーケンスである。
【０９７４】
第15の可能な実装形態では、送信機は、X1ポートの基準信号リソースマッピング図、X2ポートの基準信号リソースマッピング図、...、およびXiポートの基準信号リソースマッピング図の各基準信号リソースマッピング図の構成情報をUEに通知するようにさらに構成される。
【０９７５】
代替的には、送信機は、ジョイント符号化シグナリングをUEに送信するようにさらに構成され、ジョイント符号化シグナリングが、X1ポートの基準信号リソースマッピング図の構成情報、X2ポートの基準信号リソースマッピング図の構成情報、...、およびXiポートの基準信号リソースマッピング図の構成情報を示すために使用される。
【０９７６】
代替的には、送信機は、X1ポートの基準信号リソースマッピング図の構成情報と、Xjポートの基準信号リソースマッピング図の構成情報およびX1ポートの基準信号リソースマッピング図の構成情報の間の対応関係とをUEに通知するようにさらに構成され、jは1より大きくi以下の整数である。
【０９７７】
代替的には、X1ポートの基準信号リソースマッピング図の構成情報、X2ポートの基準信号リソースマッピング図の構成情報、...、およびXiポートの基準信号リソースマッピング図の構成情報が事前に定義される。
【０９７８】
第16の可能な実装形態では、X1ポートの基準信号リソースマッピング図を搬送するサブフレームの番号、X1ポートの基準信号リソースマッピング図を搬送するサブフレームの番号、...、およびXiポートの基準信号リソースマッピング図を搬送するサブフレームの番号が事前に定義される。
【０９７９】
代替的には、送信機は、X1ポートの基準信号リソースマッピング図を搬送するサブフレームの番号、X2ポートの基準信号リソースマッピング図を搬送するサブフレームの番号、...、およびXiポートの基準信号リソースマッピング図を搬送するサブフレームの番号をUEに通知するようにさらに構成される。
【０９８０】
代替的には、送信機は、X1ポートの基準信号リソースマッピング図を搬送するサブフレームの番号と、Xjポートの基準信号リソースマッピング図を搬送するサブフレームの番号およびX1ポートの基準信号リソースマッピング図を搬送するサブフレームの番号の間のサブフレーム間隔とをUEに通知するようにさらに構成され、jは1より大きくi以下の整数である。
【０９８１】
第17の可能な実装形態では、Xtポートの基準信号リソースマッピング図およびXjポートの基準信号リソースマッピング図が異なるサブフレームの中にあり、tが1以上かつi以下の整数であり、tがjに等しくない場合、
Xtポートの基準信号リソースマッピング図およびXjポートの基準信号リソースマッピング図は、各PRB pairの中にL個の同じ相対的な時間-周波数リソース位置を有し、LはXi、Xjの中で最小の値であり、または、各PRB pairにおけるXtポートの基準信号リソースマッピング図およびXjポートの基準信号リソースマッピング図の時間-周波数リソース位置は異なる。
【０９８２】
第18の可能な実装形態では、X1ポートの基準信号リソースマッピング図、X2ポートの基準信号リソースマッピング図、...、およびXiポートの基準信号リソースマッピング図の時間-周波数リソース位置の間には、Q個の重複する時間-周波数リソース位置があり、QはX1、X2、...、Xiの中で最小の値である。
【０９８３】
第19の可能な実装形態では、Q個の重複する時間-周波数リソース位置は、Xjポートの基準信号リソースマッピング図の中の第0のポートから第(Q-1)のポートに対応する時間-周波数リソース位置である。
【０９８４】
実施形態7
本発明のこの実施形態において提供される第2の基準信号リソースマッピング図は、9ポートの基準信号リソースマッピング図であり得る。すなわち、Xは8より大きく2nを満たさない。
【０９８５】
X=9であるとき、X=8+1である。すなわち、9ポートの基準信号リソースマッピング図は、8ポートの基準信号リソースマッピング図および1ポートの基準信号リソースマッピング図を含み得る。さらに、8ポートの基準信号リソースマッピング図および1ポートの基準信号リソースマッピング図は、同じサブフレームの中にあり得る。図14は、本発明のこの実施形態において提供される、9ポートの基準信号リソースマッピング図を示す。第0のポートから第7のポートによって占有される時間-周波数リソース位置は、8ポートの基準信号リソースマッピング図の中の8個のポートによって占有される時間-周波数リソース位置と同じである。すなわち、9ポートの基準信号リソースマッピング図は、1個の8ポートの基準信号リソースマッピング図を含む。加えて、第8のポートによって占有される時間-周波数リソース位置は、1ポートの基準信号リソースマッピング図の中の1個のポートによって占有される時間-周波数リソース位置と同じである。すなわち、9ポートの基準信号リソースマッピング図は、1個の1ポートの基準信号リソースマッピング図をさらに含む。
【０９８６】
当然、9ポートの基準信号リソースマッピング図を形成する8ポートの基準信号リソースマッピング図および1ポートの基準信号リソースマッピング図は、代替的には異なるサブフレームの中にあることが可能である。図15に示されるように、8ポートの基準信号リソースマッピング図は、1ポートの基準信号リソースマッピング図を搬送するサブフレームの前のサブフレームの中にある。第0のポートから第7のポートに対応する時間-周波数リソース位置は8ポートの基準信号リソースマッピング図を搬送するサブフレームの中にあり、第8のポートに対応する時間-周波数リソース位置は1ポートの基準信号リソースマッピング図を搬送するサブフレームの中にある。加えて、第8のポートおよび第0のポートは同じサブキャリアに対応する。
【０９８７】
図16は、本発明による、別の9ポートの基準信号リソースマッピング図を示す。9ポートの基準信号リソースマッピング図を形成する8ポートの基準信号リソースマッピング図および1ポートの基準信号リソースマッピング図は、代替的には異なるサブフレームの中にあることが可能であり、第0のポートから第7のポートに対応する時間-周波数リソース位置は、8ポートの基準信号リソースマッピング図を搬送するサブフレームの中にあり、第8のポートに対応する時間-周波数リソース位置は1ポートの基準信号リソースマッピング図を搬送するサブフレームの中にある。加えて、第8のポートおよび第7のポートは同じサブキャリアに対応する。
【０９８８】
本発明のこの実施形態において提供される第2の基準信号リソースマッピング図は、また、12ポートの基準信号リソースマッピング図であり得る。
【０９８９】
X=12であるとき、X=X1+X2、X1=8、かつX2=4である。すなわち、12ポートの第2の基準信号リソースマッピング図は、1つの8ポートの第1の基準信号リソースマッピング図および1つの4ポートの第1の基準信号リソースマッピング図を含み得る。さらに、8ポートの基準信号リソースマッピング図および4ポートの基準信号リソースマッピング図は、同じサブフレームの中にあり得る。図17は、本発明による、normal CPモード1(時分割多重TDDおよび周波数分割多重FDDをサポートする)におけるある構成の12ポートの第2の基準信号リソースマッピング図を示す。12個のポートは0から11まで番号付けされる。表1(従来技術のLTE R12において定義されるnormal CPにおけるポート構成表)からわかるように、第0のポートから第7のポートによって占有される時間-周波数リソース位置(REの位置)は、従来技術のLTE R12において定義されるnormal CPにおける5個の8ポート構成の中のconfiguration 0に対応する8ポートの第1の基準信号リソースマッピング図によって占有される時間-周波数リソース位置と同じであり、configuration 0に対応する8ポートの第1の基準信号リソースマッピング図によって占有されるREの位置(k, l)は、{(9, 5), (9, 6), (3, 5), (3, 6), (8, 5), (8, 6), (2, 5), (2, 6)}である。この構成では、12個のポートの中の第8のポートから第11のポートによって占有される時間-周波数リソース位置は、従来技術のLTE R12において定義されるnormal CPにおける4ポートの第1の基準信号リソースマッピング図の10個の構成の中のconfiguration 2に対応する4ポートの第1の基準信号リソースマッピング図によって占有される時間-周波数リソース位置と同じであり、占有されるREの位置(k, l)は{(9, 2), (9, 3), (3, 2), (3, 3)}である。kは各PRB pairにおけるサブキャリアの番号であり、kの値はnormal CPに対しては0から11である。lは各PRB pairの中の各スロットにおけるOFDMシンボルの番号であり、値の範囲は0から6である。各PRB pairはslot 0およびslot 1の2つのスロットを含む。
【０９９０】
すなわち、12ポートの基準信号リソースマッピング図は、1個の8ポートの基準信号リソースマッピング図を含む。加えて、第8のポートから第11のポートによって占有される時間-周波数リソース位置は、4ポートの基準信号リソースマッピング図の中の4個のポートによって占有される時間-周波数リソース位置と同じである。すなわち、12ポートの基準信号リソースマッピング図は、1個の4ポートの第1の基準信号リソースマッピング図をさらに含む。
【０９９１】
【表１】
2018516481.tif 000271
【０９９２】
図18は、本発明による、normal CPモード1における別の構成の12ポートの第2の基準信号リソースマッピング図を示す。12個のポートは0から11まで番号付けされる。第0のポートから第7のポートによって占有される時間-周波数リソース位置(REの位置)は、従来技術のLTE R12において定義されるnormal CPの5個の8ポート構成の中のconfiguration 0に対応する8ポートの第1の基準信号リソースマッピング図によって占有される時間-周波数リソース位置と同じである。この構成では、12個のポートの中の第8のポートから第11のポートによって占有される時間-周波数リソース位置は、従来技術のLTE R12において定義されるnormal CPにおける4ポートの第1の基準信号リソースマッピング図の10個の構成の中のconfiguration 7に対応する4ポートの第1の基準信号リソースマッピング図によって占有される時間-周波数リソース位置と同じであり、占有されるREの位置(k, l)は{(8, 2), (8, 3), (2, 2), (2, 3)}である。
【０９９３】
図19は、本発明による、normal CPモード1におけるある構成の12ポートの第2の基準信号リソースマッピング図を示す。12個のポートは0から11まで番号付けされる。第0のポートから第7のポートによって占有される時間-周波数リソース位置(REの位置)は、従来技術のLTE R12において定義されるnormal CPにおける5個の8ポート構成の中のconfiguration 4に対応する8ポートの第1の基準信号リソースマッピング図によって占有される時間-周波数リソース位置と同じであり、configuration 4に対応する8ポートの第1の基準信号リソースマッピング図によって占有されるREの位置(k, l)は、{(9, 5), (9, 6), (3, 5), (3, 6), (8, 5), (8, 6), (2, 5), (2, 6)}である。加えて、この構成では、12個のポートの中の第8のポートから第11のポートによって占有される時間-周波数リソース位置は、従来技術のLTE R12において定義されるnormal CPにおける4ポートの第1の基準信号リソースマッピング図の10個の構成の中のconfiguration 2に対応する4ポートの第1の基準信号リソースマッピング図によって占有される時間-周波数リソース位置と同じであり、占有されるREの位置(k, l)は{(9, 2), (9, 3), (3, 2), (3, 3)}である。
【０９９４】
図20は、本発明による、normal CPモード1におけるある構成の12ポートの第2の基準信号リソースマッピング図を示す。12個のポートは0から11まで番号付けされる。第0のポートから第7のポートによって占有される時間-周波数リソース位置(REの位置)は、従来技術のLTE R12において定義されるnormal CPにおける5個の8ポート構成の中のconfiguration 4に対応する8ポートの第1の基準信号リソースマッピング図によって占有される時間-周波数リソース位置と同じであり、configuration 4に対応する8ポートの第1の基準信号リソースマッピング図によって占有されるREの位置(k, l)は、{(9, 5), (9, 6), (3, 5), (3, 6), (8, 5), (8, 6), (2, 5), (2, 6)}である。加えて、この構成では、12個のポートの中の第8のポートから第11のポートによって占有される時間-周波数リソース位置は、従来技術のLTE R12において定義されるnormal CPにおける4ポートの第1の基準信号リソースマッピング図の10個の構成の中のconfiguration 7に対応する4ポートの第1の基準信号リソースマッピング図によって占有される時間-周波数リソース位置と同じであり、占有されるREの位置(k, l)は{(8, 2), (8, 3), (2, 2), (2, 3)}である。
【０９９５】
当然、12ポートの基準信号リソースマッピング図を形成する8ポートの第1の基準信号リソースマッピング図および4ポートの第1の基準信号リソースマッピング図は、異なるサブフレームの中にある。図21に示されるように、図17に示される12ポートの第2の基準信号リソースマッピング図に対応する時間-周波数リソース位置は、2つの異なるサブフレームに分割される。たとえば、8ポートの基準信号リソースマッピング図は、4ポートの基準信号リソースマッピング図を搬送するサブフレームの前のサブフレームの中にある。第0のポートから第7のポートに対応する時間-周波数リソース位置は8ポートの基準信号リソースマッピング図を搬送するサブフレームの中にあり、第8のポートから第11のポートに対応する時間-周波数リソース位置は4ポートの基準信号リソースマッピング図を搬送するサブフレームの中にある。加えて、第8のポートおよび第9のポートは第0のポートおよび第1のポートに対応するサブキャリアと同じサブキャリアに対応し、第10のポートおよび第11のポートは第4のポートおよび第5のポートに対応するサブキャリアと同じサブキャリアに対応する。当然、図18から図20に示される12ポートの第2の基準信号リソースマッピング図の各々は、異なるサブフレームの中にあり得る。具体的には、第0のポートから第7のポートに対応する時間-周波数リソース位置は、第8のポートから第11のポートに対応する時間-周波数リソース位置を搬送するサブフレームの前のサブフレームの中にあり、第0のポートから第7のポートによって占有される時間-周波数リソース位置は、12ポートの第2の基準信号リソースマッピング図の元の構成における最初の8個のポートによって占有される時間-周波数リソース位置と同じであり、第8のポートから第11のポートによって占有される時間-周波数リソース位置は、12ポートの第2の基準信号リソースマッピング図の元の構成における最後の4個のポートによって占有される時間-周波数リソース位置と同じであり、詳細はここでは再び説明されない。
【０９９６】
normal CPモード2(TDDのみをサポートする)では、12ポートの基準信号リソースマッピング図は、図22に示される基準信号リソースマッピング図であり得る。12個のポートは0から11まで番号付けされる。第0のポートから第7のポートによって占有される時間-周波数リソース位置(REの位置)は、従来技術のLTE R12において定義されるnormal CPモード2における3個の8ポート構成の中のconfiguration 22に対応する8ポートの第1の基準信号リソースマッピング図によって占有される時間-周波数リソース位置と同じであり、configuration 22に対応する8ポートの第1の基準信号リソースマッピング図によって占有されるREの位置(k, l)は、{(7, 1), (7, 3), (1, 1), (1, 3), (6, 1), (6, 3), (0, 1), (0, 3)}である。この構成では、12個のポートの中の第8のポートから第11のポートによって占有される時間-周波数リソース位置は、従来技術のLTE R12において定義されるnormal CPモード2における8ポートの第1の基準信号リソースマッピング図の3個の構成の中のconfiguration 21に対応する8ポートの第1の基準信号リソースマッピング図によって占有される時間-周波数リソース位置と同じであり、占有されるREの位置(k, l)は{(9, 1), (9, 3), (3, 1), (3, 3)}である。
【０９９７】
normal CPモード2では、12ポートの基準信号リソースマッピング図は、代替的には、図23に示される基準信号リソースマッピング図であり得る。12個のポートは0から11まで番号付けされる。第0のポートから第7のポートによって占有される時間-周波数リソース位置(REの位置)は、従来技術のLTE R12において定義されるnormal CPモード2における3個の8ポート構成の中のconfiguration 20に対応する8ポートの第1の基準信号リソースマッピング図によって占有される時間-周波数リソース位置と同じであり、configuration 20に対応する8ポートの第1の基準信号リソースマッピング図によって占有されるREの位置(k, l)は、{(11, 1), (11, 3), (5, 1), (5, 3), (10, 1), (10, 3), (4, 1), (4, 3)}である。この構成では、12個のポートの中の第8のポートから第11のポートによって占有される時間-周波数リソース位置は、従来技術のLTE R12において定義されるnormal CPモード2における8ポートの第1の基準信号リソースマッピング図の3個の構成の中のconfiguration 21に対応する8ポートの第1の基準信号リソースマッピング図によって占有される時間-周波数リソース位置と同じであり、占有されるREの位置(k, l)は{(8, 1), (8, 3), (2, 1), (2, 3)}である。
【０９９８】
extended CPモード1では、12ポートの基準信号リソースマッピング図は、図24に示される基準信号リソースマッピング図であり得る。12個のポートは0から11まで番号付けされる。表2(従来技術のLTE R12において定義されるextended CPにおけるポート構成表)からわかるように、第0のポートから第7のポートによって占有される時間-周波数リソース位置(REの位置)は、従来技術のLTE R12において定義されるextended CPモード1における4個の8ポート構成の中のconfiguration 0に対応する8ポートの第1の基準信号リソースマッピング図によって占有される時間-周波数リソース位置と同じであり、configuration 0に対応する8ポートの第1の基準信号リソースマッピング図によって占有されるREの位置(k, l)は、{(11, 4), (11, 5), (8, 4), (8, 5), (5, 4), (5, 5), (2, 4), (2, 5)}である。この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 1に対応する8ポートの第1の基準信号リソースマッピング図によって占有される時間-周波数リソース位置と同じであり、占有されるREの位置(k, l)は{(3, 4), (3, 5), (0, 4), (0, 5)}である。代替的には、この構成では、12個のポートの中の第8のポートから第11のポートによって占有される時間-周波数リソース位置は、従来技術のLTE R12において定義される8ポートの第1の基準信号リソースマッピング図の4個の構成の中のconfiguration 1に対応する8ポートの第1の基準信号リソースマッピング図によって占有される時間-周波数リソース位置と同じであり、占有されるREの位置(k, l)は{(9, 4), (9, 5), (6, 4), (6, 5)}である。
【０９９９】
【表２】
2018516481.tif 000272
【１０００】
extended CPモード1では、12ポートの基準信号リソースマッピング図は、また、図25に示される基準信号リソースマッピング図であり得る。12個のポートは0から11まで番号付けされる。第0のポートから第7のポートによって占有される時間-周波数リソース位置(REの位置)は、従来技術のLTE R12において定義されるextended CPモード1における4個の8ポート構成の中のconfiguration 1に対応する8ポートの第1の基準信号リソースマッピング図によって占有される時間-周波数リソース位置と同じであり、configuration 1に対応する8ポートの第1の基準信号リソースマッピング図によって占有されるREの位置(k, l)は、{(9, 4), (9, 5), (6, 4), (6, 5), (3, 4), (3, 5), (0, 4), (0, 5)}である。この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 0に対応する8ポートの第1の基準信号リソースマッピング図によって占有される時間-周波数リソース位置と同じであり、占有されるREの位置(k, l)は{(11, 4), (11, 5), (8, 4), (8, 5)}である。代替的に、この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 0に対応する8ポートの第1の基準信号リソースマッピング図によって占有される時間-周波数リソース位置と同じであり、占有されるREの位置(k, l)は{(3, 4), (3, 5), (0, 4), (0, 5)}である。
【１００１】
extended CPモード1では、12ポートの基準信号リソースマッピング図は、図26に示される基準信号リソースマッピング図であり得る。12個のポートは0から11まで番号付けされる。第0のポートから第7のポートによって占有される時間-周波数リソース位置(REの位置)は、従来技術のLTE R12において定義されるextended CPモード1における4個の8ポート構成の中のconfiguration 2に対応する8ポートの第1の基準信号リソースマッピング図によって占有される時間-周波数リソース位置と同じであり、configuration 2に対応する8ポートの第1の基準信号リソースマッピング図によって占有されるREの位置(k, l)は、{(10, 4), (10, 5), (7, 4), (7, 5), (4, 4), (4, 5), (1, 4), (1, 5)}である。加えて、この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 3に対応する8ポートの第1の基準信号リソースマッピング図によって占有される時間-周波数リソース位置と同じであり、占有されるREの位置(k, l)は{(9, 4), (9, 5), (6, 4), (6, 5)}である。代替的に、この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 3に対応する8ポートの第1の基準信号リソースマッピング図によって占有される時間-周波数リソース位置と同じであり、占有されるREの位置(k, l)は{(3, 4), (3, 5), (0, 4), (0, 5)}である。
【１００２】
extended CPモード1では、12ポートの基準信号リソースマッピング図は、図27に示される基準信号リソースマッピング図であり得る。12個のポートは0から11まで番号付けされる。第0のポートから第7のポートによって占有される時間-周波数リソース位置(REの位置)は、従来技術のLTE R12において定義されるextended CPモード1における4個の8ポート構成の中のconfiguration 3に対応する8ポートの第1の基準信号リソースマッピング図によって占有される時間-周波数リソース位置と同じであり、configuration 3に対応する8ポートの第1の基準信号リソースマッピング図によって占有されるREの位置(k, l)は、{(9, 4), (9, 5), (6, 4), (6, 5), (3, 4), (3, 5), (0, 4), (0, 5)}である。この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 2に対応する8ポートの第1の基準信号リソースマッピング図によって占有される時間-周波数リソース位置と同じであり、占有されるREの位置(k, l)は{(10, 4), (10, 5), (7, 4), (7, 5)}である。代替的に、この構成では、12個のポートの中の第8のポートから第11のポートによって占有される時間-周波数リソース位置は、従来技術のLTE R12において定義されるextended CPモード1における8ポートの第1の基準信号リソースマッピング図の4個の構成の中のconfiguration 2に対応する8ポートの第1の基準信号リソースマッピング図によって占有される時間-周波数リソース位置と同じであり、占有されるREの位置(k, l)は{(4, 4), (4, 5), (1, 4), (1, 5)}である。
【１００３】
extended CPモード2(TDDのみをサポートする)では、12ポートの基準信号リソースマッピング図は、図24から図27に示される基準信号リソースマッピング図であることが可能であり、または図28に示される基準信号リソースマッピング図であることが可能である。12個のポートは0から11まで番号付けされる。第0のポートから第7のポートによって占有される時間-周波数リソース位置(REの位置)は、従来技術のLTE R12において定義されるextended CPモード2における3個の8ポート構成の中のconfiguration 16に対応する8ポートの第1の基準信号リソースマッピング図によって占有される時間-周波数リソース位置と同じであり、configuration 16に対応する8ポートの第1の基準信号リソースマッピング図によって占有されるREの位置(k, l)は、{(11, 1), (11, 2), (8, 1), (8, 2), (5, 1), (5, 2), (2, 1), (2, 2)}である。この構成では、12個のポートの中の第8のポートから第11のポートによって占有される時間-周波数リソース位置は、従来技術のLTE R12において定義されるextended CPモード2における8ポートの第1の基準信号リソースマッピング図の3個の構成の中のconfiguration 18に対応する8ポートの第1の基準信号リソースマッピング図によって占有される時間-周波数リソース位置と同じであり、占有されるREの位置(k, l)は{(9, 1), (9, 2), (6, 1), (6, 2)}である。
【１００４】
extended CPモード2(TDDのみをサポートする)では、12ポートの基準信号リソースマッピング図は、図29に示される基準信号リソースマッピング図であり得る。12個のポートは0から11まで番号付けされる。第0のポートから第7のポートによって占有される時間-周波数リソース位置(REの位置)は、従来技術のLTE R12において定義されるextended CPモード2における3個の8ポート構成の中のconfiguration 17に対応する8ポートの第1の基準信号リソースマッピング図によって占有される時間-周波数リソース位置と同じであり、configuration 16に対応する8ポートの第1の基準信号リソースマッピング図によって占有されるREの位置(k, l)は、{(10, 1), (10, 2), (7, 1), (7, 2), (4, 1), (4, 2), (1, 1), (1, 2)}である。この構成では、12個のポートの中の第8のポートから第11のポートによって占有される時間-周波数リソース位置は、従来技術のLTE R12において定義されるextended CPモード2における8ポートの第1の基準信号リソースマッピング図の3個の構成の中のconfiguration 18に対応する8ポートの第1の基準信号リソースマッピング図によって占有される時間-周波数リソース位置と同じであり、占有されるREの位置(k, l)は{(3, 1), (3, 2), (0, 1), (0, 2)}である。
【１００５】
基地局は、具体的に、以下の方式でシグナリングを使用することによって第2の基準信号リソースマッピング図の構成をUEに通知し得ることに留意されたい。
【１００６】
第一に、表3の方式が使用され得る。基地局は、表1をUEに送信し、シグナリングを使用することによって、第2の基準信号リソースマッピング図に対応する構成番号(構成インデックス)をUEに通知する。たとえば、基地局は、シグナリングを使用することによって、第2の基準信号リソースマッピング図の構成がconfiguration 0であることをUEに通知する。これは、PRB pairの中の12ポートの第2の基準信号リソースマッピング図における第0のポートに対応するREの位置が(9, 5)であり、ns mod2=0であることを表す。さらに、UEは、事前に設定される式に従って、12ポートの第2の基準信号リソースマッピング図の中の他の11個のポートに対応するREの位置を取得し得る。事前に設定される式は、
【１００７】
【数２６９】
2018516481.tif 000273
【１００８】
であることが可能であり、ここで、第0のポートから第7のポートはns mod2=0に対応し、第8のポートから第11のポートはns mod2=1に対応し、Kは各PRB pairにおけるサブキャリアの番号であり、lは各スロットにおけるOFDMシンボルの番号である。
【１００９】
加えて、通知のために使用されるシグナリングのビット数は、ポート数が1、2、4、および8である第2の基準信号のリソースマッピング図の構成を通知するために使用されるシグナリングのビット数と同じであることが可能であり、5bitsである。
【１０１０】
【表３】
2018516481.tif 000274
【１０１１】
第二に、Xポートの第2の基準信号のリソースマッピング図に対して、X=X1+X2である場合、基地局は、X1ポートの第1の基準信号リソースマッピング図の構成およびX2ポートの第1の基準信号リソースマッピング図の構成を別々に通知する。たとえば、基地局は、X1=8の構成がconfiguration 0〜configuration 4から選択され得ることを通知する。たとえば、configuration 0が選択される。基地局はX2=4の構成がconfiguration 4であることを通知し、X2=4の構成がconfiguration 0〜configuration 9から選択され得る。たとえば、configuration 4が選択され通知される。この方式が最も柔軟である。X1の構成とX2の構成の多くの組合せがあるので、Xポートの第2の基準信号リソースマッピング図の構成は非常に柔軟であり、異なるXポートの第2のパイロットリソースマッピング図の構成は重複し得る。X1は5bitsを使用することによって通知される必要があり、X2も5bitsを使用することによって通知される必要がある。
【１０１２】
第三に、第2の方式との違いは、基地局が事前に設定される規則に従ってX1およびX2の構成の範囲を制限することにある。たとえば、X1=8の構成の範囲は、元はconfiguration 0からconfiguration 4であり、現在は、configuration 0、configuration 1、およびconfiguration 2に制限されており、X2=4の構成の範囲は、元はconfiguration 0からconfiguration 9であり、現在は、configuration 0およびconfiguration 4に制限されている。事前に設定される規則は、Xポートの基準信号リソースマッピング図に含まれるX1ポートの基準信号リソースマッピング図およびX2ポートの基準信号リソースマッピング図の構成が重複しない、または、Xポートの基準信号リソースマッピング図に含まれるX1ポートの基準信号リソースマッピング図およびX2ポートの基準信号リソースマッピング図の構成が同じシンボル上にある、ことであり得ることに留意されたい。
【１０１３】
第四に、基地局は、16ポートの基準信号リソースマッピング図の構成をUEに通知し、X=12である第2の基準信号のリソースマッピング図の構成が16ポートの第2の基準信号リソースマッピング図の中の第M1のポートから第(M1+11)のポートのリソースであることが、事前に定義されている。M1はデフォルトで0であることが可能であり、または別の値であることが可能である。
【１０１４】
第五に、基地局は、16ポートの基準信号リソースマッピング図の構成および4ポートのミューティング(muting)シグナリングをUEに通知する。たとえば、12ポートの第2の基準信号のリソースが、16ポートの基準信号リソースマッピング図のリソース位置と4ポートのmutingシグナリングのリソース位置との間で重複するリソース位置にマッピングされないと仮定すると、12ポートの第2の基準信号のリソースは、4ポートのmutingシグナリングのリソース位置と重複するリソース位置以外の、16ポートの基準信号リソースマッピング図の中の他の位置にマッピングされる。
【１０１５】
本発明のこの実施形態では、第0のポートは、インデックスが従来技術のLTE R12において15であるポートに対応し、第1のポートは、インデックスが従来技術のLTE R12において16であるポートに対応する、等であることに留意されたい。本発明における第1の基準信号および第2の基準信号の両方はCSI-RSであり得る。
【１０１６】
実施形態8
12ポートの第2の基準信号が4個のOFDMシンボル上で送信される場合、8ポートの基準信号が2個のOFDMシンボル上で送信され、4ポートの基準信号が他の2個のOFDMシンボル上で送信され、たとえば、図30の12ポート構成AおよびBにおいて示される方式で、電力の不平衡の問題を引き起こす。電力の不平衡の問題を解決するために、以下の方式が使用され得る。
【１０１７】
ポート数がXである第2の基準信号のマッピング図が、ポート数がX1である第1の基準信号のリソースマッピング図と、ポート数がX2である第1の基準信号のリソースマッピング図とを含む場合、X1ポートの第1の基準信号リソースマッピング図およびX2ポートの第1の基準信号リソースマッピング図は、PRB pairの中の異なるOFDMシンボルペアを占有し、X1ポートの第1の基準信号リソースマッピング図は、ポート数がXである第2の基準信号の中の第0のポートから第(X1-1)のポートによって占有されるリソースに対応し、X2ポートの第1の基準信号リソースマッピング図は、ポート数がXである第2の基準信号の中の第X1のポートから第(X-1)のポートによって占有されるリソースに対応し、ポート数がXである第2の基準信号に対して、あるPRB pairの中の第0のポートから第(X1-1)のポートおよび第X1のポートから第(X-1)のポートのOFDMシンボルペアの位置は、隣接するPRB pairの中の第0のポートから第(X1-1)のポートおよび第X1のポートから第(X-1)のポートのOFDMシンボルペアの位置とそれぞれ交換可能であり、ここでX=X1+X2であり、X、X1、およびX2はすべて正の整数である。
【１０１８】
たとえば、図30に示されるように、ポート数Xが12である第2の基準信号CSI-RSのマッピング図は、ポート数X1が8である第1の基準信号のマッピング図と、ポート数X2が4である第1の基準信号のリソースマッピング図とを含む。X1ポートの第1の基準信号リソースマッピング図は、X個のポートの中の第0のポートから第7のポートに対応し、位置は、PRB pair 0の中のslot 1における第5および第6のOFDMシンボルペアである。X2ポートの第1の基準信号リソースマッピング図は、X個のポートの中の第8のポートから第11のポートに対応し、位置は、PRB pair 0の中のslot 0における第5および第6のOFDMシンボルペアである。周波数領域においてPRB pair 0に隣接するPRB pair 1に対して、X1ポートの第1の基準信号リソースマッピング図は、X個のポートの中の第0のポートから第7のポートに対応し、位置は、PRB pair 1の中のslot 0における第5および第6のOFDMシンボルペアであり、X2ポートの第1の基準信号リソースマッピング図は、X個のポートの中の第8のポートから第11のポートに対応し、位置は、PRB pair 0の中のslot 1における第5および第6のOFDMシンボルペアである。すなわち、12ポートのリソースマッピング図に対して、PRB pair 0の中のslot 1における第0のポートから第7のポートの第5および第6のシンボルであるOFDMシンボル、ならびに、PRB pair 0の中のslot 0における第8のポートから第11のポートの第5および第6のシンボルであるOFDMシンボルはそれぞれ、PRB pair 1の中のslot 0における第0のポートから第7のポートの第5および第6のシンボルであるOFDMシンボル、ならびに、PRB pair 1の中のslot 1における第8のポートから第11のポートの第5および第6のシンボルであるOFDMシンボルと交換可能である。
【１０１９】
周波数領域において隣接する2つのPRB pair (PRB対)上で12ポートのリソースマッピング図を異なる方式で送信することが電力の不平衡の問題を回避できるので、以下の送信方式が使用され得る。4個のポート(8, 9, 10, 11)がPRB pair 0の中の第5および第6のOFDMシンボル上で送信され、8個のポート(0, 1, 2, 3, 4, 5, 6, 7)がPRB pair 0の中の第12および第13のOFDMシンボル上で送信される。隣接するPRB pair 1の中で、8個のポート(0, 1, 2, 3, 4, 5, 6, 7)が第5および第6のOFDMシンボル上で送信され、4個のポート(8, 9, 10, 11)が第12および第13のOFDMシンボル上で送信される。PRB pair 0における第2の基準信号のリソースマッピングの方式は、PRB pair 0、2、4、...(PRB pair番号が偶数であるPRB pair)に対して使用され、PRB pair 1における第2の基準信号のリソースマッピングの方式は、PRB pair 1、3、5、...(PRB pair番号が奇数であるPRB pair)に対して使用される。第12および第13のOFDMシンボルは、slot (スロット)1における第5および第6のOFDMシンボルである。
【１０２０】
図30を参照すると、12ポートの基準信号リソースマッピング図の時間-周波数リソース位置(k, l)は、以下の条件を満たす。
【１０２１】
構成Bにおいて、
【１０２２】
【数２７０】
2018516481.tif 000275
【１０２３】
であり、ここで(k', l')は第1のポートに対応する時間-周波数リソース位置であり、(k', l')=(9, 5)であり、第0のポートから第7のポートはns mod2=1に対応し、第8のポートから第11のポートはns mod2=0に対応し、CPは、normal CPであり、FDDおよびTDDをサポートし、Xmod2=0であり、XはPRB pairの数である。
【１０２４】
構成Aにおいて、
【１０２５】
【数２７１】
2018516481.tif 000276
【１０２６】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、Xmod2=1である。
【１０２７】
当然、Xmod2=0であるときに構成Aが代替的に送信されることが可能であり、Xmod2=1であるときに構成Bが代替的に送信されることが可能である。
【１０２８】
加えて、電力の不平衡の問題を避けるために、図31の送信方式が12ポートの基準信号リソースマッピング図を送信するために使用され得る。X1ポートの第1の基準信号リソースマッピング図は、X個のポートの中の第0のポートから第7のポートに対応し、位置は、PRB pair 0の中のslot 1における第2および第3のOFDMシンボルペアである。X2ポートの第1の基準信号リソースマッピング図は、X個のポートの中の第8のポートから第11のポートに対応し、位置は、PRB pair 0の中のslot 0における第5および第6のOFDMシンボルペアである。周波数領域においてPRB pair 0に隣接するPRB pair 1に対して、X1ポートの第1の基準信号リソースマッピング図は、X個のポートの中の第0のポートから第7のポートに対応し、位置は、PRB pair 1の中のslot 0における第5および第6のOFDMシンボルペアであり、X2ポートの第1の基準信号リソースマッピング図は、X個のポートの中の第8のポートから第11のポートに対応し、位置は、PRB pair 0の中のslot 1における第2および第3のOFDMシンボルペアである。すなわち、12ポートのリソースマッピング図に対して、PRB pair 0の中のslot 1における第0のポートから第7のポートの第2および第3のシンボルであるOFDMシンボル、ならびに、PRB pair 0の中のslot 0における第8のポートから第11のポートの第5および第6のシンボルであるOFDMシンボルはそれぞれ、PRB pair 1の中のslot 0における第0のポートから第7のポートの第5および第6のシンボルであるOFDMシンボル、ならびに、PRB pair 1の中のslot 1における第8のポートから第11のポートの第2および第3のシンボルであるOFDMシンボルと交換可能である。
【１０２９】
12ポートの基準信号リソースマッピング図の時間-周波数リソース位置(k, l)は、以下の条件を満たす。
【１０３０】
構成Cにおいて、時間-周波数リソース位置は、
【１０３１】
【数２７２】
2018516481.tif 000277
【１０３２】
であり、ここで(k', l')=(9, 5)であり、第0のポートから第7のポートはns mod2=0に対応し、第8のポートから第11のポートはns mod2=1に対応し、CPは、normal CPであり、FDDおよびTDDをサポートし、PRB pair Xmod2=1であり、XはPRB pairの数である。
【１０３３】
構成Dにおいて、時間-周波数リソース位置は、
【１０３４】
【数２７３】
2018516481.tif 000278
【１０３５】
であり、ここで(k', l')=(9, 2)であり、第0のポートから第7のポートはns mod2=1に対応し、第8のポートから第11のポートはns mod2=0に対応し、CPは、normal CPであり、FDDおよびTDDをサポートし、PRB pair Xmod2=0である。
【１０３６】
当然、Xmod2=0であるときに構成Cが送信されることが可能であり、Xmod2=1であるときに構成Dが送信されることが可能である。
【１０３７】
たとえば、図32に示されるように、ポート数Xが16である第2の基準信号CSI-RSのマッピング図は、ポート数X1が8である第1の基準信号のマッピング図と、ポート数X2が8である第1の基準信号のリソースマッピング図とを含む。X1ポートの第1の基準信号リソースマッピング図は、X個のポートの中の第0のポートから第7のポートに対応し、位置は、PRB pair 0の中のslot 1における第2および第3のOFDMシンボルペアである。X2ポートの第1の基準信号リソースマッピング図は、X個のポートの中の第8のポートから第15のポートに対応し、位置は、PRB pair 0の中のslot 0における第5および第6のOFDMシンボルペアである。周波数領域においてPRB pair 0に隣接するPRB pair 1に対して、X1ポートの第1の基準信号リソースマッピング図は、X個のポートの中の第0のポートから第7のポートに対応し、位置は、PRB pair 1の中のslot 0における第5および第6のOFDMシンボルペアであり、X2ポートの第1の基準信号リソースマッピング図は、X個のポートの中の第8のポートから第15のポートに対応し、位置は、PRB pair 0の中のslot 1における第2および第3のOFDMシンボルペアである。すなわち、12ポートのリソースマッピング図に対して、PRB pair 0の中のslot 1における第0のポートから第7のポートの第2および第3のシンボルであるOFDMシンボル、ならびに、PRB pair 0の中のslot 0における第8のポートから第15のポートの第5および第6のシンボルであるOFDMシンボルはそれぞれ、PRB pair 1の中のslot 0における第0のポートから第7のポートの第5および第6のシンボルであるOFDMシンボル、ならびに、PRB pair 1の中のslot 1における第8のポートから第15のポートの第2および第3のシンボルであるOFDMシンボルと交換可能である。
【１０３８】
具体的には、図32に示されるように、構成Fにおいて、時間-周波数リソース位置は、
【１０３９】
【数２７４】
2018516481.tif 000279
【１０４０】
であり、ここで(k', l')=(9, 2)であり、第0のポートから第7のポートはns mod2=1に対応し、第8のポートから第15のポートはns mod2=0に対応し、CPは、normal CPであり、FDDおよびTDDをサポートし、PRB pair Xmod2=1である。
【１０４１】
構成Eにおいて、時間-周波数リソース位置は、
【１０４２】
【数２７５】
2018516481.tif 000280
【１０４３】
であり、ここで(k', l')=(9, 5)であり、第0のポートから第7のポートはns mod2=0に対応し、第8のポートから第15のポートはns mod2=1に対応し、CPは、normal CPであり、FDDおよびTDDをサポートし、PRB pair Xmod2=0であり、XはPRB pairの数である。
【１０４４】
当然、Xmod2=0であるときに構成Eが送信されることが可能であり、Xmod2=1であるときに構成Fが送信されることが可能である。
【１０４５】
たとえば、図33に示されるように、ポート数Xが16である第2の基準信号CSI-RSのマッピング図は、ポート数X1が8である第1の基準信号のマッピング図と、ポート数X2が8である第1の基準信号のリソースマッピング図とを含む。X1ポートの第1の基準信号リソースマッピング図は、X個のポートの中の第0のポートから第7のポートに対応し、位置は、PRB pair 0の中のslot 1における第2および第3のOFDMシンボルペアである。X2ポートの第1の基準信号リソースマッピング図は、X個のポートの中の第8のポートから第15のポートに対応し、位置は、PRB pair 0の中のslot 0における第5および第6のOFDMシンボルペアである。周波数領域においてPRB pair 0に隣接するPRB pair 1に対して、X1ポートの第1の基準信号リソースマッピング図は、X個のポートの中の第0のポートから第7のポートに対応し、位置は、PRB pair 1の中のslot 0における第5および第6のOFDMシンボルペアであり、X2ポートの第1の基準信号リソースマッピング図は、X個のポートの中の第8のポートから第15のポートに対応し、位置は、PRB pair 0の中のslot 1における第2および第3のOFDMシンボルペアである。すなわち、12ポートのリソースマッピング図に対して、PRB pair 0の中のslot 1における第0のポートから第7のポートの第2および第3のシンボルであるOFDMシンボル、ならびに、PRB pair 0の中のslot 0における第8のポートから第15のポートの第5および第6のシンボルであるOFDMシンボルはそれぞれ、PRB pair 1の中のslot 0における第0のポートから第7のポートの第5および第6のシンボルであるOFDMシンボル、ならびに、PRB pair 1の中のslot 1における第8のポートから第15のポートの第2および第3のシンボルであるOFDMシンボルと交換可能である。
【１０４６】
具体的には、図32に示されるように、構成Eにおいて、時間-周波数リソース位置は、
構成Hにおいて、時間-周波数リソース位置は、
【１０４７】
【数２７６】
2018516481.tif 000281
【１０４８】
であり、ここで(k', l')=(9, 5)であり、第0のポートから第15のポートはns mod2=1に対応し、CPは、normal CPであり、FDDおよびTDDをサポートし、PRB pair Xmod2=0であり、XはPRB pairの数である。
【１０４９】
構成Gにおいて、時間-周波数リソース位置は、
【１０５０】
【数２７７】
2018516481.tif 000282
【１０５１】
であり、ここで(k', l')=(9, 2)であり、第0のポートから第15のポートはns mod2=1に対応し、CPは、normal CPであり、FDDおよびTDDをサポートし、PRB pair Xmod2=1である。
【１０５２】
当然、Xmod2=0であるときに構成Gが代替的に送信されることが可能であり、Xmod2=1であるときに構成Hが代替的に送信されることが可能である。
【１０５３】
上述の説明は、本発明の特定の実装形態にすぎず、本発明の保護範囲を限定することは意図されていない。本発明において開示される技術範囲内にある、当業者により容易に理解されるあらゆる変形または置換は、本発明の保護範囲内にあるものである。したがって、本発明の保護範囲は、特許請求の範囲の保護範囲に従うものである。
【符号の説明】
【１０５４】
301  取得ユニット
302  決定およびフィードバックユニット
401  構成設定ユニット
402  送信ユニット
403  受信ユニット
501  プロセッサ
502  メモリ
503  送信機
601  プロセッサ
602  メモリ
603  送信機
604  受信機
【図１】
2018516481.tif 000475
【図２】
2018516481.tif 000476
【図３】
2018516481.tif 000477
【図４】
2018516481.tif 000478
【図５】
2018516481.tif 000479
【図６】
2018516481.tif 000480
【図７】
2018516481.tif 000481
【図８】
2018516481.tif 000482
【図９】
2018516481.tif 000483
【図１０】
2018516481.tif 000484
【図１１】
2018516481.tif 000485
【図１２】
2018516481.tif 000486
【図１３】
2018516481.tif 000487
【図１４】
2018516481.tif 000488
【図１５】
2018516481.tif 000489
【図１６】
2018516481.tif 000490
【図１７】
2018516481.tif 000491
【図１８】
2018516481.tif 000492
【図１９】
2018516481.tif 000493
【図２０】
2018516481.tif 000494
【図２１】
2018516481.tif 000495
【図２２】
2018516481.tif 000496
【図２３】
2018516481.tif 000497
【図２４】
2018516481.tif 000498
【図２５】
2018516481.tif 000499
【図２６】
2018516481.tif 000500
【図２７】
2018516481.tif 000501
【図２８】
2018516481.tif 000502
【図２９】
2018516481.tif 000503
【図３０】
2018516481.tif 000504
【図３１】
2018516481.tif 000505
【図３２】
2018516481.tif 000506
【図３３】
2018516481.tif 000507
【手続補正書】
【提出日】平成29年11月22日(2017.11.22)
【手続補正１】
【補正対象書類名】明細書
【補正対象項目名】０８４１
【補正方法】変更
【補正の内容】
【０８４１】
第2の可能な実装形態では、X個の連続するポートはY個のポートの中の第0のポートから第(X-1)のポートであり、またはX個の連続するポートはY個のポートの中の第(Y-X)のポートから第(Y-1)のポートである。
【手続補正２】
【補正対象書類名】明細書
【補正対象項目名】０８８５
【補正方法】変更
【補正の内容】
【０８８５】
第21の可能な実装形態では、K1=10であり、K2=4*10/3である場合、(k, l)以外の第2の基準信号リソースマッピング図の時間-周波数リソース位置は、
【手続補正３】
【補正対象書類名】明細書
【補正対象項目名】０９１２
【補正方法】変更
【補正の内容】
【０９１２】
第3の可能な実装形態では、K2=K1であり、または
【手続補正４】
【補正対象書類名】明細書
【補正対象項目名】０９１８
【補正方法】変更
【補正の内容】
【０９１８】
第5の可能な実装形態では、K2個の第2の基準信号リソースマッピング図の中のXポートの第2の基準信号リソースマッピング図は、K3個の第1の基準信号リソースマッピング図を含み、K3個の第1の基準信号リソースマッピング図の各々は、H個のポートに対応する時間-周波数リソースを含み、H=X/K3であり、K3はXより小さい正の整数である。
【手続補正５】
【補正対象書類名】明細書
【補正対象項目名】０９１９
【補正方法】変更
【補正の内容】
【０９１９】
第6の可能な実装形態では、H個のポートは、第1の基準信号リソースマッピング図の中の第0のポートから第(H-1)のポートであり、または第(Y-H)のポートから第(Y-1)のポートである。
【手続補正６】
【補正対象書類名】明細書
【補正対象項目名】０９３１
【補正方法】変更
【補正の内容】
【０９３１】
第13の可能な実装形態では、X1ポートの基準信号リソースマッピング図、X2ポートの基準信号リソースマッピング図、...、およびXiポートの基準信号リソースマッピング図は1つのサブフレームからUEによって取得され、または、X1ポートの基準信号リソースマッピング図、X2ポートの基準信号リソースマッピング図、...、およびXiポートの基準信号リソースマッピング図はi個のサブフレームからUEによって取得される。
【手続補正７】
【補正対象書類名】明細書
【補正対象項目名】０９５０
【補正方法】変更
【補正の内容】
【０９５０】
第3の可能な実装形態では、K2=K1であり、または
【手続補正８】
【補正対象書類名】明細書
【補正対象項目名】０９７１
【補正方法】変更
【補正の内容】
【０９７１】
第13の可能な実装形態では、X1ポートの基準信号リソースマッピング図、X2ポートの基準信号リソースマッピング図、...、およびXiポートの基準信号リソースマッピング図は1つのサブフレームにおいて基地局によって送信され、または、X1ポートの基準信号リソースマッピング図、X2ポートの基準信号リソースマッピング図、...、およびXiポートの基準信号リソースマッピング図はi個のサブフレームにおいて基地局によって送信される。
【手続補正９】
【補正対象書類名】特許請求の範囲
【補正対象項目名】全文
【補正方法】変更
【補正の内容】
【特許請求の範囲】
【請求項１】
ユーザ機器(UE)によって、基準信号リソースマッピング図を取得し、前記基準信号リソースマッピング図に従って基準信号を取得するステップと、
前記UEによって、前記基準信号に従ってチャネル測定を実行してチャネル状態情報を決定し、前記チャネル状態情報を基地局にフィードバックするステップと、を備え、
前記基準信号リソースマッピング図が、前記基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、チャネル測定方法。
【請求項２】
前記K2個の第2の基準信号リソースマッピング図のうちの少なくとも1つが、前記第1の基準信号リソースマッピング図のうちの少なくとも2つの時間-周波数リソースを備える、請求項1に記載の方法。
【請求項３】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項2に記載の方法。
【請求項４】
前記UEによって、前記第2の基準信号リソースマッピング図を取得するステップをさらに備え、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項1に記載の方法。
【請求項５】
Xが8より大きい整数である、請求項4に記載の方法。
【請求項６】
前記X1ポートの基準信号リソースマッピング図、前記X2ポートの基準信号リソースマッピング図、...、および前記Xiポートの基準信号リソースマッピング図が1つのサブフレームから前記UEによって取得され、または、前記X1ポートの基準信号リソースマッピング図、前記X2ポートの基準信号リソースマッピング図、...、および前記Xiポートの基準信号リソースマッピング図がi個のサブフレームから前記UEによって取得される、請求項4または5に記載の方法。
【請求項７】
前記基地局により通知される、前記X1ポートの基準信号リソースマッピング図、前記X2ポートの基準信号リソースマッピング図、...、および前記Xiポートの基準信号リソースマッピング図の各々の構成情報を前記UEによって受信するステップ、または、
前記基地局により送信されるジョイント符号化シグナリングを前記UEによって受信するステップであって、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用される、ステップ、または、
前記基地局により通知される、前記X1ポートの基準信号リソースマッピング図の構成情報と、Xjポートの基準信号リソースマッピング図の構成情報および前記X1ポートの基準信号リソースマッピング図の構成情報の間の対応関係とを前記UEによって受信するステップであって、jが1より大きくi以下の整数である、ステップをさらに備え、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項4から6のいずれか一項に記載の方法。
【請求項８】
基地局によって、基準信号リソースマッピング図を構成設定するステップと、
前記基地局によって、前記基準信号リソースマッピング図をユーザ機器(UE)に送信するステップと、
前記基地局によって、前記UEによりフィードバックされたチャネル状態情報を受信するステップと、を備え、
前記基準信号リソースマッピング図が、基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、チャネル測定方法。
【請求項９】
前記K2個の第2の基準信号リソースマッピング図のうちの少なくとも1つが、前記第1の基準信号リソースマッピング図のうちの少なくとも2つの時間-周波数リソースを備える、請求項8に記載の方法。
【請求項１０】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項9に記載の方法。
【請求項１１】
前記基地局によって、前記第2の基準信号リソースマッピング図を前記UEに送信するステップをさらに備え、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項8に記載の方法。
【請求項１２】
Xが8より大きい整数である、請求項11に記載の方法。
【請求項１３】
前記X1ポートの基準信号リソースマッピング図、前記X2ポートの基準信号リソースマッピング図、...、および前記Xiポートの基準信号リソースマッピング図が1つのサブフレームにおいて前記基地局によって送信され、または、前記X1ポートの基準信号リソースマッピング図、前記X2ポートの基準信号リソースマッピング図、...、および前記Xiポートの基準信号リソースマッピング図がi個のサブフレームにおいて前記基地局によって送信される、請求項11または12に記載の方法。
【請求項１４】
前記基地局によって、前記X1ポートの基準信号リソースマッピング図、前記X2ポートの基準信号リソースマッピング図、...、および前記Xiポートの基準信号リソースマッピング図の各々の構成情報を前記UEに通知するステップ、または、
前記基地局によって、ジョイント符号化シグナリングを前記UEに送信するステップであって、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用される、ステップ、または、
前記基地局によって、前記X1ポートの基準信号リソースマッピング図の構成情報と、Xjポートの基準信号リソースマッピング図の構成情報および前記X1ポートの基準信号リソースマッピング図の構成情報の間の対応関係とを前記UEに通知するステップであって、jが1より大きくi以下の整数である、ステップをさらに備え、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項11から13のいずれか一項に記載の方法。
【請求項１５】
基準信号リソースマッピング図を取得し、前記基準信号リソースマッピング図に従って基準信号を取得するように構成された取得ユニットと、
前記取得ユニットによって取得された基準信号に従ってチャネル測定を実行し、チャネル状態情報を決定し、前記チャネル状態情報を基地局にフィードバックするように構成された決定およびフィードバックユニットと、を備え、
前記基準信号リソースマッピング図が、前記基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、ユーザ機器(UE)。
【請求項１６】
前記K2個の第2の基準信号リソースマッピング図のうちの少なくとも1つが、前記第1の基準信号リソースマッピング図のうちの少なくとも2つの時間-周波数リソースを備える、請求項15に記載のUE。
【請求項１７】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項16に記載のUE。
【請求項１８】
前記取得ユニットが、前記第2の基準信号リソースマッピング図を取得するようにさらに構成され、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項15または16に記載のUE。
【請求項１９】
Xが8より大きい整数である、請求項18に記載のUE。
【請求項２０】
前記X1ポートの基準信号リソースマッピング図、前記X2ポートの基準信号リソースマッピング図、...、および前記Xiポートの基準信号リソースマッピング図が1つのサブフレームから前記UEによって取得され、または、前記X1ポートの基準信号リソースマッピング図、前記X2ポートの基準信号リソースマッピング図、...、および前記Xiポートの基準信号リソースマッピング図がi個のサブフレームから前記UEによって取得される、請求項18または19に記載のUE。
【請求項２１】
前記UEが、前記基地局により通知される、前記X1ポートの基準信号リソースマッピング図、前記X2ポートの基準信号リソースマッピング図、...、および前記Xiポートの基準信号リソースマッピング図の各々の構成情報を受信するように構成された受信ユニットをさらに備え、または、
前記UEが、前記基地局により送信されるジョイント符号化シグナリングを受信するように構成された受信ユニットであって、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用される、受信ユニットをさらに備え、または、
前記UEが、前記基地局により通知される、前記X1ポートの基準信号リソースマッピング図の構成情報と、Xjポートの基準信号リソースマッピング図の構成情報および前記X1ポートの基準信号リソースマッピング図の構成情報の間の対応関係とを受信するように構成された受信ユニットであって、jが1より大きくi以下の整数である、受信ユニットをさらに備え、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項18から20のいずれか一項に記載のUE。
【請求項２２】
基準信号リソースマッピング図を構成設定するように構成された構成設定ユニットと、
前記基準信号リソースマッピング図をユーザ機器(UE)に送信するように構成された送信ユニットと、
前記UEによりフィードバックされたチャネル状態情報を受信するように構成された受信ユニットと、を備え、
前記基準信号リソースマッピング図が、基準信号の時間-周波数リソースがマッピングされる位置であり、前記基準信号リソースマッピング図が、第1の基準信号リソースマッピング図または第2の基準信号リソースマッピング図であり、K2個の第2の基準信号リソースマッピング図の各々とK1個の第1の基準信号リソースマッピング図のうちの少なくとも1つとの間に相関関係が存在し、K2が前記第2の基準信号リソースマッピング図の数であり、K1が前記第1の基準信号リソースマッピング図の数であり、K1およびK2が1以上の整数であり、
前記第1の基準信号リソースマッピング図がYポートの基準信号リソースマッピング図であり、前記第2の基準信号リソースマッピング図がXポートの基準信号リソースマッピング図であり、Yが8以下で2nを満たす整数であり、Xが8より大きい整数、または8より小さく2nを満たさない整数である、基地局。
【請求項２３】
前記K2個の第2の基準信号リソースマッピング図のうちの少なくとも1つが、前記第1の基準信号リソースマッピング図のうちの少なくとも2つの時間-周波数リソースを備える、請求項22に記載の基地局。
【請求項２４】
前記K2個の第2の基準信号リソースマッピング図の中のXポートの第2の基準信号リソースマッピング図が、K3個の第1の基準信号リソースマッピング図を備え、前記K3個の第1の基準信号リソースマッピング図の各々が、H個のポートに対応する時間-周波数リソースを備え、H=X/K3であり、K3がXより小さい正の整数である、請求項23に記載の基地局。
【請求項２５】
前記送信ユニットが、前記第2の基準信号リソースマッピング図を前記UEに送信するようにさらに構成され、
前記第2の基準信号リソースマッピング図が、X1ポートの基準信号リソースマッピング図、X2ポートの基準信号リソースマッピング図、...、およびXiポートの基準信号リソースマッピング図の各々を備え、X1+X2...+Xi=Xであり、X1、X2、...、Xiの各々は2nとして表すことができ、
前記X1ポートの基準信号リソースマッピング図、前記X2ポートの基準信号リソースマッピング図、...、および前記Xiポートの基準信号リソースマッピング図が少なくとも1つのサブフレームから前記UEによって取得される、請求項22に記載の基地局。
【請求項２６】
Xが8より大きい整数である、請求項25に記載の基地局。
【請求項２７】
前記X1ポートの基準信号リソースマッピング図、前記X2ポートの基準信号リソースマッピング図、...、および前記Xiポートの基準信号リソースマッピング図が1つのサブフレームにおいて前記基地局によって送信され、または、前記X1ポートの基準信号リソースマッピング図、前記X2ポートの基準信号リソースマッピング図、...、および前記Xiポートの基準信号リソースマッピング図がi個のサブフレームにおいて前記基地局によって送信される、請求項25または26に記載の基地局。
【請求項２８】
前記送信ユニットが、前記X1ポートの基準信号リソースマッピング図、前記X2ポートの基準信号リソースマッピング図、...、および前記Xiポートの基準信号リソースマッピング図の各々の構成情報を前記UEに通知するようにさらに構成され、または、
前記送信ユニットが、ジョイント符号化シグナリングを前記UEに送信するようにさらに構成され、前記ジョイント符号化シグナリングが、前記X1ポートの基準信号リソースマッピング図の構成情報、前記X2ポートの基準信号リソースマッピング図の構成情報、...、および前記Xiポートの基準信号リソースマッピング図の構成情報を示すために使用され、または、
前記送信ユニットが、前記X1ポートの基準信号リソースマッピング図の構成情報と、Xjポートの基準信号リソースマッピング図の構成情報および前記X1ポートの基準信号リソースマッピング図の構成情報の間の対応関係とを前記UEに通知するようにさらに構成され、jが1より大きくi以下の整数であり、または、
前記X1ポートの基準信号リソースマッピング図の構成情報、前記X2ポートの基準信号リソースマッピング図の構成情報、...、および前記Xiポートの基準信号リソースマッピング図の構成情報が事前に定義される、請求項25から27のいずれか一項に記載の基地局。
【請求項２９】
請求項1から7のいずれか一項に記載の方法をコンピュータに実行させるプログラムを記録したコンピュータ読み取り可能な記憶媒体。
【請求項３０】
請求項8から14のいずれか一項に記載の方法をコンピュータに実行させるプログラムを記録したコンピュータ読み取り可能な記憶媒体。
【請求項３１】
互いに通信するユーザ機器と基地局を備え、前記ユーザ機器が請求項1から7のいずれか一項に記載の方法を実行し、前記基地局が請求項8から14のいずれか一項に記載の方法を実行する、通信システム。
【国際調査報告】
2018516481.tif 000508
2018516481.tif 000509
2018516481.tif 000510
2018516481.tif 000511